(57)【要約】この出願の実施形態は、パラメータ決定方法、基地局、及びユーザ機器を提供する。この出願で提供されるパラメータ決定方法は、基地局によって、ＵＥに対応する第１のサブキャリア間隔を決定するステップと、基地局によって、第１のサブキャリア間隔をＵＥに通知するステップとを含む。この出願の実施形態では、ＵＥは、マルチサブキャリア間隔システム中で、データ送信のために使用されるサブキャリア間隔について正確に知り、次いで、データ送信を実行し得る。これは、ＵＥが対応するサービスを実行し、それによって、対応するサービス要件を満たすことを効果的に保証することができる。
2019533365.tif 000002
【特許請求の範囲】
【請求項１】
基地局によって、ユーザ機器ＵＥに対応する第１のサブキャリア間隔を決定するステップと、
前記基地局によって、前記第１のサブキャリア間隔を前記ＵＥに通知するステップと
を含む、パラメータ決定方法。
【請求項２】
基地局によって、ＵＥに対応する第１のサブキャリア間隔を決定する前記ステップの前に、前記方法は、
前記基地局によって、前記ＵＥによって送られたランダムアクセスチャネルを受信するステップであって、前記ランダムアクセスチャネルが、第２のサブキャリア間隔を使用することによって前記ＵＥによって送られたチャネルである、ステップと、
前記第２のサブキャリア間隔に基づいて前記基地局によって、前記ＵＥに対応する前記第１のサブキャリア間隔を決定するステップと
をさらに含む、
請求項１に記載の方法。
【請求項３】
基地局によって、ＵＥに対応する第１のサブキャリア間隔を決定する前記ステップの前に、前記方法は、
前記基地局によって、前記ＵＥによって送られた要求を受信するステップであって、前記要求が、前記ＵＥによって要求されたサブキャリア間隔に対応する指示情報を含む、ステップと、
前記ＵＥによって要求された前記サブキャリア間隔に対応する前記指示情報に基づいて前記基地局によって、前記ＵＥに対応する前記第１のサブキャリア間隔を決定するステップと
をさらに含む、
請求項１に記載の方法。
【請求項４】
基地局によって、ＵＥに対応する第１のサブキャリア間隔を決定する前記ステップは、
少なくとも１つのサブキャリア間隔に対応する参照信号測定値に基づいて前記基地局によって、前記ＵＥに対応する前記第１のサブキャリア間隔を決定するステップを含む、
請求項１に記載の方法。
【請求項５】
前記方法は、
少なくとも１つのサイクリックプレフィックスＣＰタイプに対応する参照信号測定値に基づいて前記基地局によって、前記ＵＥに対応するＣＰタイプを決定するステップと、
前記基地局によって、前記ＵＥに対応する前記ＣＰタイプを前記ＵＥに通知するステップと
をさらに含む、
請求項４に記載の方法。
【請求項６】
少なくとも１つのサブキャリア間隔に対応する参照信号測定値に基づいて前記基地局によって、前記ＵＥに対応する前記第１のサブキャリア間隔を決定する前記ステップの前に、前記方法は、
前記基地局によって、前記少なくとも１つのサブキャリア間隔に対応する参照信号測定値のうちの少なくとも１つを受信するステップであって、前記参照信号測定値のうちの前記少なくとも１つが、前記ＵＥによって送られる、ステップをさらに含む、
請求項４に記載の方法。
【請求項７】
前記基地局によって、前記少なくとも１つのサブキャリア間隔に対応し且つ前記ＵＥによって送られた前記参照信号測定値を受信する前記ステップの前に、前記方法は、
前記ＵＥに前記基地局によって、前記少なくとも１つのサブキャリア間隔に対応する参照信号を送るステップをさらに含む、
請求項６に記載の方法。
【請求項８】
少なくとも１つのサブキャリア間隔に対応する参照信号測定値に基づいて前記基地局によって、前記ＵＥに対応する前記第１のサブキャリア間隔を決定する前記ステップの前に、前記方法は、
前記基地局によって、各サブキャリア間隔に対応する参照信号測定値を取得するために前記少なくとも１つのサブキャリア間隔中の各サブキャリア間隔に対応する参照信号を検出するステップをさらに含む、
請求項４に記載の方法。
【請求項９】
前記基地局によって、各サブキャリア間隔に対応する参照信号測定値を取得するために各サブキャリア間隔に対応する参照信号を検出する前記ステップの前に、前記方法は、
前記基地局によって、各サブキャリア間隔に対応し且つ前記ＵＥによって送られた前記参照信号を受信するステップをさらに含む、
請求項８に記載の方法。
【請求項１０】
前記第１のサブキャリア間隔は、チャネルのために使用されるサブキャリア間隔を含み、チャネルのために使用される前記サブキャリア間隔が、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む、
請求項１〜９のいずれか一項に記載の方法。
【請求項１１】
基地局によって、ＵＥに対応する第１のサブキャリア間隔を決定する前記ステップは、
第３のサブキャリア間隔と、前記第３のサブキャリア間隔と前記第１のサブキャリア間隔との間の関係とに基づいて前記基地局によって、前記ＵＥに対応する前記第１のサブキャリア間隔を決定するステップであって、前記第３のサブキャリア間隔が、第１のチャネルのために使用されるサブキャリア間隔であり、前記第１のサブキャリア間隔が、第２のチャネルのために使用されるサブキャリア間隔であり、前記第１のチャネルと前記第２のチャネルとが異なるチャネルである、ステップを含む、
請求項１に記載の方法。
【請求項１２】
前記第１のチャネルと前記第２のチャネルとは、
同期信号、ブロードキャストチャネル、ランダムアクセスチャネル、制御チャネル、データチャネル、及び参照信号のうちの２つの異なるチャネルである
請求項１１に記載の方法。
【請求項１３】
前記基地局によって、前記第１のサブキャリア間隔を前記ＵＥに通知する前記ステップが、
ブロードキャストチャネル中で搬送されるシグナリングを使用することによって前記基地局によって、前記第１のサブキャリア間隔がデータチャネルのために使用される前記サブキャリア間隔であることを前記ＵＥに通知するステップ、又は
ブロードキャストチャネル又はシステム情報中で搬送されるシグナリングを使用することによって前記基地局によって、前記第１のサブキャリア間隔が、制御チャネルのために使用される前記サブキャリア間隔又はランダムアクセスチャネルのために使用される前記サブキャリア間隔であることを前記ＵＥに通知するステップ、又は
上位レイヤシグナリングを使用することによって前記基地局によって、前記第１のサブキャリア間隔が制御チャネル、データチャネル、又は参照信号のために使用される前記サブキャリア間隔であることを前記ＵＥに通知するステップ、又は
制御チャネル中で搬送されるシグナリングを使用することによって前記基地局によって、前記第１のサブキャリア間隔がデータチャネルのために使用される前記パラメータ及び／又は参照信号のために使用される前記サブキャリア間隔であることを前記ＵＥに通知するステップ
を含む、請求項１０に記載の方法。
【請求項１４】
前記基地局によって、前記第１のサブキャリア間隔を前記ＵＥに通知する前記ステップは、
前記基地局によって、前記ＵＥに以下の情報、即ち
前記第１のサブキャリア間隔の値、
前記第１のサブキャリア間隔と前記ＵＥの現在のサブキャリア間隔との間の相対関係、
前記第１のサブキャリア間隔と共通参照サブキャリア間隔との間の相対関係、及び
前記第１のサブキャリア間隔とプリセットされたチャネルのために使用されるサブキャリア間隔との間の相対関係
のうちの少なくとも１つを送ることによって前記第１のサブキャリア間隔を前記ＵＥに通知するステップを含む、
請求項１〜１３のいずれか一項に記載の方法。
【請求項１５】
前記方法は、
前記基地局によって、前記第１のサブキャリア間隔の有効時間及び／又は前記第１のサブキャリア間隔の有効チャネルを前記ＵＥに通知するステップをさらに含む、
請求項１４に記載の方法。
【請求項１６】
パラメータ決定方法であって、
ユーザ機器ＵＥによって、基地局によって通知された第１のサブキャリア間隔を取得するステップと、
前記ＵＥによって、前記第１のサブキャリア間隔に基づいて前記基地局とのデータ送信を実行するステップと
を含む、パラメータ決定方法。
【請求項１７】
ＵＥによって、基地局によって通知された第１のサブキャリア間隔を取得する前記ステップの前に、前記方法は、
前記基地局が、第２のサブキャリア間隔に基づいて前記第１のサブキャリア間隔を決定するように、前記ＵＥによって、前記第２のサブキャリア間隔を使用することによって前記基地局にランダムアクセスチャネルを送るステップをさらに含む、
請求項１６に記載の方法。
【請求項１８】
ＵＥによって、基地局によって通知された第１のサブキャリア間隔を取得する前記ステップの前に、前記方法は、
前記ＵＥによって、前記基地局に要求を送るステップであって、前記要求が、前記ＵＥによって要求されたサブキャリア間隔に対応する指示情報を含み、前記要求が、前記ＵＥによって要求された前記サブキャリア間隔に対応する前記指示情報に基づいて前記第１のサブキャリア間隔を決定するために前記基地局によって使用される、ステップをさらに含む、
請求項１６に記載の方法。
【請求項１９】
前記第１のサブキャリア間隔は、少なくとも１つのサブキャリア間隔に対応する参照信号測定値に基づいて前記基地局によって決定されるサブキャリア間隔である
請求項１６に記載の方法。
【請求項２０】
前記方法は、
前記ＵＥによって、前記基地局によって通知されたサイクリックプレフィックスＣＰタイプを取得するステップであって、前記ＣＰタイプが、少なくとも１つのＣＰタイプに対応する参照信号測定値に基づいて前記基地局によって決定されたＣＰタイプである、ステップをさらに含む、
請求項１９に記載の方法。
【請求項２１】
ＵＥによって、基地局によって通知された第１のサブキャリア間隔を取得する前記ステップの前に、前記方法は、
前記基地局に前記ＵＥによって、前記少なくとも１つのサブキャリア間隔に対応する前記参照信号測定値のうちの少なくとも１つを送るステップをさらに含む、
請求項１９に記載の方法。
【請求項２２】
前記基地局に前記ＵＥによって、前記少なくとも１つのサブキャリア間隔に対応する前記参照信号測定値を送る前記ステップの前に、前記方法は、
前記ＵＥによって、前記少なくとも１つのサブキャリア間隔に対応し且つ前記基地局によって送られた参照信号を受信するステップをさらに含む、
請求項２１に記載の方法。
【請求項２３】
前記少なくとも１つのサブキャリア間隔中の各サブキャリア間隔に対応する参照信号測定値は、前記基地局によって、各サブキャリア間隔に対応する参照信号を検出することによって取得される
請求項１９に記載の方法。
【請求項２４】
前記基地局に前記ＵＥによって、前記少なくとも１つのサブキャリア間隔に対応する前記参照信号測定値を送る前記ステップの前に、前記方法は、
前記基地局に前記ＵＥによって、前記少なくとも１つのサブキャリア間隔に対応する参照信号を送るステップをさらに含む、
請求項２３に記載の方法。
【請求項２５】
前記第１のサブキャリア間隔は、チャネルのために使用されるサブキャリア間隔を含み、チャネルのために使用される前記サブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む、
請求項１６〜２４のいずれか一項に記載の方法。
【請求項２６】
前記第１のサブキャリア間隔は、第３のサブキャリア間隔と、前記第３のサブキャリア間隔と前記第１のサブキャリア間隔との間の関係とに基づいて前記基地局によって決定されたサブキャリア間隔であり、前記第３のサブキャリア間隔は、第１のチャネルのために使用されるサブキャリア間隔であり、前記第１のサブキャリア間隔は、第２のチャネルのために使用されるサブキャリア間隔であり、前記第１のチャネルと前記第２のチャネルとは、異なるチャネルである
請求項１６に記載の方法。
【請求項２７】
前記第１のチャネルと前記第２のチャネルとは、
同期信号、ブロードキャストチャネル、ランダムアクセスチャネル、制御チャネル、データチャネル、及び参照信号のうちの２つの異なるチャネルである
請求項２６に記載の方法。
【請求項２８】
ＵＥによって、基地局によって通知された第１のサブキャリア間隔を取得する前記ステップが、
ブロードキャストチャネル中で搬送され、前記基地局によって送られたシグナリングに基づいて前記ＵＥによって、前記第１のサブキャリア間隔がデータチャネルのために使用される前記パラメータであると決定するステップ、又は
ブロードキャストチャネル又はシステム情報中で搬送され、前記基地局によって送られたシグナリングに基づいて前記ＵＥによって、前記第１のサブキャリア間隔が、制御チャネルのために使用される前記パラメータ又はランダムアクセスチャネルのために使用される前記パラメータであると決定するステップ、又は
前記基地局によって送られた上位レイヤシグナリングに基づいて前記ＵＥによって、前記第１のサブキャリア間隔が制御チャネル、データチャネル、又は参照信号のために使用される前記パラメータであると決定するステップ、又は
制御チャネル中で搬送され、前記基地局によって送られたシグナリングに基づいて前記ＵＥによって、前記第１のサブキャリア間隔がデータチャネルのために使用される前記パラメータ及び／又は参照信号のために使用される前記パラメータであると決定するステップ
を含む、
請求項２５に記載の方法。
【請求項２９】
ＵＥによって、基地局によって通知された第１のサブキャリア間隔を取得する前記ステップは、
前記ＵＥによって、前記基地局によって送られた以下の情報、即ち
前記第１のパラメータの値、前記第１のパラメータと前記ＵＥの現在のパラメータとの間の相対関係、前記第１のパラメータと共通参照パラメータとの間の相対関係、及び前記第１のパラメータとプリセットされたチャネルのために使用されるパラメータとの間の相対関係
のうちの少なくとも１つに基づいて前記第１のサブキャリア間隔を決定するステップ
を含む、
請求項１６〜２８のいずれか一項に記載の方法。
【請求項３０】
前記方法は、
前記ＵＥによって、前記基地局によって通知される前記第１のサブキャリア間隔の有効時間及び／又は前記第１のサブキャリア間隔の有効チャネルを取得するステップをさらに含む、
請求項２９に記載の方法。
【請求項３１】
プロセッサと送信機とを備える基地局であって、前記プロセッサは、前記送信機に接続され、
前記プロセッサは、ユーザ機器ＵＥに対応する第１のサブキャリア間隔を決定するように構成され、
前記送信機は、前記第１のサブキャリア間隔を前記ＵＥに通知するように構成される、
基地局。
【請求項３２】
前記基地局は、
前記ＵＥによって送られたランダムアクセスチャネルを受信するように構成された受信機であって、前記ランダムアクセスチャネルが、第２のサブキャリア間隔を使用することによって前記ＵＥによって送られたチャネルである、受信機をさらに備え、
前記プロセッサは、前記第２のサブキャリア間隔に基づいて、前記ＵＥに対応する前記第１のサブキャリア間隔を決定するように特に構成される
請求項３１に記載の基地局。
【請求項３３】
前記基地局は、
前記ＵＥによって送られた要求を受信するように構成された受信機であって、前記要求が、前記ＵＥによって要求されたサブキャリア間隔に対応する指示情報を含む、受信機をさらに備え、
前記プロセッサは、前記ＵＥによって要求された前記サブキャリア間隔に対応する前記指示情報に基づいて、前記ＵＥに対応する前記第１のサブキャリア間隔を決定するように特に構成される
請求項３１に記載の基地局。
【請求項３４】
前記プロセッサは、少なくとも１つのサブキャリア間隔に対応する参照信号測定値に基づいて、前記ＵＥに対応する前記第１のサブキャリア間隔を決定するように特に構成される
請求項３１に記載の基地局。
【請求項３５】
前記プロセッサは、少なくとも１つのサイクリックプレフィックスＣＰタイプに対応する参照信号測定値に基づいて、前記ＵＥに対応するＣＰタイプを決定するように特に構成され、
前記送信機は、前記ＵＥに対応する前記ＣＰタイプを前記ＵＥに通知するようにさらに構成される
請求項３４に記載の基地局。
【請求項３６】
前記基地局は、
前記少なくとも１つのサブキャリア間隔に対応する前記参照信号測定値のうちの少なくとも１つを受信するように構成された受信機であって、前記参照信号測定値のうちの前記少なくとも１つが前記ＵＥによって送られる、受信機をさらに備える、
請求項３４に記載の基地局。
【請求項３７】
前記送信機は、前記ＵＥに、前記少なくとも１つのサブキャリア間隔に対応する参照信号を送るようにさらに構成される、
請求項３６に記載の基地局。
【請求項３８】
前記プロセッサは、各サブキャリア間隔に対応する参照信号測定値を取得するために前記少なくとも１つのサブキャリア間隔中の各サブキャリア間隔に対応する参照信号を検出するようにさらに構成される、
請求項３４に記載の基地局。
【請求項３９】
前記基地局は、
各サブキャリア間隔に対応し且つ前記ＵＥによって送られた前記参照信号を受信するように構成された受信機をさらに備える、
請求項３８に記載の基地局。
【請求項４０】
前記第１のサブキャリア間隔は、チャネルのために使用されるサブキャリア間隔を含み、チャネルのために使用される前記サブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む
請求項３１〜３９のいずれか一項に記載の基地局。
【請求項４１】
前記プロセッサは、第３のサブキャリア間隔と、前記第３のサブキャリア間隔と前記第１のサブキャリア間隔との間の関係とに基づいて、前記ＵＥに対応する前記第１のサブキャリア間隔を決定するように特に構成され、前記第３のサブキャリア間隔は、第１のチャネルのために使用されるサブキャリア間隔であり、前記第１のサブキャリア間隔は、第２のチャネルのために使用されるサブキャリア間隔であり、前記第１のチャネルと前記第２のチャネルとは、異なるチャネルである
請求項３１に記載の基地局。
【請求項４２】
前記第１のチャネルと前記第２のチャネルとは、
同期信号、ブロードキャストチャネル、ランダムアクセスチャネル、制御チャネル、データチャネル、及び参照信号のうちの２つの異なるチャネルである
請求項４１に記載の基地局。
【請求項４３】
前記送信機は、ブロードキャストチャネル中で搬送されるシグナリングを使用することによって、前記第１のサブキャリア間隔がデータチャネルのために使用される前記サブキャリア間隔であることを前記ＵＥに通知するように特に構成されるか、又は
前記送信機は、ブロードキャストチャネル又はシステム情報中で搬送されるシグナリングを使用することによって、前記第１のサブキャリア間隔が、制御チャネルのために使用される前記サブキャリア間隔又はランダムアクセスチャネルのために使用される前記サブキャリア間隔であることを前記ＵＥに通知するように特に構成されるか、又は
前記送信機は、上位レイヤシグナリングを使用することによって、前記第１のサブキャリア間隔が制御チャネル、データチャネル、又は参照信号のために使用される前記サブキャリア間隔であることを前記ＵＥに通知するように特に構成されるか、又は
前記送信機は、制御チャネル中で搬送されるシグナリングを使用することによって、前記第１のサブキャリア間隔がデータチャネルのために使用される前記パラメータ及び／又は参照信号のために使用される前記サブキャリア間隔であることを前記ＵＥに通知するように特に構成される
請求項４０に記載の基地局。
【請求項４４】
前記送信機は、前記ＵＥに以下の情報、即ち
前記第１のサブキャリア間隔の値、
前記第１のサブキャリア間隔と前記ＵＥの現在のサブキャリア間隔との間の相対関係、
前記第１のサブキャリア間隔と共通参照サブキャリア間隔との間の相対関係、及び
前記第１のサブキャリア間隔とプリセットされたチャネルのために使用されるサブキャリア間隔との間の相対関係
のうちの少なくとも１つを送ることによって前記第１のサブキャリア間隔を前記ＵＥに通知するように特に構成される
請求項３１〜４３のいずれか一項に記載の基地局。
【請求項４５】
前記送信機は、前記第１のサブキャリア間隔の有効時間及び／又は前記第１のサブキャリア間隔の有効チャネルを前記ＵＥに通知するようにさらに構成される
請求項４４に記載の基地局。
【請求項４６】
受信機とプロセッサとを備えるＵＥであって、前記受信機は、前記プロセッサに接続され、
前記受信機は、基地局によって通知された第１のサブキャリア間隔を取得するように構成され、
前記プロセッサは、前記第１のサブキャリア間隔に基づいて前記基地局とのデータ送信を実行するように構成される、
ＵＥ。
【請求項４７】
前記ＵＥは、
前記基地局が、第２のサブキャリア間隔に基づいて前記第１のサブキャリア間隔を決定するように、前記第２のサブキャリア間隔を使用することによって前記基地局にランダムアクセスチャネルを送るように構成された送信機をさらに備える
請求項４６に記載のＵＥ。
【請求項４８】
前記ＵＥは、
前記基地局に要求を送るように構成された送信機をさらに備え、前記要求は、前記ＵＥによって要求されたサブキャリア間隔に対応する指示情報を含み、また、前記要求は、前記ＵＥによって要求された前記サブキャリア間隔に対応する前記指示情報に基づいて前記第１のサブキャリア間隔を決定するために前記基地局によって使用される
請求項４６に記載のＵＥ。
【請求項４９】
前記第１のサブキャリア間隔が、少なくとも１つのサブキャリア間隔に対応する参照信号測定値に基づいて前記基地局によって決定されるサブキャリア間隔である
請求項４６に記載のＵＥ。
【請求項５０】
前記受信機は、前記基地局によって通知されたサイクリックプレフィックスＣＰタイプを取得するようにさらに構成され、前記ＣＰタイプは、少なくとも１つのＣＰタイプに対応する参照信号測定値に基づいて前記基地局によって決定されたＣＰタイプである
請求項４９に記載のＵＥ。
【請求項５１】
前記ＵＥは、
前記基地局に、前記少なくとも１つのサブキャリア間隔に対応する前記参照信号測定値のうちの少なくとも１つを送るように構成された送信機をさらに備える
請求項４９に記載のＵＥ。
【請求項５２】
前記受信機は、前記少なくとも１つのサブキャリア間隔に対応し且つ前記基地局によって送られた参照信号を受信するようにさらに構成される
請求項５１に記載のＵＥ。
【請求項５３】
前記少なくとも１つのサブキャリア間隔中の各サブキャリア間隔に対応する参照信号測定値が、前記基地局によって、各サブキャリア間隔に対応する参照信号を検出することによって取得される
請求項４９に記載のＵＥ。
【請求項５４】
前記ＵＥは、
前記基地局に、前記少なくとも１つのサブキャリア間隔に対応する参照信号を送るように構成された送信機をさらに備える
請求項５３に記載のＵＥ。
【請求項５５】
前記第１のサブキャリア間隔は、チャネルのために使用されるサブキャリア間隔を含み、チャネルのために使用される前記サブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む
請求項４６〜５４のいずれか一項に記載のＵＥ。
【請求項５６】
前記第１のサブキャリア間隔は、第３のサブキャリア間隔と、前記第３のサブキャリア間隔と前記第１のサブキャリア間隔との間の関係とに基づいて前記基地局によって決定されたサブキャリア間隔であり、前記第３のサブキャリア間隔は、第１のチャネルのために使用されるサブキャリア間隔であり、前記第１のサブキャリア間隔が、第２のチャネルのために使用されるサブキャリア間隔であり、前記第１のチャネルと前記第２のチャネルとは、異なるチャネルである
請求項４６に記載のＵＥ。
【請求項５７】
前記第１のチャネルと前記第２のチャネルとは、
同期信号、ブロードキャストチャネル、ランダムアクセスチャネル、制御チャネル、データチャネル、及び参照信号のうちの２つの異なるチャネルである
請求項５６に記載のＵＥ。
【請求項５８】
前記プロセッサは、ブロードキャストチャネル中で搬送され、前記基地局によって送られたシグナリングに基づいて、前記第１のサブキャリア間隔がデータチャネルのために使用される前記パラメータであると決定するように特に構成されるか、又は
前記プロセッサは、ブロードキャストチャネル又はシステム情報中で搬送され、前記基地局によって送られたシグナリングに基づいて、前記第１のサブキャリア間隔が、制御チャネルのために使用される前記パラメータ又はランダムアクセスチャネルのために使用される前記パラメータであると決定するように特に構成されるか、又は
前記プロセッサは、前記基地局によって送られた上位レイヤシグナリングに基づいて、前記第１のサブキャリア間隔が制御チャネル、データチャネル、又は参照信号のために使用される前記パラメータであると決定するように特に構成されるか、又は
前記プロセッサは、制御チャネル中で搬送され、前記基地局によって送られたシグナリングに基づいて、前記第１のサブキャリア間隔がデータチャネルのために使用される前記パラメータ及び／又は参照信号のために使用される前記パラメータであると決定するように特に構成される
請求項５５に記載のＵＥ。
【請求項５９】
前記プロセッサは、前記基地局によって送られた以下の情報、即ち
前記第１のパラメータの値、前記第１のパラメータと前記ＵＥの現在のパラメータとの間の相対関係、前記第１のパラメータと共通参照パラメータとの間の相対関係、及び前記第１のパラメータとプリセットされたチャネルのために使用されるパラメータとの間の相対関係
のうちの少なくとも１つに基づいて前記第１のサブキャリア間隔を決定するように特に構成される
請求項４６〜５８のいずれか一項に記載のＵＥ。
【請求項６０】
前記受信機は、前記基地局によって通知される前記第１のサブキャリア間隔の有効時間及び／又は前記第１のサブキャリア間隔の有効チャネルを取得するようにさらに構成される、
請求項５９に記載のＵＥ。
【発明の詳細な説明】
【技術分野】
【０００１】
この出願は、その全体が参照により本明細書に組み込まれる、２０１６年９月２９日に中国特許庁に出願された「ＰＡＲＡＭＥＴＥＲ  ＤＥＴＥＲＭＩＮＩＮＧ  ＭＥＴＨＯＤ，ＢＡＳＥ  ＳＴＡＴＩＯＮ，ＡＮＤ  ＵＳＥＲ  ＥＱＵＩＰＭＥＮＴ」と題する中国特許出願第２０１６１０８７２５０８．Ｘ号の優先権を主張する。
【０００２】
この出願の実施形態は、通信技術に関し、特に、パラメータ決定方法、基地局、及びユーザ機器に関する。
【背景技術】
【０００３】
５Ｇ技術では、複数のサービス、例えば、拡張モバイルブロードバンド（ｅｎｈａｎｃｅｄ  Ｍｏｂｉｌｅ  Ｂｒｏａｄｂａｎｄ、ｅＭＢＢ）サービス、大規模マシン型通信（ｍａｓｓｉｖｅ  Ｍａｃｈｉｎｅ  Ｔｙｐｅ  Ｃｏｍｍｕｎｉｃａｔｉｏｎ、ｍＭＴＣ）サービス、超高信頼低レイテンシ通信（Ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ、ＵＲＬＬＣ）サービス、及び測位サービスが定義されている。
【０００４】
異なるサービスは、異なるサービス品質（Ｑｕａｌｉｔｙ  ｏｆ  Ｓｅｒｖｉｃｅ、ＱｏＳ）要件を有する。例えば、異なるサービスは、異なるレイテンシ要件及び信頼性要件を有する。従って、異なるサービスは、異なるパラメータに対応する。さらに、５Ｇ技術での物理レイヤチャネルは、制御チャネル、データチャネル、及び参照信号などの複数のチャネルタイプを主に含む。異なるタイプのチャネル上で送信される信号のタイプ及びレイテンシ要件が異なるので、異なるチャネルはまた、異なるサブキャリア間隔に対応する。
【０００５】
結論として、異なるサブキャリア間隔を、同じチャネル上の異なるサービスと同じサービスの異なるチャネルとの両方のために使用する必要がある。従って、１つのＵＥのための通信システム中に複数のサブキャリア間隔が存在してもよく、データ送信のために使用されるサブキャリア間隔をどのように正確に決定するのかが極めて重要である。
【発明の概要】
【０００６】
この出願の実施形態は、マルチサブキャリア間隔システム中のＵＥのために、データ送信のために使用されるサブキャリア間隔を決定するためのパラメータ決定方法、基地局、及びユーザ機器を提供する。
【０００７】
第１の態様によれば、この出願の一実施形態は、パラメータ決定方法であって、
基地局によって、ユーザ機器ＵＥに対応する第１のサブキャリア間隔を決定するステップと、
基地局によって、第１のサブキャリア間隔をＵＥに通知するステップと
を含むパラメータ決定方法を提供する。
【０００８】
任意選択で、基地局によって、ＵＥに対応する第１のサブキャリア間隔を決定するステップの前に、方法は、
基地局によって、ＵＥによって送られたランダムアクセスチャネルを受信するステップであって、ランダムアクセスチャネルが、第２のサブキャリア間隔を使用することによってＵＥによって送られたチャネルである、ステップと、
第２のサブキャリア間隔に基づいて、基地局によって、ＵＥに対応する第１のサブキャリア間隔を決定するステップと
をさらに含む。
【０００９】
任意選択で、基地局によって、ＵＥに対応する第１のサブキャリア間隔を決定するステップの前に、方法は、
基地局によって、ＵＥによって送られた要求を受信するステップであって、要求が、ＵＥによって要求されたサブキャリア間隔に対応する指示情報を含む、ステップと、
ＵＥによって要求されたサブキャリア間隔に対応する指示情報に基づいて、基地局によって、ＵＥに対応する第１のサブキャリア間隔を決定するステップと
をさらに含む。
【００１０】
任意選択で、基地局によって、ＵＥに対応する第１のサブキャリア間隔を決定するステップは、
少なくとも１つのサブキャリア間隔に対応する参照信号測定値に基づいて、基地局によって、ＵＥに対応する第１のサブキャリア間隔を決定するステップを含む。
【００１１】
任意選択で、方法は、
少なくとも１つのサイクリックプレフィックスＣＰタイプに対応する参照信号測定値に基づいて、基地局によって、ＵＥに対応するＣＰタイプを決定するステップと、
基地局によって、ＵＥに対応するＣＰタイプをＵＥに通知するステップと
をさらに含む。
【００１２】
任意選択で、少なくとも１つのサブキャリア間隔に対応する参照信号測定値に基づいて、基地局によって、ＵＥに対応する第１のサブキャリア間隔を決定するステップの前に、方法は、
基地局によって、少なくとも１つのサブキャリア間隔に対応する参照信号測定値のうちの少なくとも１つを受信するステップであって、参照信号測定値のうちの少なくとも１つが、ＵＥによって送られる、ステップをさらに含む。
【００１３】
任意選択で、基地局によって、少なくとも１つのサブキャリア間隔に対応し且つＵＥによって送られた参照信号測定値を受信するステップの前に、方法は、
ＵＥに基地局によって、少なくとも１つのサブキャリア間隔に対応する参照信号を送るステップをさらに含む。
【００１４】
任意選択で、少なくとも１つのサブキャリア間隔に対応する参照信号測定値に基づいて、基地局によって、ＵＥに対応する第１のサブキャリア間隔を決定するステップの前に、方法は、
基地局によって、各サブキャリア間隔に対応する参照信号測定値を取得するために少なくとも１つのサブキャリア中の各サブキャリア間隔に対応する参照信号を検出するステップをさらに含む。
【００１５】
任意選択で、基地局によって、各サブキャリア間隔に対応する参照信号測定値を取得するために各サブキャリア間隔に対応する参照信号を検出するステップの前に、方法は、
基地局によって、各サブキャリア間隔に対応し且つＵＥによって送られた参照信号を受信するステップ
をさらに含む。
【００１６】
任意選択で、第１のサブキャリア間隔が、チャネルのために使用されるサブキャリア間隔を含み、チャネルのために使用されるサブキャリア間隔が、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【００１７】
任意選択で、基地局によって、ＵＥに対応する第１のサブキャリア間隔を決定するステップは、
第３のサブキャリア間隔と、第３のサブキャリア間隔と第１のサブキャリア間隔との間の関係とに基づいて、基地局によって、ＵＥに対応する第１のサブキャリア間隔を決定するステップであって、第３のサブキャリア間隔が、第１のチャネルのために使用されるサブキャリア間隔であり、第１のサブキャリア間隔が、第２のチャネルのために使用されるサブキャリア間隔であり、第１のチャネルと第２のチャネルとが異なるチャネルである、ステップを含む。
【００１８】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【００１９】
任意選択で、基地局によって、第１のサブキャリア間隔をＵＥに通知するステップは、
ブロードキャストチャネル中で搬送されるシグナリングを使用することによって基地局によって、第１のサブキャリア間隔がデータチャネルのために使用されるサブキャリア間隔であることをＵＥに通知するステップ、又は
ブロードキャストチャネル又はシステム情報中で搬送されるシグナリングを使用することによって基地局によって、第１のサブキャリア間隔が、制御チャネルのために使用されるサブキャリア間隔又はランダムアクセスチャネルのために使用されるサブキャリア間隔であることをＵＥに通知するステップ、又は
上位レイヤシグナリングを使用することによって基地局によって、第１のサブキャリア間隔が制御チャネル、データチャネル、又は参照信号のために使用されるサブキャリア間隔であることをＵＥに通知するステップ、又は
制御チャネル中で搬送されるシグナリングを使用することによって基地局によって、第１のサブキャリア間隔がデータチャネルのために使用されるパラメータ及び／又は参照信号のために使用されるサブキャリア間隔であることをＵＥに通知するステップ
を含む。
【００２０】
任意選択で、基地局によって、第１のサブキャリア間隔をＵＥに通知するステップは、
基地局によって、ＵＥに以下の情報、即ち
第１のサブキャリア間隔の値、
第１のサブキャリア間隔とＵＥの現在のサブキャリア間隔との間の相対関係、
第１のサブキャリア間隔と共通参照サブキャリア間隔との間の相対関係、及び
第１のサブキャリア間隔とプリセットされたチャネルのために使用されるサブキャリア間隔との間の相対関係
のうちの少なくとも１つを送ることによって第１のサブキャリア間隔をＵＥに通知するステップを含む。
【００２１】
任意選択で、方法は、
基地局によって、第１のサブキャリア間隔の有効時間及び／又は第１のサブキャリア間隔の有効チャネルをＵＥに通知するステップ
をさらに含む。
【００２２】
第２の態様によれば、この出願の一実施形態は、パラメータ決定方法であって、
ユーザ機器ＵＥによって、基地局によって通知された第１のサブキャリア間隔を取得するステップと、
ＵＥによって、第１のサブキャリア間隔に基づいて基地局とのデータ送信を実行するステップと
を含むパラメータ決定方法をさらに提供する。
【００２３】
任意選択で、ＵＥによって、基地局によって通知された第１のサブキャリア間隔を取得するステップの前に、方法は、
基地局が、第２のサブキャリア間隔に基づいて第１のサブキャリア間隔を決定するように、ＵＥによって、第２のサブキャリア間隔を使用することによって基地局にランダムアクセスチャネルを送るステップ
をさらに含む。
【００２４】
任意選択で、ＵＥによって、基地局によって通知された第１のサブキャリア間隔を取得するステップの前に、方法は、
ＵＥによって、基地局に要求を送るステップであって、要求が、ＵＥによって要求されたサブキャリア間隔に対応する指示情報を含み、また、要求が、ＵＥによって要求されたサブキャリア間隔に対応する指示情報に基づいて第１のサブキャリア間隔を決定するために基地局によって使用される、ステップをさらに含む。
【００２５】
任意選択で、第１のサブキャリア間隔が、少なくとも１つのサブキャリア間隔に対応する参照信号測定値に基づいて基地局によって決定されるサブキャリア間隔である。
【００２６】
任意選択で、方法は、
ＵＥによって、基地局によって通知されたサイクリックプレフィックスＣＰタイプを取得するステップであって、ＣＰタイプが、少なくとも１つのＣＰタイプに対応する参照信号測定値に基づいて基地局によって決定されたＣＰタイプである、ステップ
をさらに含む。
【００２７】
任意選択で、ＵＥによって、基地局によって通知された第１のサブキャリア間隔を取得するステップの前に、方法は、
基地局にＵＥによって、少なくとも１つのサブキャリア間隔に対応する参照信号測定値のうちの少なくとも１つを送るステップをさらに含む。
【００２８】
任意選択で、基地局にＵＥによって、少なくとも１つのサブキャリア間隔に対応する参照信号測定値を送るステップの前に、方法は、
ＵＥによって、少なくとも１つのサブキャリア間隔に対応し且つ基地局によって送られた参照信号を受信するステップをさらに含む。
【００２９】
任意選択で、少なくとも１つのサブキャリア間隔中の各サブキャリア間隔に対応する参照信号測定値が、基地局によって、各サブキャリア間隔に対応する参照信号を検出することによって取得される。
【００３０】
任意選択で、基地局にＵＥによって、少なくとも１つのサブキャリア間隔に対応する参照信号測定値を送るステップの前に、方法は、
基地局にＵＥによって、少なくとも１つのサブキャリア間隔に対応する参照信号を送るステップをさらに含む。
【００３１】
任意選択で、第１のサブキャリア間隔が、チャネルのために使用されるサブキャリア間隔を含み、チャネルのために使用されるサブキャリア間隔が、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【００３２】
任意選択で、第１のサブキャリア間隔が、第３のサブキャリア間隔と、第３のサブキャリア間隔と第１のサブキャリア間隔との間の関係とに基づいて基地局によって決定されたサブキャリア間隔であり、第３のサブキャリア間隔が、第１のチャネルのために使用されるサブキャリア間隔であり、第１のサブキャリア間隔が、第２のチャネルのために使用されるサブキャリア間隔であり、第１のチャネルと第２のチャネルとが異なるチャネルである。
【００３３】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【００３４】
任意選択で、ＵＥによって、基地局によって通知された第１のサブキャリア間隔を取得するステップは、
ブロードキャストチャネル中で搬送され、基地局によって送られたシグナリングに基づいてＵＥによって、第１のサブキャリア間隔がデータチャネルのために使用されるパラメータであると決定するステップ、又は
ブロードキャストチャネル又はシステム情報中で搬送され、基地局によって送られたシグナリングに基づいてＵＥによって、第１のサブキャリア間隔が、制御チャネルのために使用されるパラメータ又はランダムアクセスチャネルのために使用されるパラメータであると決定するステップ、又は
基地局によって送られた上位レイヤシグナリングに基づいてＵＥによって、第１のサブキャリア間隔が制御チャネル、データチャネル、又は参照信号のために使用されるパラメータであると決定するステップ、又は
制御チャネル中で搬送され、基地局によって送られたシグナリングに基づいてＵＥによって、第１のサブキャリア間隔がデータチャネルのために使用されるパラメータ及び／又は参照信号のために使用されるパラメータであると決定するステップ
を含む。
【００３５】
任意選択で、ＵＥによって、基地局によって通知された第１のサブキャリア間隔を取得するステップは、
ＵＥによって、基地局によって送られた以下の情報、即ち
第１のパラメータの値、第１のパラメータとＵＥの現在のパラメータとの間の相対関係、第１のパラメータと共通参照パラメータとの間の相対関係、及び第１のパラメータとプリセットされたチャネルのために使用されるパラメータとの間の相対関係
のうちの少なくとも１つに基づいて第１のサブキャリア間隔を決定するステップを含む。
【００３６】
任意選択で、方法は、
ＵＥによって、基地局によって通知される第１のサブキャリア間隔の有効時間及び／又は第１のサブキャリア間隔の有効チャネルを取得するステップをさらに含む。
【００３７】
第３の態様によれば、この出願の一実施形態は、信号送信方法であって、
基地局によって、同期信号周波数ラスタを決定するステップと、
基地局によって、同期信号周波数ラスタと、同期信号周波数ラスタと同期信号を送るために使用されることができる周波数領域位置との間の関係とに基づいて同期信号周波数領域位置のセットを決定するステップであって、同期信号周波数領域位置のセットは、同期信号を送るための周波数領域位置のセット又は同期信号を送るために使用されることができる周波数領域位置のセットである、ステップと、
基地局によって、同期信号周波数領域位置のセットに基づいて同期信号周波数領域位置を決定し、ユーザ機器に同期信号を送るステップと
を含む信号送信方法をさらに提供する。
【００３８】
任意選択で、基地局によって、同期信号周波数ラスタを決定するステップは、
基地局によって、同期信号サブキャリア間隔及び／又は同期信号キャリア周波数に基づいて同期信号周波数ラスタを決定するステップであって、同期信号サブキャリア間隔が、同期信号を送信するために使用され得るサブキャリア間隔又は現在の送信周波数帯域上で使用されるサブキャリア間隔を含む、ステップを含む。
【００３９】
任意選択で、同期信号は、少なくとも１つの同期信号を含む同期信号のグループであり、基地局によって、同期信号サブキャリア間隔に基づいて同期信号周波数ラスタを決定するステップは、
基地局によって、同期信号のサブキャリア間隔に基づいて各同期信号の周波数ラスタを独立して決定するステップ、又は
基地局によって、同期信号のグループ中の１つの同期信号のサブキャリア間隔に基づいて同期信号のグループ中の全ての同期信号の周波数ラスタを決定するステップを含む。
【００４０】
任意選択で、同期信号周波数と同期信号周波数ラスタの周波数との間の周波数差の最小値は、予め定義された決定値である。
【００４１】
任意選択で、基地局によって、同期信号周波数ラスタと、同期信号周波数ラスタと同期信号を送るために使用されることができる周波数領域位置との間の関係とに基づいて同期信号周波数領域位置のセットを決定するステップは、
基地局によって、同期信号帯域幅に基づいて同期信号周波数領域位置のセットを決定するステップを含む。
【００４２】
任意選択で、基地局によって、同期信号周波数ラスタと、同期信号周波数ラスタと同期信号を送るために使用されることができる周波数領域位置との間の関係とに基づいて同期信号周波数領域位置のセットを決定するステップは、
基地局によって、同期信号が位置する送信周波数帯域の中心周波数、最高周波数、又は最低周波数に基づいて同期信号周波数領域位置のセットを決定するステップを含む。
【００４３】
任意選択で、基地局によって、同期信号周波数領域位置のセットに基づいて同期信号周波数領域位置を決定し、ユーザ機器に同期信号を送るステップの前に、方法は、
ユーザ機器が候補同期信号位置のセット又は同期信号周波数ラスタを決定するように、基地局によって、別の送信周波数帯域上で設定情報を送るステップであって、設定情報は、同期信号が位置する動作周波数帯域上に同期信号周波数領域位置のセットを構成するために使用される、ステップ、又は
ユーザ機器が候補同期信号位置のセット又は同期信号周波数ラスタを決定するように、基地局によって、別の基地局を使用することによってユーザ機器に設定情報を送るステップであって、設定情報は、同期信号を送る基地局の動作周波数帯域上に候補同期信号位置のセット又は同期信号周波数ラスタを構成するために使用され、別の基地局は、同期信号  を送る基地局以外の基地局である、ステップをさらに含む。
【００４４】
第４の態様によれば、この出願は、信号送信方法であって、
ユーザ機器によって、同期信号周波数ラスタを決定するステップと、
ユーザ機器によって、同期信号周波数ラスタと、同期信号周波数ラスタと同期信号を送るために使用されることができる周波数領域位置との間の関係とに基づいて同期信号周波数領域位置のセットを決定するステップであって、同期信号周波数領域位置のセットは、同期信号を送るための周波数領域位置のセット又は同期信号を送るために使用されることができる周波数領域位置のセットである、ステップと、
ユーザ機器によって、同期信号周波数領域位置のセットに基づいて同期信号を検出するステップと
を含む信号送信方法をさらに提供する。
【００４５】
任意選択で、ユーザ機器によって、同期信号周波数ラスタを決定するステップは、
ユーザ機器によって、同期信号サブキャリア間隔及び／又は同期信号キャリア周波数に基づいて同期信号周波数ラスタを決定するステップであって、同期信号サブキャリア間隔が、同期信号を送信するために使用され得るサブキャリア間隔又は現在の送信周波数帯域上で使用されるサブキャリア間隔を含む、ステップを含む。
【００４６】
任意選択で、同期信号は、少なくとも１つの同期信号を含む同期信号のグループであり、ユーザ機器によって、同期信号サブキャリア間隔に基づいて同期信号周波数ラスタを決定するステップは、
ユーザ機器によって、同期信号のサブキャリア間隔に基づいて各同期信号の周波数ラスタを独立して決定するステップ、又は
ユーザ機器によって、同期信号のグループ中の１つの同期信号のサブキャリア間隔に基づいて同期信号のグループ中の全ての同期信号の周波数ラスタを決定するステップを含む。
【００４７】
任意選択で、同期信号周波数と同期信号周波数ラスタの周波数との間の周波数差の最小値は、予め定義された決定値である。
【００４８】
任意選択で、ユーザ機器によって、同期信号周波数ラスタと、同期信号周波数ラスタと同期信号を送るために使用されることができる周波数領域位置との間の関係とに基づいて同期信号周波数領域位置のセットを決定するステップは、
ユーザ機器によって、同期信号帯域幅に基づいて同期信号周波数領域位置のセットを決定するステップを含む。
【００４９】
任意選択で、ユーザ機器によって、同期信号周波数ラスタと、同期信号周波数ラスタと同期信号を送るために使用されることができる周波数領域位置との間の関係とに基づいて同期信号周波数領域位置のセットを決定するステップは、
ユーザ機器によって、同期信号が位置する送信周波数帯域の中心周波数、最高周波数、又は最低周波数に基づいて同期信号周波数領域位置のセットを決定するステップを含む。
【００５０】
任意選択で、ユーザ機器によって、同期信号周波数領域位置のセットに基づいて同期信号を検出するステップの前に、方法は、
ユーザ機器によって、候補同期信号位置のセット又は同期信号周波数ラスタを決定するために別の送信周波数帯域上で設定情報を受信するステップであって、設定情報は、同期信号が位置する動作周波数帯域上に同期信号周波数領域位置のセットを構成するために使用される、ステップ、又は
ユーザ機器によって、候補同期信号位置のセット又は同期信号周波数ラスタを決定するために別の基地局から設定情報を受信するステップであって、設定情報は、同期信号を送る基地局の動作周波数帯域上に候補同期信号位置のセット又は同期信号周波数ラスタを構成するために使用され、別の基地局は、同期信号を送る基地局以外の基地局である、ステップ
をさらに含む。
【００５１】
第５の態様によれば、この出願は、パラメータ決定装置であって、
ユーザ機器ＵＥに対応する第１のサブキャリア間隔を決定するように構成された決定モジュールと、
第１のサブキャリア間隔をＵＥに通知するように構成された送信モジュールと
を含むパラメータ決定装置をさらに提供する。
【００５２】
任意選択で、装置は、
ＵＥによって送られたランダムアクセスチャネルを受信するように構成された第１の受信モジュールであって、ランダムアクセスチャネルが、第２のサブキャリア間隔を使用することによってＵＥによって送られたチャネルである、第１の受信モジュールをさらに含み、
決定モジュールは、第２のサブキャリア間隔に基づいて、ＵＥに対応する第１のサブキャリア間隔を決定するようにさらに構成される。
【００５３】
任意選択で、装置は、
ＵＥによって送られた要求を受信するように構成された第２の受信モジュールであって、要求が、ＵＥによって要求されたサブキャリア間隔に対応する指示情報を含む、第２の受信モジュールをさらに含み、
決定モジュールは、ＵＥによって要求されたサブキャリア間隔に対応する指示情報に基づいて、ＵＥに対応する第１のサブキャリア間隔を決定するようにさらに構成される。
【００５４】
任意選択で、決定モジュールは、少なくとも１つのサブキャリア間隔に対応する参照信号測定値に基づいて、ＵＥに対応する第１のサブキャリア間隔を決定するように特に構成される。
【００５５】
任意選択で、決定モジュールは、少なくとも１つのサイクリックプレフィックスＣＰタイプに対応する参照信号測定値に基づいて、ＵＥに対応するＣＰタイプを決定するようにさらに構成され、
送信モジュールは、ＵＥに対応するＣＰタイプをＵＥに通知するようにさらに構成される。
【００５６】
任意選択で、装置は、
少なくとも１つのサブキャリア間隔に対応する参照信号測定値のうちの少なくとも１つを受信するように構成された第３の受信モジュールであって、参照信号測定値のうちの少なくとも１つが、ＵＥによって送られる、第３の受信モジュールをさらに含む。
【００５７】
任意選択で、送信モジュールは、ＵＥに、少なくとも１つのサブキャリア間隔に対応する参照信号を送るようにさらに構成される。
【００５８】
任意選択で、装置は、
各サブキャリア間隔に対応する参照信号測定値を取得するために少なくとも１つのサブキャリア間隔中の各サブキャリア間隔に対応する参照信号を検出するように構成された検出モジュールをさらに含む。
【００５９】
任意選択で、装置は、
各サブキャリア間隔に対応し且つＵＥによって送られた参照信号を受信するように構成された第４の受信モジュールをさらに含む。
【００６０】
任意選択で、第１のサブキャリア間隔が、チャネルのために使用されるサブキャリア間隔を含み、チャネルのために使用されるサブキャリア間隔が、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【００６１】
任意選択で、決定モジュールは、第３のサブキャリア間隔と、第３のサブキャリア間隔と第１のサブキャリア間隔との間の関係とに基づいて、ＵＥに対応する第１のサブキャリア間隔を決定するようにされに構成され、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとは、異なるチャネルである。
【００６２】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【００６３】
任意選択で、送信モジュールは、ブロードキャストチャネル中で搬送されるシグナリングを使用することによって、第１のサブキャリア間隔がデータチャネルのために使用されるサブキャリア間隔であることをＵＥに通知するようにさらに構成されるか、又は
送信モジュールは、ブロードキャストチャネル又はシステム情報中で搬送されるシグナリングを使用することによって、第１のサブキャリア間隔が、制御チャネルのために使用されるサブキャリア間隔又はランダムアクセスチャネルのために使用されるサブキャリア間隔であることをＵＥに通知するようにさらに構成されるか、又は
送信モジュールは、上位レイヤシグナリングを使用することによって、第１のサブキャリア間隔が制御チャネル、データチャネル、又は参照信号のために使用されるサブキャリア間隔であることをＵＥに通知するようにさらに構成されるか、又は
送信モジュールは、制御チャネル中で搬送されるシグナリングを使用することによって、第１のサブキャリア間隔がデータチャネルのために使用されるパラメータ及び／又は参照信号のために使用されるサブキャリア間隔であることをＵＥに通知するようにさらに構成される。
【００６４】
任意選択で、送信モジュールは、ＵＥに以下の情報、即ち
第１のサブキャリア間隔の値、
第１のサブキャリア間隔とＵＥの現在のサブキャリア間隔との間の相対関係、
第１のサブキャリア間隔と共通参照サブキャリア間隔との間の相対関係、及び
第１のサブキャリア間隔とプリセットされたチャネルのために使用されるサブキャリア間隔との間の相対関係
のうちの少なくとも１つを送ることによって第１のサブキャリア間隔をＵＥに通知するようにさらに構成される。
【００６５】
任意選択で、送信モジュールは、第１のサブキャリア間隔の有効時間及び／又は第１のサブキャリア間隔の有効チャネルをＵＥに通知するようにさらに構成される。
【００６６】
第６の態様によれば、この出願の一実施形態は、パラメータ決定装置であって、
基地局によって通知された第１のサブキャリア間隔を取得するように構成された受信モジュールと、
第１のサブキャリア間隔に基づいて基地局とのデータ送信を実行するように構成された送信モジュールと
を含むパラメータ決定装置をさらに提供する。
【００６７】
任意選択で、装置は、
基地局が、第２のサブキャリア間隔に基づいて第１のサブキャリア間隔を決定するように、第２のサブキャリア間隔を使用することによって基地局にランダムアクセスチャネルを送るように構成された第１の送信モジュールをさらに含む。
【００６８】
任意選択で、装置は、
基地局に要求を送るように構成された第２の送信モジュールをさらに含み、要求は、ＵＥによって要求されたサブキャリア間隔に対応する指示情報を含み、また、要求は、ＵＥによって要求されたサブキャリア間隔に対応する指示情報に基づいて第１のサブキャリア間隔を決定するために基地局によって使用される。
【００６９】
任意選択で、第１のサブキャリア間隔が、少なくとも１つのサブキャリア間隔に対応する参照信号測定値に基づいて基地局によって決定されるサブキャリア間隔である。
【００７０】
任意選択で、受信モジュールは、基地局によって通知されたサイクリックプレフィックスＣＰタイプを取得するようにさらに構成され、ＣＰタイプは、少なくとも１つのＣＰタイプに対応する参照信号測定値に基づいて基地局によって決定されたＣＰタイプである。
【００７１】
任意選択で、装置は、
基地局に、少なくとも１つのサブキャリア間隔に対応する参照信号測定値のうちの少なくとも１つを送るように構成された第３の送信モジュールをさらに含む。
【００７２】
任意選択で、受信モジュールは、少なくとも１つのサブキャリア間隔に対応し且つ基地局によって送られた参照信号を受信するようにさらに構成される。
【００７３】
任意選択で、少なくとも１つのサブキャリア間隔中の各サブキャリア間隔に対応する参照信号測定値が、基地局によって、各サブキャリア間隔に対応する参照信号を検出することによって取得される。
【００７４】
任意選択で、装置は、
基地局に、少なくとも１つのサブキャリア間隔に対応する参照信号を送るように構成された第４の送信モジュールをさらに含む。
【００７５】
任意選択で、第１のサブキャリア間隔が、チャネルのために使用されるサブキャリア間隔を含み、チャネルのために使用されるサブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【００７６】
任意選択で、第１のサブキャリア間隔は、第３のサブキャリア間隔と、第３のサブキャリア間隔と第１のサブキャリア間隔との間の関係とに基づいて基地局によって決定されたサブキャリア間隔であり、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとは、異なるチャネルである。
【００７７】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【００７８】
任意選択で、受信モジュールは、ブロードキャストチャネル中で搬送され、基地局によって送られたシグナリングに基づいて、第１のサブキャリア間隔がデータチャネルのために使用されるパラメータであると決定するように特に構成されるか、又は
受信モジュールは、ブロードキャストチャネル又はシステム情報中で搬送され、基地局によって送られたシグナリングに基づいて、第１のサブキャリア間隔が、制御チャネルのために使用されるパラメータ又はランダムアクセスチャネルのために使用されるパラメータであると決定するように特に構成されるか、又は
受信モジュールは、基地局によって送られた上位レイヤシグナリングに基づいて、第１のサブキャリア間隔が制御チャネル、データチャネル、又は参照信号のために使用されるパラメータであると決定するように特に構成されるか、又は
受信モジュールは、制御チャネル中で搬送され、基地局によって送られたシグナリングに基づいて、第１のサブキャリア間隔がデータチャネルのために使用されるパラメータ及び／又は参照信号のために使用されるパラメータであると決定するように特に構成される。
【００７９】
任意選択で、受信モジュールは、基地局によって送られた以下の情報、即ち
第１のパラメータの値、第１のパラメータとＵＥの現在のパラメータとの間の相対関係、第１のパラメータと共通参照パラメータとの間の相対関係、及び第１のパラメータとプリセットされたチャネルのために使用されるパラメータとの間の相対関係
のうちの少なくとも１つに基づいて、第１のサブキャリア間隔を決定するようにさらに構成される。
【００８０】
任意選択で、受信モジュールは、基地局によって通知される第１のサブキャリア間隔の有効時間及び／又は第１のサブキャリア間隔の有効チャネルを取得するようにさらに構成される。
【００８１】
第７の態様によれば、この出願の一実施形態は、信号送信装置であって、
同期信号周波数ラスタを決定することと、同期信号周波数ラスタと、同期信号周波数ラスタと同期信号を送るために使用されることができる周波数領域位置との間の関係とに基づいて同期信号周波数領域位置のセットを決定することであって、同期信号周波数領域位置のセットは、同期信号を送るための周波数領域位置のセット又は同期信号を送るために使用されることができる周波数領域位置のセットである、ことと、同期信号周波数領域位置のセットに基づいて同期信号周波数領域位置を決定することとを行うように構成された決定モジュールと、
ユーザ機器に同期信号を送るように構成された送信モジュールと
を含む信号送信装置をさらに提供する。
【００８２】
任意選択で、決定モジュールは、同期信号サブキャリア間隔及び／又は同期信号キャリア周波数に基づいて同期信号周波数ラスタを決定するように特に構成され、同期信号サブキャリア間隔は、同期信号を送信するために使用され得るサブキャリア間隔又は現在の送信周波数帯域上で使用されるサブキャリア間隔を含む。
【００８３】
任意選択で、同期信号は、少なくとも１つの同期信号を含む同期信号のグループであり、決定モジュールは、同期信号のサブキャリア間隔に基づいて各同期信号の周波数ラスタを独立して決定するように特に構成されるか、又は
決定モジュールは、同期信号のグループ中の１つの同期信号のサブキャリア間隔に基づいて同期信号のグループ中の全ての同期信号の周波数ラスタを決定するように特に構成される。
【００８４】
任意選択で、同期信号周波数と同期信号周波数ラスタの周波数との間の周波数差の最小値は、予め定義された決定値である。
【００８５】
任意選択で、決定モジュールは、同期信号帯域幅に基づいて同期信号周波数領域位置のセットを決定するように特に構成される。
【００８６】
任意選択で、決定モジュールは、同期信号が位置する送信周波数帯域の中心周波数、最高周波数、又は最低周波数に基づいて同期信号周波数領域位置のセットを決定するように特に構成される。
【００８７】
任意選択で、送信モジュールは、ユーザ機器が候補同期信号位置のセット又は同期信号周波数ラスタを決定するように、別の送信周波数帯域上で設定情報を送ることであって、設定情報は、同期信号が位置する動作周波数帯域上に同期信号周波数領域位置のセットを構成するために使用される、ことを行うようにさらに構成されるか、又は
送信モジュールは、ユーザ機器が候補同期信号位置のセット又は同期信号周波数ラスタを決定するように、別の基地局を使用することによってユーザ機器に設定情報を送ることであって、設定情報は、同期信号を送る基地局の動作周波数帯域上に候補同期信号位置のセット又は同期信号周波数ラスタを構成するために使用され、別の基地局は、同期信号を送る基地局以外の基地局である、ことを行うようにさらに構成される。
【００８８】
第８の態様によれば、この出願は、信号送信装置であって、
同期信号周波数ラスタを決定することと、同期信号周波数ラスタと、同期信号周波数ラスタと同期信号を送るために使用されることができる周波数領域位置との間の関係とに基づいて同期信号周波数領域位置のセットを決定することであって、同期信号周波数領域位置のセットは、同期信号を送るための周波数領域位置のセット又は同期信号を送るために使用されることができる周波数領域位置のセットである、こととを行うように構成された決定モジュールと、
同期信号周波数領域位置のセットに基づいて同期信号を検出するように構成された受信モジュールと
を含む信号送信装置をさらに提供する。
【００８９】
任意選択で、決定モジュールは、同期信号サブキャリア間隔及び／又は同期信号キャリア周波数に基づいて同期信号周波数ラスタを決定するように特に構成され、同期信号サブキャリア間隔が、同期信号を送信するために使用され得るサブキャリア間隔又は現在の送信周波数帯域上で使用されるサブキャリア間隔を含む。
【００９０】
任意選択で、同期信号は、少なくとも１つの同期信号を含む同期信号のグループであり、決定モジュールは、同期信号のサブキャリア間隔に基づいて各同期信号の周波数ラスタを独立して決定するように特に構成されるか、又は
決定モジュールは、同期信号のグループ中の１つの同期信号のサブキャリア間隔に基づいて同期信号のグループ中の全ての同期信号の周波数ラスタを決定するように特に構成される。
【００９１】
任意選択で、同期信号周波数と同期信号周波数ラスタの周波数との間の周波数差の最小値は、予め定義された決定値である。
【００９２】
任意選択で、決定モジュールは、同期信号帯域幅に基づいて同期信号周波数領域位置のセットを決定するように特に構成される。
【００９３】
任意選択で、決定モジュールは、同期信号が位置する送信周波数帯域の中心周波数、最高周波数、又は最低周波数に基づいて同期信号周波数領域位置のセットを決定するように特に構成される。
【００９４】
任意選択で、受信モジュールは、候補同期信号位置のセット又は同期信号周波数ラスタを決定するために別の送信周波数帯域上で設定情報を受信することであって、設定情報は、同期信号が位置する動作周波数帯域上に同期信号周波数領域位置のセットを構成するために使用される、ことを行うようにさらに構成されるか、又は
受信モジュールは、候補同期信号位置のセット又は同期信号周波数ラスタを決定するために別の基地局から設定情報を受信することであって、設定情報は、同期信号を送る基地局の動作周波数帯域上に候補同期信号位置のセット又は同期信号周波数ラスタを構成するために使用され、別の基地局は、同期信号を送る基地局以外の基地局である、ことを行うようにさらに構成される。
【００９５】
第９の態様によれば、この出願の一実施形態は、プロセッサと送信機とを含む基地局であって、プロセッサが送信機に接続され、
プロセッサは、ユーザ機器ＵＥに対応する第１のサブキャリア間隔を決定するように構成され、
送信機は、第１のサブキャリア間隔をＵＥに通知するように構成される、
基地局をさらに提供する。
【００９６】
任意選択で、基地局は、
ＵＥによって送られたランダムアクセスチャネルを受信するように構成された受信機であって、ランダムアクセスチャネルが、第２のサブキャリア間隔を使用することによってＵＥによって送られたチャネルである、受信機をさらに含み、
プロセッサは、第２のサブキャリア間隔に基づいて、ＵＥに対応する第１のサブキャリア間隔を決定するようにさらに構成される。
【００９７】
任意選択で、基地局は、
ＵＥによって送られた要求を受信するように構成された受信機であって、要求が、ＵＥによって要求されたサブキャリア間隔に対応する指示情報を含む、受信機をさらに含み、
プロセッサは、ＵＥによって要求されたサブキャリア間隔に対応する指示情報に基づいて、ＵＥに対応する第１のサブキャリア間隔を決定するようにさらに構成される。
【００９８】
任意選択で、プロセッサは、少なくとも１つのサブキャリア間隔に対応する参照信号測定値に基づいて、ＵＥに対応する第１のサブキャリア間隔を決定するようにさらに構成される。
【００９９】
任意選択で、プロセッサは、少なくとも１つのサイクリックプレフィックスＣＰタイプに対応する参照信号測定値に基づいて、ＵＥに対応するＣＰタイプを決定するようにさらに構成され、
送信機は、ＵＥに対応するＣＰタイプをＵＥに通知するようにさらに構成される。
【０１００】
任意選択で、基地局は、
少なくとも１つのサブキャリア間隔に対応する参照信号測定値のうちの少なくとも１つを受信するように構成された受信機であって、参照信号測定値のうちの少なくとも１つが、ＵＥによって送られる、受信機をさらに含む。
【０１０１】
任意選択で、送信機は、ＵＥに、少なくとも１つのサブキャリア間隔に対応する参照信号を送るようにさらに構成される。
【０１０２】
任意選択で、プロセッサは、各サブキャリア間隔に対応する参照信号測定値を取得するために少なくとも１つのサブキャリア間隔中の各サブキャリア間隔に対応する参照信号を検出するようにさらに構成される。
【０１０３】
任意選択で、基地局は、
各サブキャリア間隔に対応し且つＵＥによって送られた参照信号を受信するように構成された受信機をさらに含む。
【０１０４】
任意選択で、第１のサブキャリア間隔は、チャネルのために使用されるサブキャリア間隔を含み、チャネルのために使用されるサブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【０１０５】
任意選択で、プロセッサは、第３のサブキャリア間隔と、第３のサブキャリア間隔と第１のサブキャリア間隔との間の関係とに基づいて、ＵＥに対応する第１のサブキャリア間隔を決定するように特に構成され、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとは、異なるチャネルである。
【０１０６】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【０１０７】
任意選択で、送信機は、ブロードキャストチャネル中で搬送されるシグナリングを使用することによって、第１のサブキャリア間隔がデータチャネルのために使用されるサブキャリア間隔であることをＵＥに通知するように特に構成されるか、又は
送信機は、ブロードキャストチャネル又はシステム情報中で搬送されるシグナリングを使用することによって、第１のサブキャリア間隔が、制御チャネルのために使用されるサブキャリア間隔又はランダムアクセスチャネルのために使用されるサブキャリア間隔であることをＵＥに通知するように特に構成されるか、又は
送信機は、上位レイヤシグナリングを使用することによって、第１のサブキャリア間隔が制御チャネル、データチャネル、又は参照信号のために使用されるサブキャリア間隔であることをＵＥに通知するように特に構成されるか、又は
送信機は、制御チャネル中で搬送されるシグナリングを使用することによって、第１のサブキャリア間隔がデータチャネルのために使用されるパラメータ及び／又は参照信号のために使用されるサブキャリア間隔であることをＵＥに通知するように特に構成される。
【０１０８】
任意選択で、送信機は、ＵＥに以下の情報、即ち
第１のサブキャリア間隔の値、
第１のサブキャリア間隔とＵＥの現在のサブキャリア間隔との間の相対関係、
第１のサブキャリア間隔と共通参照サブキャリア間隔との間の相対関係、及び
第１のサブキャリア間隔とプリセットされたチャネルのために使用されるサブキャリア  間隔との間の相対関係
のうちの少なくとも１つを送ることによって第１のサブキャリア間隔をＵＥに通知するように特に構成される。
【０１０９】
任意選択で、送信機は、第１のサブキャリア間隔の有効時間及び／又は第１のサブキャリア間隔の有効チャネルをＵＥに通知するようにさらに構成される。
【０１１０】
第１０の態様によれば、この出願の一実施形態は、受信機とプロセッサとを含むＵＥであって、受信機がプロセッサに接続され、
受信機は、基地局によって通知された第１のサブキャリア間隔を取得するように構成され、
プロセッサは、第１のサブキャリア間隔に基づいて基地局とのデータ送信を実行するように構成される、ＵＥをさらに提供する。
【０１１１】
任意選択で、ＵＥは、
基地局が、第２のサブキャリア間隔に基づいて第１のサブキャリア間隔を決定するように、第２のサブキャリア間隔を使用することによって基地局にランダムアクセスチャネルを送るように構成された送信機をさらに含む。
【０１１２】
任意選択で、ＵＥは、
基地局に要求を送るように構成された送信機をさらに含み、要求は、ＵＥによって要求されたサブキャリア間隔に対応する指示情報を含み、また、要求は、ＵＥによって要求されたサブキャリア間隔に対応する指示情報に基づいて第１のサブキャリア間隔を決定するために基地局によって使用される。
【０１１３】
任意選択で、第１のサブキャリア間隔が、少なくとも１つのサブキャリア間隔に対応する参照信号測定値に基づいて基地局によって決定されるサブキャリア間隔である。
【０１１４】
任意選択で、受信機は、基地局によって通知されたサイクリックプレフィックスＣＰタイプを取得するようにさらに構成され、ＣＰタイプは、少なくとも１つのＣＰタイプに対応する参照信号測定値に基づいて基地局によって決定されたＣＰタイプである。
【０１１５】
任意選択で、ＵＥは、
基地局に、少なくとも１つのサブキャリア間隔に対応する参照信号測定値のうちの少なくとも１つを送るように構成された送信機をさらに含む。
【０１１６】
任意選択で、受信機は、少なくとも１つのサブキャリア間隔に対応し且つ基地局によって送られた参照信号を受信するようにさらに構成される。
【０１１７】
任意選択で、少なくとも１つのサブキャリア間隔中の各サブキャリア間隔に対応する参照信号測定値が、基地局によって、各サブキャリア間隔に対応する参照信号を検出することによって取得される。
【０１１８】
任意選択で、ＵＥは、
基地局に、少なくとも１つのサブキャリア間隔に対応する参照信号を送るように構成された送信機をさらに含む。
【０１１９】
任意選択で、第１のサブキャリア間隔は、チャネルのために使用されるサブキャリア間隔を含み、チャネルのために使用されるサブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【０１２０】
任意選択で、第１のサブキャリア間隔は、第３のサブキャリア間隔と、第３のサブキャリア間隔と第１のサブキャリア間隔との間の関係とに基づいて基地局によって決定されたサブキャリア間隔であり、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとは、異なるチャネルである。
【０１２１】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【０１２２】
任意選択で、プロセッサは、ブロードキャストチャネル中で搬送され、基地局によって送られたシグナリングに基づいて、第１のサブキャリア間隔がデータチャネルのために使用されるパラメータであると決定するようにさらに構成されるか、又は
プロセッサは、ブロードキャストチャネル又はシステム情報中で搬送され、基地局によって送られたシグナリングに基づいて、第１のサブキャリア間隔が、制御チャネルのために使用されるパラメータ又はランダムアクセスチャネルのために使用されるパラメータであると決定するようにさらに構成されるか、又は
プロセッサは、基地局によって送られた上位レイヤシグナリングに基づいて、第１のサブキャリア間隔が制御チャネル、データチャネル、又は参照信号のために使用されるパラメータであると決定するようにさらに構成されるか、又は
プロセッサは、制御チャネル中で搬送され、基地局によって送られたシグナリングに基づいて、第１のサブキャリア間隔がデータチャネルのために使用されるパラメータ及び／又は参照信号のために使用されるパラメータであると決定するようにさらに構成される。
【０１２３】
任意選択で、プロセッサは、基地局によって送られた以下の情報、即ち
第１のパラメータの値、第１のパラメータとＵＥの現在のパラメータとの間の相対関係、第１のパラメータと共通参照パラメータとの間の相対関係、及び第１のパラメータとプリセットされたチャネルのために使用されるパラメータとの間の相対関係
のうちの少なくとも１つに基づいて第１のサブキャリア間隔を決定するようにさらに構成される。
【０１２４】
任意選択で、受信機は、基地局によって通知される第１のサブキャリア間隔の有効時間及び／又は第１のサブキャリア間隔の有効チャネルを取得するようにさらに構成される。
【０１２５】
第１１の態様によれば、この出願の一実施形態は、プロセッサと送信機とを含む基地局であって、プロセッサが送信機に接続され、
プロセッサは、同期信号周波数ラスタを決定することと、同期信号周波数ラスタと、同  期信号周波数ラスタと同期信号を送るために使用されることができる周波数領域位置との間の関係とに基づいて同期信号周波数領域位置のセットを決定することであって、同期信号周波数領域位置のセットは、同期信号を送るための周波数領域位置のセット又は同期信号を送るために使用されることができる周波数領域位置のセットである、ことと、同期信号周波数領域位置のセットに基づいて同期信号周波数領域位置を決定することとを行うように構成され、
送信機は、同期信号周波数領域位置においてユーザ機器に同期信号を送るように構成される、
基地局をさらに提供する。
【０１２６】
任意選択で、プロセッサは、同期信号サブキャリア間隔及び／又は同期信号キャリア周波数に基づいて同期信号周波数ラスタを決定するように特に構成され、同期信号サブキャリア間隔は、同期信号を送信するために使用され得るサブキャリア間隔又は現在の送信周波数帯域上で使用されるサブキャリア間隔を含む。
【０１２７】
任意選択で、同期信号は、少なくとも１つの同期信号を含む同期信号のグループであり、
プロセッサは、同期信号のサブキャリア間隔に基づいて各同期信号の周波数ラスタを独立して決定するように特に構成されるか、又は
プロセッサは、同期信号のグループ中の１つの同期信号のサブキャリア間隔に基づいて同期信号のグループ中の全ての同期信号の周波数ラスタを決定するように特に構成される。
【０１２８】
任意選択で、同期信号周波数と同期信号周波数ラスタの周波数との間の周波数差の最小値は、予め定義された決定値である。
【０１２９】
任意選択で、プロセッサは、同期信号帯域幅に基づいて同期信号周波数領域位置のセットを決定するように特に構成される。
【０１３０】
任意選択で、プロセッサは、同期信号が位置する送信周波数帯域の中心周波数、最高周波数、又は最低周波数に基づいて同期信号周波数領域位置のセットを決定するように特に構成される。
【０１３１】
任意選択で、基地局は、
ユーザ機器が候補同期信号位置のセット又は同期信号周波数ラスタを決定するように、別の送信周波数帯域上で設定情報を送るように構成された受信機であって、設定情報は、同期信号が位置する動作周波数帯域上に同期信号周波数領域位置のセットを構成するために使用される、受信機、又は
ユーザ機器が候補同期信号位置のセット又は同期信号周波数ラスタを決定するように、別の基地局を使用することによってユーザ機器に設定情報を送るように構成された受信機であって、設定情報は、同期信号を送る基地局の動作周波数帯域上に候補同期信号位置のセット又は同期信号周波数ラスタを構成するために使用され、別の基地局は、同期信号を送る基地局以外の基地局である、受信機
をさらに含む。
【０１３２】
第１２の態様によれば、この出願は、プロセッサと受信機とを含むユーザ機器であって、プロセッサが受信機に接続され、
プロセッサは、同期信号周波数ラスタを決定することと、同期信号周波数ラスタと、同期信号周波数ラスタと同期信号を送るために使用されることができる周波数領域位置との間の関係とに基づいて同期信号周波数領域位置のセットを決定することであって、同期信号周波数領域位置のセットは、同期信号を送るための周波数領域位置のセット又は同期信号を送るために使用されることができる周波数領域位置のセットである、こととを行うように構成され、
受信機は、同期信号周波数領域位置のセットに基づいて同期信号を検出するように構成される
ユーザ機器をさらに提供する。
【０１３３】
任意選択で、プロセッサは、同期信号サブキャリア間隔及び／又は同期信号キャリア周波数に基づいて同期信号周波数ラスタを決定するように特に構成され、同期信号サブキャリア間隔が、同期信号を送信するために使用され得るサブキャリア間隔又は現在の送信周波数帯域上で使用されるサブキャリア間隔を含む。
【０１３４】
任意選択で、同期信号は、少なくとも１つの同期信号を含む同期信号のグループであり、プロセッサは、同期信号のサブキャリア間隔に基づいて各同期信号の周波数ラスタを独立して決定するように特に構成されるか、又は
プロセッサは、同期信号のグループ中の１つの同期信号のサブキャリア間隔に基づいて同期信号のグループ中の全ての同期信号の周波数ラスタを決定するように特に構成される。
【０１３５】
任意選択で、同期信号周波数と同期信号周波数ラスタの周波数との間の周波数差の最小値は、予め定義された決定値である。
【０１３６】
任意選択で、プロセッサは、同期信号帯域幅に基づいて同期信号周波数領域位置のセットを決定するように特に構成される。
【０１３７】
任意選択で、プロセッサは、同期信号が位置する送信周波数帯域の中心周波数、最高周波数、又は最低周波数に基づいて同期信号周波数領域位置のセットを決定するように特に構成される。
【０１３８】
任意選択で、受信機は、候補同期信号位置のセット又は同期信号周波数ラスタを決定するために別の送信周波数帯域上で設定情報を受信することであって、設定情報は、同期信号が位置する動作周波数帯域上に同期信号周波数領域位置のセットを構成するために使用される、ことを行うようにさらに構成されるか、又は
受信機は、候補同期信号位置のセット又は同期信号周波数ラスタを決定するために別の基地局から設定情報を受信することであって、設定情報は、同期信号を送る基地局の動作周波数帯域上に候補同期信号位置のセット又は同期信号周波数ラスタを構成するために使用され、別の基地局は、同期信号を送る基地局以外の基地局である、ことを行うように構成される。
【０１３９】
この出願の実施形態におけるパラメータ決定方法、基地局、及びユーザ機器によれば、基地局は、ＵＥに対応する第１のサブキャリア間隔を決定し、第１のサブキャリア間隔をＵＥに通知し、従って、第１のサブキャリア間隔を取得した後に、ＵＥは、第１のサブキャリア間隔に基づいて基地局とのデータ送信を実行することができる。方法では、ＵＥは、マルチサブキャリア間隔システム中で、データ送信のために使用されるサブキャリア間隔について正確に知り、次いで、データ送信を実行し得る。これは、ＵＥが対応するサービスを実行し、それによって、対応するサービス要件を満たすことを効果的に保証することができる。
【図面の簡単な説明】
【０１４０】
【図１】この出願の実施形態１による、パラメータ決定方法のフローチャートである。
【図２】この出願の実施形態２による、パラメータ決定方法のフローチャートである。
【図３】この出願の実施形態２による、別のパラメータ決定方法のフローチャートである。
【図４】この出願の実施形態２による、別のパラメータ決定方法のフローチャートである。
【図５】この出願の実施形態２による、別のパラメータ決定方法のフローチャートである。
【図６】この出願の実施形態３による、信号送信方法のフローチャートである。
【図７】この出願の実施形態４による、信号送信方法のフローチャートである。
【図８】この出願の実施形態５による、パラメータ決定装置の概略構造図である。
【図９】この出願の実施形態６による、パラメータ決定装置の概略構造図である。
【図１０】この出願の実施形態７による、信号送信装置の概略構造図である。
【図１１】この出願の実施形態８による、信号送信装置の概略構造図である。
【図１２】この出願の実施形態９による基地局の概略構造図である。
【図１３】この出願の実施形態１０による、ＵＥの概略構造図である。
【図１４】この出願の実施形態１１による、基地局の概略構造図である。
【図１５】この出願の実施形態１２によるＵＥの概略構造図である。
【発明を実施するための形態】
【０１４１】
この出願の実施形態における方法は、ワイヤレス通信システムに適用可能であり、通信システムは、基地局と端末とを含む。基地局（例えば、アクセスポイント又は送受信ポイント）は、アクセスネットワーク中にあり、１つ又は複数のセクタを使用することによってエアインターフェースを介してワイヤレス端末と通信するデバイスであり得る。基地局は、さらに、エアインターフェースの属性管理を協調させてもよく、例えば、基地局は、ロングタームエボリューション（Ｌｏｎｇ  Ｔｅｒｍ  Ｅｖｏｌｕｔｉｏｎ、ＬＴＥ）中の発展型ノードＢ（ｅｖｏｌｕｔｉｏｎａｌ  ＮｏｄｅＢ、ｅＮＢ又はｅノードＢ）であり得る。この出願の実施形態における基地局は、基地局であり得るか、又はリレーデバイスであり得るか、又は基地局機能を有する別のネットワーク要素デバイスであり得ることに留意されたい。この出願にいかなる限定も課されない。端末は、ワイヤレス端末又はワイヤード端末であり得る。ワイヤレス端末は、ユーザにボイス及び／又はデータ接続性を与えるデバイス、ワイヤレス接続機能をもつハンドヘルドデバイス、又はワイヤレスモデムに接続された別の処理デバイスであり得る。ワイヤレス端末は、無線アクセスネットワーク（Ｒａｄｉｏ  Ａｃｃｅｓｓ  Ｎｅｔｗｏｒｋ、ＲＡＮ）を使用することによって１つ又は複数のコアネットワークと通信し得る。ワイヤレス端末は、モバイルフォンなどの（又は「セルラー」フォンと呼ばれる）モバイル端末又はモバイル端末をもつコンピュータであり得る。例えば、ワイヤレス端末は、無線アクセスネットワークとボイス及び／又はデータを交換するポータブルの、ポケットサイズの、ハンドヘルドの、コンピュータ内蔵の、又は車載のモバイル装置、例えば、パーソナル通信サービス（Ｐｅｒｓｏｎａｌ  Ｃｏｍｍｕｎｉｃａｔｉｏｎ  Ｓｅｒｖｉｃｅ、ＰＣＳ）フォン、コードレスフォン、セッション開始プロトコル（Ｓｅｓｓｉｏｎ  Ｉｎｉｔｉａｔｉｏｎ  Ｐｒｏｔｏｃｏｌ、ＳＩＰ）フォン、ワイヤレスローカルループ（Ｗｉｒｅｌｅｓｓ  Ｌｏｃａｌ  Ｌｏｏｐ、ＷＬＬ）局、又は携帯情報端末（Ｐｅｒｓｏｎａｌ  Ｄｉｇｉｔａｌ  Ａｓｓｉｓｔａｎｔ、ＰＤＡ）であり得る。ワイヤレス端末は、システム、加入者ユニット（Ｓｕｂｓｃｒｉｂｅｒ  Ｕｎｉｔ、ＳＵ）、加入者局（Ｓｕｂｓｃｒｉｂｅｒ  Ｓｔａｔｉｏｎ、ＳＳ）、移動局（Ｍｏｂｉｌｅ  Ｓｔａｔｉｏｎ、ＭＢ）、モバイルコンソール（Ｍｏｂｉｌｅ）、遠隔局（Ｒｅｍｏｔｅ  Ｓｔａｔｉｏｎ、ＲＳ）、アクセスポイント（Ａｃｃｅｓｓ  Ｐｏｉｎｔ、ＡＰ）、リモート端末（Ｒｅｍｏｔｅ  Ｔｅｒｍｉｎａｌ、ＲＴ）、アクセス端末（Ａｃｃｅｓｓ  Ｔｅｒｍｉｎａｌ、ＡＴ）、ユーザ端末（Ｕｓｅｒ  Ｔｅｒｍｉｎａｌ、ＵＴ）、ユーザエージェント（Ｕｓｅｒ  Ａｇｅｎｔ、ＵＡ）、ユーザデバイス（Ｕｓｅｒ  Ｄｅｖｉｃｅ、ＵＤ）、又はユーザ機器（Ｕｓｅｒ  Ｅｑｕｉｐｍｅｎｔ、ＵＥ）と呼ばれることもある。
【０１４２】
この出願の実施形態における「少なくとも２つの」が「２つ」又は「３つ以上」を意味することを理解されよう。
【０１４３】
既存のロングタームエボリューション（Ｌｏｎｇ  Ｔｅｒｍ  Ｅｖｏｌｕｔｉｏｎ、ＬＴＥ）通信システムでは、異なるタイプのサービス、同じタイプのサービスのものであるアップリンクサービス及びダウンリンクサービス、ならびに同じタイプのサービスの異なるチャネルに対して、主に、１５ｋＨｚなどの固定されたサブキャリア間隔を使用してデータ送信が実行される。言い換えれば、現在のＬＴＥシステムでは、ＵＥによって使用される必要があるサブキャリア間隔は、実際に、ＵＥ側で事前構成される。
【０１４４】
しかしながら、５Ｇ技術における異なるタイプのサービス要件、異なるチャネル送信要件などを満たすために、複数のサブキャリア間隔は、５Ｇ通信システムにおいて、異なるサービスタイプ及び／又は異なるチャネルなどに別々に対応する必要がある。通信システムに複数のサブキャリア間隔があるとき、ＵＥの現在のデータ送信において必要とされるサブキャリア間隔が不確定なので、ＵＥの現在のデータ送信要件を満たすために、ＵＥについて現在のデータ送信において必要とされるサブキャリア間隔を決定する必要がある。
【０１４５】
この出願の以下の実施形態におけるパラメータ決定方法及び装置、基地局、ならびにユーザ機器は、通信システム中に複数のサブキャリア間隔などの複数のパラメータがあるとき、ＵＥが対応するサービスを正確に実装することができるように、ＵＥについて、ＵＥによって現在必要とされるサブキャリア間隔を正確に決定することを目的とする。
【０１４６】
以下は、この出願における技術的解決策及び上記の技術的問題がこの出願における技術的解決策でどのように解決されるのかについて詳細に説明するために特定の実施形態を使用する。以下の特定の実施形態は、互いに組み合わされてもよく、同じ又は同様の概念又は処理について、いくつかの実施形態では繰り返し説明しないことがある。
【０１４７】
この出願で説明する参照信号は、参照チャネル、パイロットチャネル、又はパイロット信号と呼ばれることもあり、同期信号は、同期チャネルと呼ばれることもあることに留意されたい。
【０１４８】
図１は、この出願の実施形態１による、パラメータ決定方法のフローチャートである。パラメータ決定方法は、基地局とＵＥとの間の対話を通して実行され得る。図１に示すように、この実施形態におけるパラメータ決定方法は、以下のステップを含み得る。
【０１４９】
Ｓ１０１．基地局は、ＵＥに対応する第１のサブキャリア間隔を決定する。
【０１５０】
詳細には、基地局は、プリセットされたサブキャリア間隔決定ルールに従って、ＵＥに対応する第１のサブキャリア間隔を決定し得るか、又はＵＥによって現在使用されているサブキャリア間隔に基づいて、ＵＥに対応する第１のサブキャリア間隔を決定し得るか、又はＵＥによって要求されたサブキャリア間隔の指示情報に基づいて、ＵＥに対応する第１のサブキャリア間隔を決定し得るか、又は少なくとも１つのサブキャリア間隔に対応する参照信号を測定することによって、ＵＥに対応する第１のサブキャリア間隔を決定し得るか、又は別の知られているサブキャリア間隔に基づいて、ＵＥに対応する第１のサブキャリア間隔を決定し得る。方法における基地局は、さらに、別の方式で、ＵＥに対応する第１のサブキャリア間隔を決定し得ることに留意されたい。
【０１５１】
第１のサブキャリア間隔は、参照サブキャリア間隔であってもよく、参照サブキャリア間隔は、共通レベルの参照サブキャリア間隔及び／又はＵＥレベルの参照サブキャリア間隔を含み得る。
【０１５２】
代替として、第１のサブキャリア間隔は、チャネルのために使用されるサブキャリア間隔であってもよく、チャネルのために使用されるサブキャリア間隔は、共通チャネルのために使用されるサブキャリア間隔及び／又はＵＥレベルのチャネルのために使用されるサブキャリア間隔を含み得る。
【０１５３】
Ｓ１０２．基地局は、第１のサブキャリア間隔をＵＥに通知する。
【０１５４】
基地局は、シグナリングを使用することによって第１のサブキャリア間隔をＵＥに通知し得るか、又は別の方式で第１のサブキャリア間隔をＵＥに通知し得る。基地局は、第１のサブキャリア間隔の特定のパラメータ値をＵＥに通知し得るか、又は第１のサブキャリア間隔と別のパラメータとの間の対応をＵＥに通知し得る。言い換えれば、基地局は、第１のサブキャリア間隔をＵＥに明示的に通知し得るか、又は第１のサブキャリア間隔をＵＥに暗黙的に通知し得る。もちろん、基地局は、別の方式で第１のサブキャリア間隔をＵＥに通知し得る。この出願にいかなる限定も課されない。
【０１５５】
基地局は、第１のサブキャリア間隔をＵＥに通知するために、シグナリングの情報ビットに第１のサブキャリアの値又は指示情報を追加し、ＵＥにシグナリングを送り得る。
【０１５６】
シグナリングは、例えば、以下のもの、即ち
ランダムアクセス応答、
ランダムアクセス手順中のメッセージ４、
無線リソース制御（Ｒａｄｉｏ  Ｒｅｓｏｕｒｃｅ  Ｃｏｎｔｒｏｌ、ＲＲＣ）シグナリング、
媒体アクセス制御制御要素（Ｍｅｄｉｕｍ  Ａｃｃｅｓｓ  Ｃｏｎｔｒｏｌ  Ｃｏｎｔｒｏｌ  Ｅｌｅｍｅｎｔ、ＭＡＣ  ＣＥ）、及び
物理ダウンリンク制御チャネル
のうちの少なくとも１つを含み得る。
【０１５７】
Ｓ１０３．ＵＥは、第１のサブキャリア間隔に基づいて基地局とのデータ送信を実行する。
【０１５８】
詳細には、データの送信処理中に、基地局は、第１のサブキャリア間隔に基づいてデータのベースバンド信号を生成する。
【０１５９】
代替として、ＵＥは、第１のサブキャリア間隔に基づいて、第１のサブキャリア間隔に対応するサブフレーム長を決定し、サブフレーム長に基づいてデータ送信の時間単位を決定し、時間単位に基づいて基地局とのデータ送信を実行し得る。時間単位は、送信時間間隔と呼ばれることがあり、送信時間間隔は、少なくとも１つのサブフレーム、スロット、及びミニスロットの長さであり得る。１つのサブフレームは、いくつかのスロット又はミニスロットを含む。
【０１６０】
例えば、第１のサブキャリア間隔は、１５ｋＨｚ＊２＾ｎであってもよく、ここで、ｎは、−２から６までの任意の整数である。例えば、ＵＥは、第１のサブキャリア間隔に基づいて第１のサブキャリア間隔のｎの値を決定し、次いで、ｎの値に基づいて式１／（２＾ｎ）ｍｓを使用することによって、第１のサブキャリア間隔に対応するサブフレーム長を決定し得る。
【０１６１】
任意選択で、例えば、ＵＥが第１のサブキャリア間隔に基づいて基地局とのデータ送信を実行するＳ１０３は、以下を含み得る。
【０１６２】
ＵＥは、第１のサブキャリア間隔に基づいて基地局にチャネルを送り、基地局は、第１のサブキャリア間隔に基づいて、ＵＥによって送られたチャネルを受信するか、又は
基地局は、第１のサブキャリア間隔に基づいてＵＥにチャネルを送り、ＵＥは、第１のサブキャリア間隔に基づいて、基地局によって送られたチャネルを受信する。
【０１６３】
この出願の実施形態１において提供されるパラメータ決定方法では、基地局は、ＵＥに対応する第１のサブキャリア間隔を決定し、第１のサブキャリア間隔をＵＥに通知し、従って、第１のサブキャリア間隔を取得した後に、ＵＥは、第１のサブキャリア間隔に基づいて基地局とのデータ送信を実行することができる。方法では、ＵＥは、マルチサブキャリア間隔システム中で、データ送信のために使用されるサブキャリア間隔について正確に知り、次いで、データ送信を実行し得る。これは、ＵＥが対応するサービスを実行し、それによって、対応するサービス要件を満たすことを効果的に保証することができる。
【０１６４】
任意選択で、基地局がＵＥに対応する第１のサブキャリア間隔を決定するＳ１０１は、以下を含み得る。
【０１６５】
基地局は、ＵＥが動作するキャリア周波数に基づいて、ＵＥに対応する第１のサブキャリア間隔としてキャリア周波数に対応するサブキャリア間隔を決定する。
【０１６６】
詳細には、例えば、基地局は、キャリア周波数と、キャリア周波数とサブキャリア間隔との間のプリセットされた対応とに基づいて、ＵＥに対応する第１のサブキャリア間隔としてキャリア周波数に対応するサブキャリア間隔を決定し得る。キャリア周波数とサブキャリア間隔との間のプリセットされた対応は、テーブル又はデータベースの形態で基地局側に記憶され得る。
【０１６７】
例えば、キャリア周波数とサブキャリア間隔との間のプリセットされた対応を、以下の表１に示し得る。
【０１６８】
【表１】
2019533365.tif 000003
【０１６９】
表１を参照すると、キャリア周波数が６ＧＨｚを下回る場合、方法では、基地局は、キャリア周波数に基づいて、第１のサブキャリア間隔が１５ｋＨｚ、３０ｋＨｚ、又は６０ｋＨｚであると決定し得る。キャリア周波数が３０ＧＨｚである場合、方法では、基地局は、キャリア周波数に基づいて、第１のサブキャリア間隔が６０ｋＨｚ、１２０ｋＨｚ、又は２４０ｋＨｚであると決定し得る。
【０１７０】
任意選択で、方法では、基地局は、キャリア周波数に基づいて、ＵＥに対応するサイクリックプレフィックス（Ｃｙｃｌｉｃ  Ｐｒｅｆｉｘ、ＣＰ）タイプとしてキャリア周波数に対応するＣＰタイプをさらに決定し得る。
【０１７１】
詳細には、例えば、基地局は、キャリア周波数と、キャリア周波数とＣＰタイプとの間のプリセットされた対応とに基づいて、ＵＥに対応するＣＰタイプとしてキャリア周波数に対応するＣＰタイプを決定し得る。キャリア周波数とＣＰタイプとの間のプリセットされた対応は、テーブル又はデータベースの形態で基地局側に記憶され得る。
【０１７２】
例えば、キャリア周波数とＣＰタイプとの間のプリセットされた対応を、以下の表２に示し得る。
【０１７３】
【表２】
2019533365.tif 000004
【０１７４】
表２を参照すると、キャリア周波数が６ＧＨｚを下回る場合、方法では、基地局は、キャリア周波数に基づいて、ＵＥに対応するＣＰタイプがノーマルサイクリックプレフィックス（Ｎｏｒｍａｌ  Ｃｙｃｌｉｃ  Ｐｒｅｆｉｘ、ＮＣＰ）であると決定し得る。キャリア周波数が３０ＧＨｚである場合、方法では、基地局は、キャリア周波数に基づいて、ＵＥに対応するＣＰタイプがＮＣＰ又は拡張サイクリックプレフィックス（Ｅｘｔｅｎｄｅｄ  Ｃｙｃｌｉｃ  Ｐｒｅｆｉｘ、ＥＣＰ）であると決定し得る。
【０１７５】
代替として、基地局がＵＥに対応する第１のサブキャリア間隔を決定するＳ１０１は、以下を含み得る。
【０１７６】
基地局は、ＵＥのタイプに基づいて、ＵＥに対応する第１のサブキャリア間隔としてＵＥのタイプに対応するサブキャリア間隔を決定する。
【０１７７】
詳細には、基地局は、ユーザによってサポートされるサービスタイプに基づいて異なるＵＥタイプを定義し得る。例えば、基地局は、ＵＥのタイプと、ＵＥタイプとサブキャリア間隔との間のプリセットされた対応とに基づいて、ＵＥに対応する第１のサブキャリア間隔としてＵＥのタイプに対応するサブキャリア間隔を決定し得る。ＵＥタイプとサブキャリア間隔との間のプリセットされた対応は、テーブル又はデータベースの形態で基地局側に記憶され得る。
【０１７８】
例えば、ＵＥタイプとサブキャリア間隔との間のプリセットされた対応を、以下の表３に示し得る。
【０１７９】
【表３】
2019533365.tif 000005
【０１８０】
表３を参照すると、ＵＥのタイプがタイプ１であり、ＵＥが、ｅＭＢＢサービスをサポートし得る場合、方法では、基地局は、ＵＥのタイプに基づいて、ＵＥに対応する第１のサブキャリア間隔が７．５ｋＨｚ、１５ｋＨｚ、３０ｋＨｚ、又は６０ｋＨｚのいずれか１つであると決定し得る。ＵＥのタイプがタイプ２であり、ＵＥが、ＵＲＬＬＣサービスをサポートし得る場合、方法では、基地局は、ＵＥのタイプに基づいて、ＵＥに対応する第１のサブキャリア間隔が１５ｋＨｚ、３０ｋＨｚ、又は６０ｋＨｚのいずれか１つであると決定し得る。ＵＥのタイプがタイプ３であり、ＵＥが、ｍＭＴＣサービスをサポートし得る場合、方法では、基地局は、ＵＥのタイプに基づいて、ＵＥに対応する第１のサブキャリア間隔が３．７５ｋＨｚ、７．５ｋＨｚ、又は１５ｋＨｚのいずれか１つであると決定し得る。ＵＥのタイプがタイプ４であり、ＵＥが、ｅＭＢＢサービスとＵＲＬＬＣサービスとをサポートし得る場合、方法では、基地局は、ＵＥのタイプに基づいて、ＵＥに対応する第１のサブキャリア間隔が７．５ｋＨｚ、１５ｋＨｚ、３０ｋＨｚ、又は６０ｋＨｚのいずれか１つであると決定し得る。
【０１８１】
任意選択で、基地局は、ユーザが動作するキャリア周波数に基づいて異なるＵＥタイプを定義し得る。例えば、基地局は、ＵＥのタイプと、ＵＥタイプとサブキャリア間隔との間のプリセットされた対応とに基づいて、ＵＥに対応する第１のサブキャリア間隔としてＵＥのタイプに対応するサブキャリア間隔を決定し得る。ＵＥタイプとサブキャリア間隔との間のプリセットされた対応は、テーブル又はデータベースの形態で基地局側に記憶され得る。
【０１８２】
【表４】
2019533365.tif 000006
【０１８３】
表４を参照すると、ＵＥのタイプがタイプ１であり、ＵＥが動作するキャリア周波数が６ＧＨｚを下回る場合、基地局は、ＵＥに対応する第１のサブキャリア間隔が１５ｋＨｚ、３０ｋＨｚ、又は６０ｋＨｚであると決定する。ＵＥのタイプがタイプ２であり、ＵＥが動作するキャリア周波数が約３０ＧＨｚである場合、基地局は、ＵＥに対応する第１のサブキャリア間隔が６０ｋＨｚ、１２０ｋＨｚ、又は２４０ｋＨｚのであると決定する。ＵＥのタイプがタイプ３であり、ＵＥが動作するキャリア周波数が約７０ＧＨｚである場合、基地局は、ＵＥに対応する第１のサブキャリア間隔が２４０ｋＨｚ又は４８０ｋＨｚであると決定する。
【０１８４】
任意選択で、方法では、基地局は、ＵＥのタイプに基づいて、ＵＥに対応するＣＰタイプとしてＵＥのタイプに対応するＣＰタイプをさらに決定し得る。
【０１８５】
詳細には、例えば、基地局は、ＵＥのタイプと、ＵＥタイプとＣＰタイプとの間のプリセットされた対応とに基づいて、ＵＥに対応するＣＰタイプとしてＵＥのタイプに対応するＣＰタイプを決定し得る。ＵＥタイプとＣＰタイプとの間のプリセットされた対応は、テーブル又はデータベースの形態で基地局側に記憶され得る。
【０１８６】
例えば、ＵＥタイプとＣＰタイプとの間のプリセットされた対応を、以下の表５に示し得る。
【０１８７】
【表５】
2019533365.tif 000007
【０１８８】
表５を参照すると、ＵＥのタイプがタイプ１であるのか、タイプ２であるのか、タイプ３であるのか、又はタイプ４であるのかにかかわらず、ＵＥに対応するＣＰタイプは、ＮＣＰ又はＥＣＰであり得る。
【０１８９】
代替として、基地局がＵＥに対応する第１のサブキャリア間隔を決定するＳ１０１は、以下を含み得る。
【０１９０】
基地局は、チャネルタイプに基づいて、ＵＥに対応する第１のサブキャリア間隔としてチャネルタイプに対応するサブキャリア間隔を決定する。
【０１９１】
詳細には、基地局は、チャネルタイプと、プリセットされたチャネルタイプに対応するサブキャリア間隔と、チャネルタイプとプリセットされたチャネルタイプに対応するサブキャリア間隔との間の相対関係とに基づいて、ＵＥに対応する第１のサブキャリア間隔を決定し得る。
【０１９２】
例えば、チャネルタイプが制御チャネルであり、プリセットされたチャネルタイプが、例えば、データチャネルであり得る場合、チャネルタイプとプリセットされたチャネルタイプに対応するサブキャリア間隔との間の相対関係は、以下を含み得る。制御チャネルに対応するサブキャリア間隔は、プリセットされたチャネルタイプに対応するサブキャリア間隔と同じであるか、又は制御チャネルに対応するサブキャリア間隔は、プリセットされたチャネルタイプに対応するサブキャリア間隔の２＾ｎ倍などの整数倍であり、ここで、ｎは、−２から６までの任意の整数である。
【０１９３】
チャネルタイプが参照信号であり、プリセットされたチャネルタイプが、例えば、データチャネルであり得る場合、チャネルタイプとプリセットされたチャネルタイプに対応するサブキャリア間隔との間の相対関係は、以下を含み得る。参照信号に対応するサブキャリア間隔は、プリセットされたチャネルタイプに対応するサブキャリア間隔と同じであるか、又は参照信号に対応するサブキャリア間隔は、プリセットされたチャネルタイプに対応するサブキャリア間隔の２＾ｎ倍などの整数倍であり、ここで、ｎは、−２から６までの任意の整数である。
【０１９４】
任意選択で、方法は、以下をさらに含み得る。
【０１９５】
基地局は、チャネル送信モードに基づいて、ＵＥに対応するＣＰタイプとしてチャネル送信モードに対応するＣＰタイプを決定する。
【０１９６】
詳細には、チャネル送信モードが単一の局送信モードである場合、基地局は、送信モードに基づいて、ＵＥに対応するＣＰタイプがＮＣＰであると決定し得るか、又はチャネル送信モードがマルチ局送信モードである場合、基地局は、送信モードに基づいて、ＵＥに対応するＣＰタイプがＥＣＰであると決定し得る。マルチ局送信モードは、複数の局が同じデータを送信する送信モードを含み得る。
【０１９７】
キャリア周波数、ＵＥのタイプ、又はチャネルタイプのうちのいずれか１つに基づいて、ＵＥに対応する第１のサブキャリア間隔を決定する上記の解決策がまたＵＥによって実行され得ることに留意されたい。例えば、ＵＥが、キャリア周波数、ＵＥのタイプ、又はチャネルタイプのうちのいずれか１つに基づいて、ＵＥに対応する第１のサブキャリア間隔を決定する場合、基地局は、第１のサブキャリア間隔をＵＥに通知する必要がない。言い換えれば、基地局とＵＥとは、ＵＥに対応する第１のサブキャリア間隔を決定するために同じサブキャリア間隔決定ルールを使用し得る。このようにして、ＵＥはまた、マルチサブキャリア間隔システム中で、データ送信のために使用されるサブキャリア間隔について正確に知り、次いで、データ送信を実行し得る。これは、ＵＥが対応するサービスを実行し、それによって、対応するサービス要件を満たすことを効果的に保証することができる。上記のサブキャリア間隔決定ルールは、以下の通りであり得る。決定することは、キャリア周波数、ＵＥのタイプ、又はチャネルタイプのうちのいずれか１つに基づいて実行される。
【０１９８】
任意選択で、この出願の実施形態２は、パラメータ決定方法をさらに提供し得る。図２は、この出願の実施形態２による、パラメータ決定方法のフローチャートである。図２に示すように、方法は、上記のパラメータ決定方法に基づく。基地局がＵＥに対応する第１のサブキャリア間隔を決定するＳ１０１の前に、方法は、以下のステップをさらに含み得る。
【０１９９】
Ｓ２０１．基地局は、ＵＥによって送られたランダムアクセスチャネルを受信し、ここで、ランダムアクセスチャネルは、第２のサブキャリア間隔を使用することによってＵＥによって送られたチャネルである。
【０２００】
Ｓ２０２．基地局は、第２のサブキャリア間隔と、第２のサブキャリア間隔とデータチャネル又は参照チャネルに対応するサブキャリア間隔との間のプリセットされた関係とに基づいて、ＵＥに対応する第１のサブキャリア間隔がデータチャネル又は参照信号に対応するサブキャリア間隔であると決定する。
【０２０１】
詳細には、データチャネル／参照信号に対応するサブキャリア間隔は、第２のサブキャリア間隔と同じであるか、又はデータチャネル／参照信号に対応するサブキャリア間隔は、第２のサブキャリア間隔の２＾ｎ倍などの整数倍である。
【０２０２】
代替として、この出願の実施形態２は、パラメータ決定方法をさらに提供し得る。図３は、この出願の実施形態２による、別のパラメータ決定方法のフローチャートである。図３に示すように、方法は、上記のパラメータ決定方法に基づく。基地局がＵＥに対応する第１のサブキャリア間隔を決定するＳ１０１の前に、方法は、以下のステップをさらに含み得る。
【０２０３】
Ｓ３０１．基地局は、ＵＥによって送られた要求を受信し、ここで、要求は、ＵＥによって要求されたサブキャリア間隔に対応する指示情報を含む。
【０２０４】
詳細には、例えば、サブキャリア間隔の切替えを実行する必要があるとＵＥが決定するとき、ＵＥは、基地局に要求を送ってもよく、ＵＥによって要求され、要求中に含まれるサブキャリア間隔は、ＵＥが切り替えることを要求するターゲットサブキャリア間隔である。
【０２０５】
例えば、ＵＥによって要求されたサブキャリア間隔に対応する指示情報は、ＵＥによって要求されたサブキャリア間隔の特定のパラメータ値によって表され得るか、又はＵＥによって要求されたサブキャリア間隔とプリセットされたサブキャリア間隔との間の相対関係によって表され得る。例えば、プリセットされたサブキャリア間隔は、ＵＥの現在の参照サブキャリア間隔、共通参照サブキャリア間隔、又は少なくとも１つのチャネルのために使用されるサブキャリア間隔のうちのいずれか１つである。ＵＥによって要求されたサブキャリア間隔とプリセットされたサブキャリア間隔との間の相対関係は、以下を含み得る。ＵＥによって要求されたサブキャリア間隔は、プリセットされたサブキャリア間隔と同じであるか、又はＵＥによって要求されたサブキャリア間隔は、プリセットされたサブキャリア間隔の２＾ｎ倍などの整数倍であり、ここで、ｎは、−２から６までの任意の整数である。
【０２０６】
例えば、ＵＥによって要求されたサブキャリア間隔に対応する指示情報が、ＵＥによって要求されたサブキャリア間隔の特定のパラメータ値によって表される場合、ＵＥによって要求されたサブキャリア間隔に対応する指示情報は、例えば、３．７５ｋＨｚ、７．５ｋＨｚ、１５ｋＨｚ、３０ｋＨｚ、６０ｋＨｚなど、又は１５ｋＨｚ＊２＾ｎ、又は１５ｋＨｚ＊ｍ或いは１５ｋＨｚ／ｍのうちのいずれか１つであってもよく、ここで、ｎは、−２から６までの任意の整数であり、ｍは、０よりも大きい整数である。ＵＥによって要求されたサブキャリア間隔に対応する指示情報が、ＵＥによって要求されたサブキャリア間隔とプリセットされたサブキャリア間隔との間の相対関係によって表される場合、ＵＥによって要求されたサブキャリア間隔に対応する指示情報は、ｎであってもよく、ここで、ｎは、−２から６までの任意の整数である。
【０２０７】
Ｓ３０２．基地局は、ＵＥによって要求されたサブキャリア間隔に対応する指示情報に基づいて、ＵＥに対応する第１のサブキャリア間隔を決定する。
【０２０８】
詳細には、基地局は、ＵＥによって要求されたサブキャリア間隔に対応する指示情報に基づいて、ＵＥによって要求されたサブキャリア間隔を決定し、ＵＥによって要求されたサブキャリア間隔がＵＥに適用可能であるのかどうかを決定し得る。ＵＥによって要求されたサブキャリア間隔がＵＥに適用可能である場合、基地局は、ＵＥに対応する第１のサブキャリア間隔としてＵＥによって要求されたサブキャリア間隔を決定する。ＵＥによって要求されたサブキャリア間隔がＵＥに適用可能でない場合、基地局は、ＵＥによって要求されたサブキャリア間隔に基づいて、ＵＥに対応する第１のサブキャリア間隔としてサブキャリア間隔を決定し、ここで、プリセットされた差はサブキャリア間隔とＵＥによって要求されたサブキャリア間隔との間に存在する。
【０２０９】
基地局は、ＵＥによって要求されたサブキャリア間隔に対応する指示情報に基づいて、ＵＥに対応する第１のサブキャリア間隔を決定し、従って、ＵＥは、対応するサービス要件を正確に実装し、サービスパフォーマンスを保証するために、第１のサブキャリア間隔について知った後に、サブキャリア間隔の切替えを正確に実行する。
【０２１０】
代替として、この出願の実施形態２は、パラメータ決定方法をさらに提供し得る。図４は、この出願の実施形態２による、別のパラメータ決定方法のフローチャートである。図４に示すように、方法は、上記のパラメータ決定方法に基づく。基地局がＵＥに対応する第１のサブキャリア間隔を決定するＳ１０１は、以下のステップを含む。
【０２１１】
Ｓ４０１．基地局は、少なくとも１つのサブキャリア間隔に対応する参照信号測定値指示に基づいて、ＵＥに対応する第１のサブキャリア間隔を決定する。
【０２１２】
詳細には、基地局は、少なくとも１つのサブキャリア間隔に対応する参照信号測定値指示に基づいて、ＵＥに対応する第１のサブキャリア間隔として少なくとも１つのサブキャリア間隔から１つのサブキャリア間隔を選択し得る。この出願における参照信号測定値指示は、サブキャリア品質表示と呼ばれることもある。
【０２１３】
参照信号測定値指示は、各サブキャリア間隔に対応する参照信号の信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）、参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）などの測定値指示のうちの少なくとも１つを含み得る。各サブキャリア間隔に対応する参照信号測定値指示は、フィルタ処理済みの測定値指示であり得る。代替として、測定値指示は、最大測定値に対応するサブキャリア間隔を示す。
【０２１４】
各サブキャリア間隔に対応する参照信号は、サブキャリア間隔を使用することによって送られた参照信号である。参照信号は、サブキャリア間隔参照信号（Ｒｅｆｅｒｅｎｃｅ  Ｓｉｇｎａｌ、ＲＳ）、チャネル状態情報参照信号（Ｃｈａｎｎｅｌ  Ｓｔａｔｅ  Ｉｎｄｉｃａｔｉｏｎ  Ｒｅｆｅｒｅｎｃｅ  Ｓｉｇｎａｌ、ＣＳＩ−ＲＳ）、復調参照信号（Ｄｅｍｏｄｕｌａｔｉｏｎ  Ｒｅｆｅｒｅｎｃｅ  Ｓｉｇｎａｌ、ＤＭ−ＲＳ）、同期参照信号などのうちの少なくとも１つを含み得る。サブキャリア間隔参照信号はまた、別名を有してもよく、複数のサブキャリア間隔／ＣＰを使用することによって送られる参照信号の測定を通してターゲットサブキャリア間隔／ＣＰに切り替える／それを取得する機能を主に意味する。
【０２１５】
各サブキャリア間隔に対応する参照信号は、サブキャリア間隔を使用することによって送られた参照信号である。参照信号は、マルチパラメータ選択参照信号（Ｒｅｆｅｒｅｎｃｅ  Ｓｉｇｎａｌ、ＲＳ）、チャネル状態情報参照信号（Ｃｈａｎｎｅｌ  Ｓｔａｔｅ  Ｉｎｄｉｃａｔｉｏｎ  Ｒｅｆｅｒｅｎｃｅ  Ｓｉｇｎａｌ、ＣＳＩ−ＲＳ）、復調参照信号（Ｄｅｍｏｄｕｌａｔｉｏｎ  Ｒｅｆｅｒｅｎｃｅ  Ｓｉｇｎａｌ、ＤＭ−ＲＳ）、同期参照信号などのうちの少なくとも１つを含み得る。
【０２１６】
任意選択で、方法は、以下をさらに含み得る。
【０２１７】
基地局は、少なくとも１つのＣＰタイプに対応する参照信号測定値に基づいて、ＵＥに対応するＣＰタイプを決定する。
基地局は、ＵＥに対応するＣＰタイプをＵＥに通知する。
【０２１８】
詳細には、基地局は、少なくとも１つのＣＰタイプに対応する参照信号測定値に基づいて、ＵＥに対応するＣＰタイプとして少なくとも１つのＣＰタイプからＣＰタイプを選択し得る。各ＣＰタイプに対応する参照信号は、ＣＰタイプを使用することによって送られた参照信号である。
【０２１９】
基地局は、第１のサブキャリア間隔をＵＥに通知する上記の方式と同じ又は同様である方式でＵＥに対応するＣＰタイプをＵＥに通知してもよく、詳細は、本明細書で説明しない。
【０２２０】
任意選択で、基地局が、少なくとも１つのサブキャリア間隔に対応する参照信号測定値に基づいて、ＵＥに対応する第１のサブキャリア間隔を決定するＳ４０１の前に、方法は、以下をさらに含み得る。
【０２２１】
Ｓ４０１ａ．基地局は、少なくとも１つのサブキャリア間隔に対応する参照信号測定値指示のものであり、かつＵＥによって送られたものである少なくとも１つのものを受信する。
【０２２２】
言い換えれば、少なくとも１つのサブキャリア間隔に対応する参照信号測定値は、ＵＥによって送られた値のうちの少なくとも１つであってもよく、ＵＥが少なくとも１つのサブキャリア間隔に対応する参照信号を測定した後に取得される。例えば、ＵＥは、最良の品質を示す測定値指示のみを送り、測定値指示は、測定値であり得るか、又は測定値シーケンス中にソートされた対応するサブキャリア間隔を示し得る。
【０２２３】
任意選択で、基地局が、少なくとも１つのサブキャリア間隔に対応し且つＵＥによって送られた参照信号測定値を受信するＳ４０１ａの前に、方法は、以下をさらに含み得る。
【０２２４】
基地局は、第１のトリガ方式をＵＥに通知し、
基地局は、少なくとも１つのサブキャリア間隔に対応し且つ第１のトリガ方式に基づいてＵＥによって送られた参照信号測定値を受信する。
【０２２５】
詳細には、第１のトリガ方式は、例えば、測定値報告期間、測定値報告状態、プリセットされたシグナリングなどのトリガリング方式のうちの少なくとも１つを含み得る。
【０２２６】
測定値報告状態は、以下の状態のうちのいずれか１つを含み得る。測定値が、プリセットされたしきい値を超えるか、ターゲットサブキャリア間隔に対応する測定値と現在のサブキャリア間隔に対応する測定値との間の差がプリセットされたしきい値を超えるか、ターゲットサブキャリア間隔に対応する測定値と現在のサブキャリア間隔に対応する測定値との間の差がプリセットされた範囲内に入るか、現在のチャネルのブロック誤り率（Ｂｌｏｃｋ  Ｅｒｒｏｒ  Ｒａｔｅ、ＢＬＥＲ）がプリセットされたしきい値を超えるか、現在のチャネルのＳＩＮＲがプリセットされたしきい値を超えるか、又は現在のチャネルのＲＳＲＰがプリセットされたしきい値を超える。
【０２２７】
プリセットされたシグナリングは、プリセットされたフラグ（Ｆｌａｇ）情報ビットの値が１などのプリセットされた値であるシグナリングを含み得る。シグナリングは、ランダムアクセス応答、ランダムアクセスプロシージャ中のメッセージ４、ＲＲＣシグナリング、ＭＡＣ  ＣＥ、又は物理ダウンリンク制御チャネルのうちのいずれか１つであり得る。物理ダウンリンク制御チャネルは、ランダムアクセス応答に対応する物理ダウンリンク制御チャネル、ランダムアクセスプロシージャ中のメッセージ４に対応する物理レイヤダウンリンク制御チャネル、ユーザの無線ネットワーク一時識別子（Ｒａｄｉｏ  Ｎｅｔｗｏｒｋ  Ｔｅｍｐｏｒａｒｙ  Ｉｄｅｎｔｉｆｉｅｒ、ＲＮＴＩ）によってスクランブルされた物理ダウンリンク制御チャネル、又はページングＲＮＴＩ、システム情報ＲＮＴＩ、若しくはアクセスＲＮＴＩのうちのいずれか１つなどの共通のＲＮＴＩによってスクランブルされた物理ダウンリンク制御チャネルのうちのいずれか１つであり得る。
【０２２８】
任意選択で、基地局が、少なくとも１つのサブキャリア間隔に対応し且つＵＥによって送られた参照信号測定値を受信するＳ４０１ａの前に、方法は、以下をさらに含み得る。
【０２２９】
Ｓ４０１ｂ．基地局は、ＵＥに、少なくとも１つのサブキャリア間隔に対応する参照信号を送る。
【０２３０】
詳細には、基地局は、少なくとも１つのサブキャリア間隔に対応する参照信号を送るために各サブキャリア間隔を使用することによってＵＥに参照信号を送り得る。
【０２３１】
代替として、この出願の実施形態２は、パラメータ決定方法をさらに提供し得る。図５は、この出願の実施形態２による別のパラメータ決定方法のフローチャートである。図５に示されているように、方法は上記のパラメータ決定方法に基づく。基地局が、ＵＥに対応する第１のサブキャリア間隔を決定するＳ１０１は、以下のステップを含む。
【０２３２】
Ｓ５０１．基地局は、少なくとも１つのサブキャリア間隔に対応する参照信号測定値指示に基づいて、ＵＥに対応する第１のサブキャリア間隔を決定する。
【０２３３】
詳細には、Ｓ５０１の特定の実装処理はＳ４０１のものと同様である。詳細な説明については、上記の説明を参照されたい。詳細について、ここで再び説明されない。
【０２３４】
任意選択で、基地局が、少なくとも１つのサブキャリア間隔に対応する参照信号測定値に基づいて、ＵＥに対応する第１のサブキャリア間隔を決定するＳ５０１の前に、方法は以下をさらに含み得る。
【０２３５】
Ｓ５０１ａ．基地局は、各サブキャリア間隔に対応する参照信号測定値指示を取得するために、各サブキャリア間隔に対応する参照信号を検出する。
【０２３６】
任意選択で、基地局が、各サブキャリア間隔に対応する参照信号測定値指示を取得するために各サブキャリア間隔に対応する参照信号を検出するＳ５０１ａの前に、方法は以下をさらに含む。
【０２３７】
Ｓ５０１ｂ．基地局は、各サブキャリア間隔に対応し且つＵＥによって送られた参照信号を受信する。
【０２３８】
任意選択で、基地局が、各サブキャリア間隔に対応し且つＵＥによって送られた参照信号を受信するＳ５０１ｂの前に、方法は以下をさらに含み得る。
【０２３９】
基地局が第２のトリガリング方式をＵＥに通知し、
基地局は、各サブキャリア間隔に対応し且つ第２のトリガリング方式に基づいてＵＥによって送られた参照信号を受信する。
【０２４０】
詳細には、第２のトリガリング方式は、例えば、参照信号送信期間、参照信号送信条件、プリセットされたシグナリングなどのトリガリング方式のうちの少なくとも１つを含み得る。
【０２４１】
参照信号送信条件は、以下の条件、即ち、現在のチャネルのＢＬＥＲがプリセットされたしきい値を超えること、現在のチャネルのＳＩＮＲがプリセットされたしきい値を超えること、又は現在のチャネルのＲＳＲＰがプリセットされたしきい値を超えることのいずれか１つを含み得る。
【０２４２】
プリセットされたシグナリングは、プリセットされたフラグ情報ビットの値が１などのプリセットされた値であるシグナリングを含み得る。シグナリングは、ランダムアクセス応答、ランダムアクセス手順におけるメッセージ４、ＲＲＣシグナリング、ＭＡＣ  ＣＥシグナリング、又は物理ダウンリンク制御チャネルのうちのいずれか１つであり得る。物理ダウンリンク制御チャネルは、ランダムアクセス応答に対応する物理ダウンリンク制御チャネル、ランダムアクセス手順におけるメッセージ４に対応する物理レイヤダウンリンク制御チャネル、ユーザＲＮＴＩによってスクランブルされた物理ダウンリンク制御チャネル、又はページングＲＮＴＩ、システム情報ＲＮＴＩ、若しくはアクセスＲＮＴＩのうちのいずれか１つなどの共通ＲＮＴＩによってスクランブルされた物理ダウンリンク制御チャネルのうちのいずれか１つであり得る。
【０２４３】
上記のパラメータ決定方法のうちのいずれか１つでは、第１のサブキャリア間隔は、参照サブキャリア間隔又はチャネルのために使用されるサブキャリア間隔である。参照サブキャリア間隔は、共通レベル参照サブキャリア間隔及び／又はＵＥレベル参照サブキャリア間隔を含み得る。
【０２４４】
共通レベル参照サブキャリア間隔は、少なくとも１つの共通チャネル上でデータ送信のために使用されるサブキャリア間隔である。少なくとも１つの共通チャネルは、少なくとも１つのセル中の全てのユーザの共通チャネル、又は少なくとも１つのユーザグループの共通チャネルであり得る。少なくとも１つのセル中の全てのユーザ又は少なくとも１つのユーザグループ中の全てのユーザの共通制御情報などの共通情報は、各共通チャネル上で送信され得る。各ユーザグループは少なくとも１人のユーザを含み得る。共通チャネルは、例えば、同期信号、ブロードキャストチャネル、ランダムアクセスチャネル、共通制御チャネル、又は共通データチャネルのうちのいずれか１つを含み得る。共通制御チャネルは、共通探索空間を探索することによって取得された制御チャネル、又はページングＲＮＴＩ、システム情報ＲＮＴＩ、若しくはアクセスＲＮＴＩのうちのいずれか１つなどの共通ＲＮＴＩによってスクランブルされた制御チャネルであり得る。共通データチャネルは、少なくとも１つのセル又はユーザグループの共通情報を搬送するデータチャネルであり得る。
【０２４５】
ＵＥレベル参照サブキャリア間隔は、ユーザレベルチャネル上でデータ送信のために使用されるサブキャリア間隔である。ユーザについての独立した情報がユーザレベルチャネル上で送信され得る。ユーザレベルチャネル上で送信されるデータは、ユーザレベル参照信号、ユーザレベル制御チャネル、及びユーザレベルデータチャネルを含み得る。ユーザレベル参照信号は、ユーザについての独立した参照情報を送信するために使用されてよく、ユーザレベル制御チャネルは、ユーザについての独立した制御情報を送信するために使用されてよく、ユーザレベルデータチャネルは、ユーザについての独立したデータ情報を送信するために使用されてよい。ＵＥレベル参照サブキャリア間隔は、少なくとも１つのユーザレベルチャネル上でデータ送信のために使用されるサブキャリア間隔を含み得る。言い換えれば、１人のユーザについて、ＵＥレベルサブキャリア間隔を使用する少なくとも１つのユーザレベルチャネルがあってよく、各ユーザレベルチャネルは対応するサブキャリア間隔を有し得る。
【０２４６】
第１のサブキャリア間隔が共通レベル参照サブキャリア間隔である場合、第１のサブキャリア間隔に基づいてＵＥによって決定されるサブフレーム長は、共通レベルサブフレームの長さであり、セルレベルサブフレームの長さと呼ばれることもある。
【０２４７】
第１のサブキャリア間隔がＵＥレベル参照サブキャリア間隔である場合、第１のサブキャリア間隔に基づいてＵＥによって決定されるサブフレーム長は、ＵＥレベルサブフレームの長さである。
【０２４８】
任意選択で、第１のサブキャリア間隔は、チャネルのために使用されるサブキャリア間隔を含み、チャネルのために使用されるサブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【０２４９】
詳細には、制御チャネルは共通制御チャネル及びユーザレベル制御チャネルを含み得る。データチャネルは共通データチャネル及びユーザレベルデータチャネルを含み得る。
【０２５０】
共通制御チャネルは、共通探索空間を探索すること若しくは共通探索空間中で検出を実行することによって取得された制御チャネル、又はページングＲＮＴＩ、システム情報ＲＮＴＩ、若しくはアクセスＲＮＴＩのうちのいずれか１つなどの共通ＲＮＴＩによってスクランブルされた制御チャネルであり得る。共通データチャネルは、共通情報を搬送するデータチャネルであり得る。ユーザレベル制御チャネルは、ユーザレベルスケジューリングシグナリング又はフィードバックシグナリングを搬送する制御チャネルであり得る。ユーザレベルデータチャネルは、ユーザレベル情報を搬送するデータチャネルであり得る。
【０２５１】
代替として、基地局が、ＵＥに対応する第１のサブキャリア間隔を決定するＳ１０１は、以下を含み得る。
【０２５２】
基地局は、第３のサブキャリア間隔と、第３のサブキャリア間隔と第１のサブキャリア間隔との間の関係とに基づいて、ＵＥに対応する第１のサブキャリア間隔を決定し、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとは、異なるチャネルである。
【０２５３】
詳細には、第３のサブキャリア間隔と第１のサブキャリア間隔との間の関係は、第１のチャネルのために使用されるサブキャリア間隔と、第２のチャネルのために使用されるサブキャリア間隔との間の相対関係であり得る。第１のチャネルのために使用されるサブキャリア間隔と、第２のチャネルのために使用されるサブキャリア間隔との間の相対関係は以下を含み得る。第２のチャネルのために使用されるサブキャリア間隔が、第１のチャネルのために使用されるサブキャリア間隔と同じであるか、又は第２のチャネルのために使用されるサブキャリア間隔が、第１のチャネルのために使用されるサブキャリア間隔の２＾ｎ倍などの整数倍であり、ｎが−２から６の任意の整数である。
【０２５４】
例えば、第３のサブキャリア間隔が、同期信号のために使用されるサブキャリア間隔であり、第１のサブキャリア間隔が、ブロードキャストチャネルのために使用されるサブキャリア間隔である場合、ブロードキャストチャネルのために使用されるサブキャリア間隔は、第３のサブキャリア間隔と第１のサブキャリア間隔との間の関係に基づいて決定される。
【０２５５】
第３のサブキャリア間隔が、同期信号／ブロードキャストチャネルのために使用されるサブキャリア間隔であり、第１のサブキャリア間隔が、ランダムアクセスチャネルのために使用されるサブキャリア間隔である場合、アクセスチャネルのために使用されるサブキャリア間隔は、第３のサブキャリア間隔と第１のサブキャリア間隔との間の関係に基づいて決定される。
【０２５６】
第３のサブキャリア間隔が、同期信号／ブロードキャストチャネル／ランダムアクセスチャネルのために使用されるサブキャリア間隔であり、第１のサブキャリア間隔が、共通制御チャネルのために使用されるサブキャリア間隔である場合、共通制御チャネルのために使用されるサブキャリア間隔は、第３のサブキャリア間隔と第１のサブキャリア間隔との間の関係に基づいて決定される。
【０２５７】
第３のサブキャリア間隔が、データチャネルのために使用されるサブキャリア間隔であり、第１のサブキャリア間隔が、参照信号のために使用されるサブキャリア間隔である場合、参照信号のために使用されるサブキャリア間隔は、第３のサブキャリア間隔と第１のサブキャリア間隔との間の関係に基づいて決定される。
【０２５８】
任意選択で、基地局が、ＵＥに対応する第１のサブキャリア間隔を決定するＳ１０１は、以下を含み得る。
【０２５９】
基地局は、第１のチャネルのために使用されるＣＰタイプと、第１のチャネルのために使用されるＣＰタイプと第２のチャネルのために使用されるＣＰタイプとの間の関係とに基づいて、ＵＥに対応するＣＰタイプとして第２のチャネルのために使用されるＣＰタイプを決定する。
【０２６０】
詳細には、第１のチャネルのために使用されるＣＰタイプと、第２のチャネルのために使用されるＣＰタイプとの間の関係は以下の通りであり得る。第２のチャネルのために使用されるＣＰタイプが、第１のチャネルのために使用されるＣＰタイプと同じであるか又はそれとは異なる。例えば、第１のチャネルのために使用されるＣＰタイプがＮＣＰであり、第２のチャネルのために使用されるＣＰタイプが、第１のチャネルのために使用されるＣＰタイプと同じである場合、基地局は、第２のチャネルのために使用されるＣＰタイプがＮＣＰである、言い換えれば、ＵＥに対応するＣＰタイプがＮＣＰであると決定し得る。
【０２６１】
任意選択で、上記のパラメータ決定方法では、第１のチャネルと第２のチャネルとは、同期信号、ブロードキャストチャネル、ランダムアクセスチャネル、制御チャネル、データチャネル、及び参照信号のうちの２つの異なるチャネルである。
【０２６２】
任意選択で、基地局が第１のサブキャリア間隔をＵＥに通知するＳ１０２は以下を含み得る。
【０２６３】
基地局は、ブロードキャストチャネル中で搬送されるシグナリングを使用することによって、第１のサブキャリア間隔がデータチャネルのために使用されるサブキャリア間隔であることをＵＥに通知する。
【０２６４】
詳細には、ＵＥが、ブロードキャストチャネル中で搬送され、基地局によって送られたシグナリングを受信した場合、ＵＥは、第１のサブキャリア間隔がデータチャネルのために使用されるサブキャリア間隔であると決定し得る。
【０２６５】
代替として、基地局が第１のサブキャリア間隔をＵＥに通知するＳ１０２は以下を含み得る。
【０２６６】
基地局は、ブロードキャストチャネル又はシステム情報中で搬送されるシグナリングを使用することによって、第１のサブキャリア間隔が、制御チャネルのために使用されるサブキャリア間隔又はランダムアクセスチャネルのために使用されるサブキャリア間隔であることをＵＥに通知する。
【０２６７】
詳細には、ＵＥが、ブロードキャストチャネル又はシステム情報中で搬送され、基地局によって送られたシグナリングを受信した場合、ＵＥは、第１のサブキャリア間隔が、制御チャネルのために使用されるサブキャリア間隔又はランダムアクセスチャネルのために使用されるサブキャリア間隔であると決定し得る。
【０２６８】
代替として、基地局が第１のサブキャリア間隔をＵＥに通知するＳ１０２は以下を含み得る。
【０２６９】
基地局は、上位レイヤシグナリングを使用することによって、第１のサブキャリア間隔が制御チャネル、データチャネル、又は参照信号のために使用されるサブキャリア間隔であることをＵＥに通知する。
【０２７０】
詳細には、ＵＥが、基地局によって送られた上位レイヤシグナリングを受信した場合、ＵＥは、第１のサブキャリア間隔が、制御チャネル、データチャネル、又は参照信号のために使用されるサブキャリア間隔であると決定し得る。
【０２７１】
代替として、基地局が第１のサブキャリア間隔をＵＥに通知するＳ１０２は以下を含み得る。
【０２７２】
基地局は、制御チャネル中で搬送されるシグナリングを使用することによって、第１のサブキャリア間隔がデータチャネルのために使用されるパラメータ及び／又は参照信号のために使用されるサブキャリア間隔であることをＵＥに通知する。
【０２７３】
詳細には、ＵＥが、制御チャネル中で搬送され、基地局によって送られたシグナリングを受信した場合、ＵＥは、第１のサブキャリア間隔が、データチャネルのために使用されるパラメータ及び／又は参照信号のために使用されるサブキャリア間隔であると決定し得る。
【０２７４】
任意選択で、基地局が第１のサブキャリア間隔をＵＥに通知するＳ１０２は以下を含み得る。
【０２７５】
基地局は、ＵＥに以下の情報、即ち
第１のサブキャリア間隔の値、
第１のサブキャリア間隔とＵＥの現在のサブキャリア間隔との間の相対関係、
第１のサブキャリア間隔と共通参照サブキャリア間隔との間の相対関係、及び
第１のサブキャリア間隔とプリセットされたチャネルのために使用されるサブキャリア間隔との間の相対関係
のうちの少なくとも１つを送ることによって第１のサブキャリア間隔をＵＥに通知する。
【０２７６】
第１のサブキャリア間隔とＵＥの現在のサブキャリア間隔との間の相対関係は以下を含み得る。第１のサブキャリア間隔が、ＵＥの現在のサブキャリア間隔と同じであるか、又は第１のサブキャリア間隔が、ＵＥの現在のサブキャリア間隔の２＾ｎ倍などの整数倍であり、ｎが−２から６の任意の整数である。
【０２７７】
第１のサブキャリア間隔と共通参照サブキャリア間隔との間の相対関係は以下を含み得る。第１のサブキャリア間隔が、共通参照サブキャリア間隔と同じであるか、又は第１のサブキャリア間隔が、共通参照サブキャリア間隔の２＾ｎ倍などの整数倍であり、ｎが−２から６の任意の整数である。
【０２７８】
第１のサブキャリア間隔とプリセットされたチャネルのために使用されるサブキャリア間隔との間の相対関係は以下を含み得る。第１のサブキャリア間隔が、プリセットされたチャネルのために使用されるサブキャリア間隔と同じであるか、又は第１のサブキャリア間隔が、プリセットされたチャネルのために使用されるサブキャリア間隔の２＾ｎ倍などの整数倍であり、ｎが−２から６の任意の整数である。
【０２７９】
任意選択で、方法は以下をさらに含み得る。
【０２８０】
基地局は、第１のサブキャリア間隔の有効時間及び／又は第１のサブキャリア間隔の有効チャネルをＵＥに通知する。
【０２８１】
詳細には、有効時間は、例えば、現在の時間から開始してｘ番目のサブフレーム、現在の時間の後のｘ  ｍｓ後に、現在の時間から開始してｘ番目の送信、又はチャネルｘの送信のうちのいずれか１つを含み得る。有効チャネルは、例えば、データチャネル、制御チャネル、又は参照信号のうちのいずれか１つを含み得る。
【０２８２】
この出願の実施形態２において提供されるパラメータ決定方法では、この出願の方法における複数のシナリオにおいて、ＵＥが、マルチサブキャリア間隔システムにおいて、データ送信のために使用されるサブキャリア間隔を正確に知ることができるように、ＵＥに対応する第１のサブキャリア間隔を決定する複数の実装が提供される。これは、ＵＥが対応するサービスを実行し、それによって、対応するサービス要件を満たすことを効果的に保証することができる。加えて、この実施形態における方法は、ＵＥが第１のサブキャリア間隔を正確に決定することができることを効果的に保証するために、第１のサブキャリア間隔をＵＥに通知する複数の方式をさらに提供する。これは、ＵＥが対応するサービスを実行し、それによって、対応するサービス要件を満たすことを効果的に保証することができる。さらに、方法では、基地局が、第１のサブキャリア間隔の有効時間及び／又は第１のサブキャリア間隔の有効チャネルをＵＥにさらに通知する。従って、ＵＥはサブキャリア間隔使用を効果的に制御することができ、ＵＥが正確なチャネル上で正確な時刻に第１のサブキャリア間隔を正確に使用することが効果的に保証されることができる。これは、ＵＥが対応するサービスを実行し、それによって、対応するサービス要件を満たすことを効果的に保証することができる。
【０２８３】
この出願の実施形態３は信号送信方法を提供する。図６は、この出願の実施形態３による信号送信方法のフローチャートである。図６に示されているように、信号送信方法は以下のステップを含み得る。
【０２８４】
Ｓ６０１．基地局が同期信号周波数ラスタを決定する。
【０２８５】
Ｓ６０２．基地局は、同期信号周波数ラスタと、同期信号周波数ラスタと同期信号を送るために使用されることができる周波数領域位置との間の関係とに基づいて同期信号周波数領域位置のセットを決定する。
【０２８６】
同期信号周波数領域位置のセットは、同期信号を送るための周波数領域位置のセット又は同期信号を送るために使用されることができる周波数領域位置のセットである。
【０２８７】
Ｓ６０３．基地局は、同期信号周波数領域位置のセットに基づいて同期信号周波数領域位置を決定する。
【０２８８】
Ｓ６０４．基地局は、同期信号周波数領域位置においてユーザ機器に同期信号を送る。
【０２８９】
基地局は、候補同期信号周波数又は同期信号周波数を決定し、１つ又は複数の同期信号周波数を選択して同期信号を送る。選択方法は、予め定義された方法、又は候補位置のサブキャリア間隔に基づいて決定することを実行する方式などを含む。
【０２９０】
この出願の実施形態３において提供される信号送信方法では、基地局は、同期信号周波数ラスタを決定し、同期信号周波数ラスタと、同期信号周波数ラスタと同期信号を送るために使用されることができる周波数領域位置との間の関係とに基づいて同期信号周波数領域位置のセットを決定し、同期信号周波数領域位置のセットに基づいて同期信号周波数領域位置を決定し、次いで、同期信号周波数領域位置においてユーザ機器に同期信号を送る。この方法では、ＵＥは、マルチサブキャリア間隔システムにおいて、同期信号検出を実行するための周波数ラスタを正確に知ってもよく、これは同期信号検出の精度を保証する。
【０２９１】
任意選択で、基地局が同期信号周波数ラスタを決定するＳ６０１は以下を含む。
【０２９２】
基地局は、同期信号サブキャリア間隔及び／又は同期信号キャリア周波数に基づいて同期信号周波数ラスタを決定し、同期信号サブキャリア間隔は、同期信号を送信するために使用され得るサブキャリア間隔又は現在の送信周波数帯域上で使用されるサブキャリア間隔を含む。
【０２９３】
詳細には、同期信号を送信するために使用されることができるサブキャリア間隔と、基地局の現在の送信周波数帯域上にあるサブキャリア間隔とが同じである場合、同期信号の周波数ラスタは、チャネルラスタ間隔と、同期信号を送信するために使用されることができるサブキャリア間隔との整数倍である。同期信号を送信するために使用されることができるサブキャリア間隔と、基地局の現在の送信周波数帯域上にあるサブキャリア間隔とが異なる場合、全ての同期信号のラスタ周波数が異なり、各同期信号の周波数ラスタは、チャネルラスタ間隔と、同期信号を送信するために使用されることができるサブキャリア間隔との最小公倍数の整数倍であるか、又は各同期信号の周波数ラスタは、チャネルラスタ間隔と、同期信号を送信するために使用されることができる全てのサブキャリア間隔の最大値との最小公倍数の整数倍である。
【０２９４】
任意選択で、同期信号は、少なくとも１つの同期信号を含む同期信号のグループであり、基地局が同期信号サブキャリア間隔に基づいて同期信号周波数ラスタを決定することは、以下を含む。
【０２９５】
基地局は、同期信号のサブキャリア間隔に基づいて各同期信号の周波数ラスタを独立して決定するか、又は
基地局は、同期信号のグループ中の１つの同期信号のサブキャリア間隔に基づいて同期信号のグループ中の全ての同期信号の周波数ラスタを決定する。
【０２９６】
任意選択で、同期信号周波数と同期信号周波数ラスタの周波数との間の周波数差の最小値は、予め定義された決定された値である。
【０２９７】
詳細には、各同期信号及び少なくとも１つの同期信号周波数ラスタの最高周波数、中心周波数、又は最低周波数の間の周波数差が固定であり、その差がプリセットされ得る。
【０２９８】
任意選択で、基地局が、同期信号周波数ラスタと、同期信号周波数ラスタと同期信号を送るために使用されることができる周波数領域位置との間の関係とに基づいて同期信号周波数領域位置のセットを決定するＳ６０２は、以下を含む。
【０２９９】
基地局は、同期信号帯域幅に基づいて同期信号周波数領域位置のセットを決定する。
【０３００】
異なる同期信号がマッピングされた周波数の間の差は、同期信号のうちの１つによって占有される帯域幅と、同期信号周波数ラスタとのうちの大きいほうの値以上である。代替として、異なる同期信号がマッピングされた周波数の間の差は、異なる同期信号のうちの２つによって占有される帯域幅と同期信号周波数ラスタとの中の最大値以上である。
【０３０１】
任意選択で、基地局が、同期信号周波数ラスタと、同期信号周波数ラスタと同期信号を送るために使用されることができる周波数領域位置との間の関係とに基づいて同期信号周波数領域位置のセットを決定するＳ６０２は、以下を含む。
【０３０２】
基地局は、同期信号が位置する送信周波数帯域の中心周波数、最高周波数、又は最低周波数に基づいて同期信号周波数領域位置のセットを決定する。
【０３０３】
任意選択で、基地局が同期信号周波数領域位置においてユーザ機器に同期信号を送るＳ６０４の前に、方法は以下をさらに含む。
【０３０４】
基地局は、ユーザ機器が候補同期信号位置のセット又は同期信号周波数ラスタを決定するように、別の送信周波数帯域上で設定情報を送る。設定情報は、同期信号が位置する動作周波数帯域上の同期信号周波数領域位置のセットを構成するために使用される。
【０３０５】
詳細には、基地局は、ユーザ又はブロードキャスト情報の上位レイヤシグナリングを使用することによって第２の送信周波数帯域上でユーザ機器に、第１の送信周波数帯域の同期信号のための周波数又は可能な周波数を送る。第１の送信周波数帯域は、３０ＧＨｚ送信周波数帯域及び／又は７０ＧＨｚ送信周波数帯域など、高周波数帯域を含む。第２の送信周波数帯域は、６ＧＨｚ未満の送信周波数帯域など、低周波数帯域を含む。
【０３０６】
任意選択で、基地局が同期信号周波数領域位置においてユーザ機器に同期信号を送るＳ６０４の前に、方法は以下をさらに含む。
【０３０７】
基地局は、ユーザ機器が候補同期信号位置のセット又は同期信号周波数ラスタを決定するように、別の基地局を使用することによってユーザ機器に設定情報を送る。設定情報は、同期信号を送る基地局の動作周波数帯域上の候補同期信号位置のセット又は同期信号周波数ラスタを構成するために使用される。別の基地局は、同期信号を送る基地局以外の基地局である。
【０３０８】
詳細には、別の基地局は、ユーザ又はブロードキャスト情報の上位レイヤシグナリングを使用することによって第２の送信周波数帯域上でユーザ機器に、基地局の第１の送信周波数帯域上にある同期信号位置又は可能な同期信号位置を送り得る。
【０３０９】
この出願の実施形態４は、信号送信方法をさらに提供する。図７は、この出願の実施形態４による信号送信方法のフローチャートである。図７に示されているように、信号送信方法は以下のステップを含み得る。
【０３１０】
Ｓ７０１．ユーザ機器が同期信号周波数ラスタを決定する。
【０３１１】
Ｓ７０２．ユーザ機器が、同期信号周波数ラスタと、同期信号周波数ラスタと同期信号を送るために使用されることができる周波数領域位置との間の関係とに基づいて同期信号周波数領域位置のセットを決定する。
【０３１２】
同期信号周波数領域位置のセットは、同期信号を送るための周波数領域位置のセット又は同期信号を送るために使用されることができる周波数領域位置のセットである。
【０３１３】
Ｓ７０３．ユーザ機器が、同期信号周波数領域位置のセットに基づいて同期信号を検出する。
【０３１４】
任意選択で、ユーザ機器が同期信号周波数ラスタを決定するＳ７０１は以下を含む。
【０３１５】
ユーザ機器が、同期信号サブキャリア間隔及び／又は同期信号キャリア周波数に基づいて同期信号周波数ラスタを決定し、同期信号サブキャリア間隔が、同期信号を送信するために使用され得るサブキャリア間隔又は現在の送信周波数帯域上で使用されるサブキャリア間隔を含む。
【０３１６】
任意選択で、同期信号は、少なくとも１つの同期信号を含む同期信号のグループであり、ユーザ機器が同期信号サブキャリア間隔に基づいて同期信号周波数ラスタを決定することは、以下を含む。
【０３１７】
ユーザ機器が、同期信号のサブキャリア間隔に基づいて各同期信号の周波数ラスタを独立して決定するか、又は
ユーザ機器が、同期信号のグループ中の１つの同期信号のサブキャリア間隔に基づいて同期信号のグループ中の全ての同期信号の周波数ラスタを決定する。
【０３１８】
任意選択で、同期信号周波数と同期信号周波数ラスタの周波数との間の周波数差の最小値は、予め定義された決定された値である。
【０３１９】
任意選択で、ユーザ機器が、同期信号周波数ラスタと、同期信号周波数ラスタと同期信号を送るために使用されることができる周波数領域位置との間の関係とに基づいて同期信号周波数領域位置のセットを決定するＳ７０２は、以下を含み得る。
【０３２０】
ユーザ機器が、同期信号帯域幅に基づいて同期信号周波数領域位置のセットを決定する。
【０３２１】
任意選択で、ユーザ機器が、同期信号周波数ラスタと、同期信号周波数ラスタと同期信号を送るために使用されることができる周波数領域位置との間の関係とに基づいて同期信号周波数領域位置のセットを決定するＳ７０２は、以下を含み得る。
【０３２２】
ユーザ機器が、同期信号が位置する送信周波数帯域の中心周波数、最高周波数、又は最低周波数に基づいて同期信号周波数領域位置のセットを決定する。
【０３２３】
任意選択で、ユーザ機器が、同期信号周波数領域位置のセットに基づいて同期信号を検出するＳ７０３の前に、方法は以下をさらに含み得る。
【０３２４】
ユーザ機器が、候補同期信号位置のセット若しくは同期信号周波数ラスタを決定するために別の送信周波数帯域上で設定情報を受信し、設定情報が、同期信号が位置する動作周波数帯域上の同期信号周波数領域位置のセットを構成するために使用されるか、又は
ユーザ機器が、候補同期信号位置のセット若しくは同期信号周波数ラスタを決定するために別の基地局から設定情報を受信し、設定情報が、同期信号を送る基地局の動作周波数帯域上の候補同期信号位置のセット若しくは同期信号周波数ラスタを構成するために使用され、別の基地局は、同期信号を送る基地局以外の基地局である。
【０３２５】
この出願の実施形態４において提供される信号送信方法は、実施形態３におけるピアデバイス、即ち、ユーザ機器によって実行される方法である。詳細な実装処理及びそれの有益な効果については、上記の実施形態を参照されたい。詳細について、ここで再び説明されない。
【０３２６】
この出願の実施形態５はパラメータ決定装置を提供する。図８は、この出願の実施形態５によるパラメータ決定装置の概略構造図である。図８に示されているように、パラメータ決定装置８００は、
ＵＥに対応する第１のサブキャリア間隔を決定するように構成された決定モジュール８０１と、
第１のサブキャリア間隔をＵＥに通知するように構成された送信モジュール８０２と
を含み得る。
【０３２７】
任意選択で、パラメータ決定装置８００は、
ＵＥによって送られたランダムアクセスチャネルを受信するように構成された第１の受信モジュールであって、ランダムアクセスチャネルが、第２のサブキャリア間隔を使用することによってＵＥによって送られたチャネルである、第１の受信モジュール
をさらに含む。
【０３２８】
決定モジュール８０１は、第２のサブキャリア間隔に基づいて、ＵＥに対応する第１のサブキャリア間隔を決定するようにさらに構成される。
【０３２９】
任意選択で、パラメータ決定装置８００は、
ＵＥによって送られた要求を受信するように構成された第２の受信モジュールであって、要求が、ＵＥによって要求されたサブキャリア間隔に対応する指示情報を含む、第２の受信モジュール
をさらに含む。
【０３３０】
決定モジュール８０１は、ＵＥによって要求されたサブキャリア間隔に対応する指示情報に基づいて、ＵＥに対応する第１のサブキャリア間隔を決定するようにさらに構成される。
【０３３１】
任意選択で、決定モジュール８０１は、少なくとも１つのサブキャリア間隔に対応する参照信号測定値に基づいて、ＵＥに対応する第１のサブキャリア間隔を決定するように特に構成される。
【０３３２】
任意選択で、決定モジュール８０１は、少なくとも１つのＣＰタイプに対応する参照信号測定値に基づいて、ＵＥに対応するＣＰタイプを決定するようにさらに構成される。
【０３３３】
送信モジュール８０２は、ＵＥに対応するＣＰタイプをＵＥに通知するようにさらに構成される。
【０３３４】
任意選択で、パラメータ決定装置８００は、
少なくとも１つのサブキャリア間隔に対応する参照信号測定値のうちの少なくとも１つを受信するように構成された第３の受信モジュールであって、参照信号測定値のうちの少なくとも１つがＵＥによって送られる、第３の受信モジュールをさらに含む。
【０３３５】
任意選択で、送信モジュール８０２は、ＵＥに、少なくとも１つのサブキャリア間隔に対応する参照信号を送るようにさらに構成される。
【０３３６】
任意選択で、パラメータ決定装置８００は、
各サブキャリア間隔に対応する参照信号測定値を取得するために少なくとも１つのサブキャリア間隔中の各サブキャリア間隔に対応する参照信号を検出するように構成された検出モジュールをさらに含む。
【０３３７】
任意選択で、パラメータ決定装置８００は、
各サブキャリア間隔に対応し且つＵＥによって送られた参照信号を受信するように構成された第４の受信モジュールをさらに含む。
【０３３８】
任意選択で、第１のサブキャリア間隔は、チャネルのために使用されるサブキャリア間隔を含み、チャネルのために使用されるサブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【０３３９】
任意選択で、決定モジュール８０１は、第３のサブキャリア間隔と、第３のサブキャリア間隔と第１のサブキャリア間隔との間の関係とに基づいて、ＵＥに対応する第１のサブキャリア間隔を決定するようにさらに構成され、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとは、異なるチャネルである。
【０３４０】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【０３４１】
任意選択で、送信モジュール８０２は、ブロードキャストチャネル中で搬送されるシグナリングを使用することによって、第１のサブキャリア間隔がデータチャネルのために使用されるサブキャリア間隔であることをＵＥに通知するようにさらに構成されるか、又は
送信モジュール８０２は、ブロードキャストチャネル若しくはシステム情報中で搬送されるシグナリングを使用することによって、第１のサブキャリア間隔が、制御チャネルのために使用されるサブキャリア間隔若しくはランダムアクセスチャネルのために使用されるサブキャリア間隔であることをＵＥに通知するようにさらに構成されるか、又は
送信モジュール８０２は、上位レイヤシグナリングを使用することによって、第１のサブキャリア間隔が制御チャネル、データチャネル、若しくは参照信号のために使用されるサブキャリア間隔であることをＵＥに通知するようにさらに構成されるか、又は
送信モジュール８０２は、制御チャネル中で搬送されるシグナリングを使用することによって、第１のサブキャリア間隔がデータチャネルのために使用されるパラメータ及び／若しくは参照信号のために使用されるサブキャリア間隔であることをＵＥに通知するようにさらに構成される。
【０３４２】
任意選択で、送信モジュール８０２は、ＵＥに以下の情報、即ち
第１のサブキャリア間隔の値、
第１のサブキャリア間隔とＵＥの現在のサブキャリア間隔との間の相対関係、
第１のサブキャリア間隔と共通参照サブキャリア間隔との間の相対関係、及び
第１のサブキャリア間隔とプリセットされたチャネルのために使用されるサブキャリア間隔との間の相対関係
のうちの少なくとも１つをＵＥに送ることによって第１のサブキャリア間隔をＵＥに通知するようにさらに構成される。
【０３４３】
任意選択で、送信モジュール８０２は、第１のサブキャリア間隔の有効時間及び／又は第１のサブキャリア間隔の有効チャネルをＵＥに通知するようにさらに構成される。
【０３４４】
この出願の実施形態５において提供されるパラメータ決定装置は、実施形態１又は実施形態２における基地局によって実行されるパラメータ決定方法を実行し得る。詳細な実装処理及びそれの有益な効果については、上記の実施形態を参照されたい。詳細について、ここで再び説明されない。
【０３４５】
この出願の実施形態６は、パラメータ決定装置をさらに提供する。図９は、この出願の実施形態６によるパラメータ決定装置の概略構造図である。図９に示されているように、パラメータ決定装置９００は、
基地局によって通知された第１のサブキャリア間隔を取得するように構成された受信モジュール９０１と、
第１のサブキャリア間隔に基づいて基地局とのデータ送信を実行するように構成された送信モジュール９０２と
を含む。
【０３４６】
任意選択で、パラメータ決定装置９００は、
基地局は、第２のサブキャリア間隔に基づいて第１のサブキャリア間隔を決定するように、第２のサブキャリア間隔を使用することによって基地局にランダムアクセスチャネルを送るように構成された第１の送信モジュールをさらに含む。
【０３４７】
任意選択で、パラメータ決定装置９００は、
基地局に要求を送るように構成された第２の送信モジュールをさらに含み、要求は、ＵＥによって要求されたサブキャリア間隔に対応する指示情報を含み、また、要求は、ＵＥによって要求されたサブキャリア間隔に対応する指示情報に基づいて第１のサブキャリア間隔を決定するために基地局によって使用される。
【０３４８】
任意選択で、第１のサブキャリア間隔は、少なくとも１つのサブキャリア間隔に対応する参照信号測定値に基づいて基地局によって決定されるサブキャリア間隔である。
【０３４９】
任意選択で、受信モジュール９０１は、基地局によって通知されたサイクリックプレフィックスＣＰタイプを取得するようにさらに構成され、ＣＰタイプは、少なくとも１つのＣＰタイプに対応する参照信号測定値に基づいて基地局によって決定されたＣＰタイプである。
【０３５０】
任意選択で、パラメータ決定装置９００は、
基地局に、少なくとも１つのサブキャリア間隔に対応する参照信号測定値のうちの少なくとも１つを送るように構成された第３の送信モジュールをさらに含む。
【０３５１】
任意選択で、受信モジュール９０１は、少なくとも１つのサブキャリア間隔に対応し且つ基地局によって送られた参照信号を受信するようにさらに構成される。
【０３５２】
任意選択で、少なくとも１つのサブキャリア間隔中の各サブキャリア間隔に対応する参照信号測定値が、基地局によって、各サブキャリア間隔に対応する参照信号を検出することによって取得される。
【０３５３】
任意選択で、パラメータ決定装置９００は、
基地局に、少なくとも１つのサブキャリア間隔に対応する参照信号を送るように構成された第４の送信モジュールをさらに含む。
【０３５４】
任意選択で、第１のサブキャリア間隔は、チャネルのために使用されるサブキャリア間隔を含み、チャネルのために使用されるサブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【０３５５】
任意選択で、第１のサブキャリア間隔は、第３のサブキャリア間隔と、第３のサブキャリア間隔と第１のサブキャリア間隔との間の関係とに基づいて基地局によって決定されたサブキャリア間隔であり、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとが異なるチャネルである。
【０３５６】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【０３５７】
任意選択で、受信モジュール９０１は、ブロードキャストチャネル中で搬送され、基地局によって送られたシグナリングに基づいて、第１のサブキャリア間隔がデータチャネルのために使用されるパラメータであると決定するように特に構成されるか、又は
受信モジュール９０１は、ブロードキャストチャネル若しくはシステム情報中で搬送され、基地局によって送られたシグナリングに基づいて、第１のサブキャリア間隔が、制御チャネルのために使用されるパラメータ若しくはランダムアクセスチャネルのために使用されるパラメータであると決定するように特に構成されるか、又は
受信モジュール９０１は、基地局によって送られた上位レイヤシグナリングに基づいて、第１のサブキャリア間隔が制御チャネル、データチャネル、若しくは参照信号のために使用されるパラメータであると決定するように特に構成されるか、又は
受信モジュール９０１は、制御チャネル中で搬送され、基地局によって送られたシグナリングに基づいて、第１のサブキャリア間隔がデータチャネルのために使用されるパラメータ及び／若しくは参照信号のために使用されるパラメータであると決定するように特に構成される。
【０３５８】
任意選択で、受信モジュール９０１は、基地局によって送られた以下の情報、即ち
第１のパラメータの値、第１のパラメータとＵＥの現在のパラメータとの間の相対関係、第１のパラメータと共通参照パラメータとの間の相対関係、及び第１のパラメータとプリセットされたチャネルのために使用されるパラメータとの間の相対関係
のうちの少なくとも１つに基づいて第１のサブキャリア間隔を決定するようにさらに構成される。
【０３５９】
任意選択で、受信モジュール９０１は、基地局によって通知される第１のサブキャリア間隔の有効時間及び／又は第１のサブキャリア間隔の有効チャネルを取得するようにさらに構成される。
【０３６０】
この出願の実施形態６において提供されるパラメータ決定装置は、実施形態１又は実施形態２におけるＵＥによって実行されるパラメータ決定方法を実行し得る。詳細な実装処理及びそれの有益な効果については、上記の実施形態を参照されたい。詳細について、ここで再び説明されない。
【０３６１】
この出願の実施形態７は、信号送信装置をさらに提供する。図１０は、この出願の実施形態７による信号送信装置の概略構造図である。図１０に示されているように、信号送信装置１０００は、
同期信号周波数ラスタを決定することと、同期信号周波数ラスタと、同期信号周波数ラスタと同期信号を送るために使用されることができる周波数領域位置との間の関係とに基づいて同期信号周波数領域位置のセットを決定することであって、同期信号周波数領域位置のセットが、同期信号を送るための周波数領域位置のセット又は同期信号を送るために使用されることができる周波数領域位置のセットである、ことと、同期信号周波数領域位置のセットに基づいて同期信号周波数領域位置を決定することとを行うように構成された決定モジュール１００１と、
ユーザ機器に同期信号を送るように構成された送信モジュール１００２と
を含み得る。
【０３６２】
任意選択で、決定モジュール１００１は、同期信号サブキャリア間隔及び／又は同期信号キャリア周波数に基づいて同期信号周波数ラスタを決定するように特に構成され、同期信号サブキャリア間隔は、同期信号を送信するために使用され得るサブキャリア間隔又は現在の送信周波数帯域上で使用されるサブキャリア間隔を含む。
【０３６３】
任意選択で、同期信号は、少なくとも１つの同期信号を含む同期信号のグループであり、決定モジュール１００１は、同期信号のサブキャリア間隔に基づいて各同期信号の周波数ラスタを独立して決定するように特に構成されるか、又は
決定モジュール１００１は、同期信号のグループ中の１つの同期信号のサブキャリア間隔に基づいて同期信号のグループ中の全ての同期信号の周波数ラスタを決定するように特に構成される。
【０３６４】
任意選択で、同期信号周波数と同期信号周波数ラスタの周波数との間の周波数差の最小値は、予め定義された決定された値である。
【０３６５】
任意選択で、決定モジュール１００１は、同期信号帯域幅に基づいて同期信号周波数領域位置のセットを決定するように特に構成される。
【０３６６】
任意選択で、決定モジュール１００１は、同期信号が位置する送信周波数帯域の中心周波数、最高周波数、又は最低周波数に基づいて同期信号周波数領域位置のセットを決定するように特に構成される。
【０３６７】
任意選択で、送信モジュール１００２は、ユーザ機器が候補同期信号位置のセット若しくは同期信号周波数ラスタを決定するように、別の送信周波数帯域上で設定情報を送るようにさらに構成され、設定情報は、同期信号が位置する動作周波数帯域上の同期信号周波数領域位置のセットを構成するために使用されるか、又は
送信モジュール１００２は、ユーザ機器が候補同期信号位置のセット若しくは同期信号周波数ラスタを決定するように、別の基地局を使用することによってユーザ機器に設定情報を送るようにさらに構成され、設定情報は、同期信号を送る基地局の動作周波数帯域上の候補同期信号位置のセット若しくは同期信号周波数ラスタを構成するために使用され、別の基地局は、同期信号を送る基地局以外の基地局である。
【０３６８】
この出願の実施形態７において提供される信号送信装置は、実施形態３における基地局によって実行される信号送信方法を実行し得る。詳細な実装処理及びそれの有益な効果については、上記の実施形態を参照されたい。詳細について、ここで再び説明されない。
【０３６９】
この出願の実施形態８は、信号送信装置をさらに提供する。図１１は、この出願の実施形態８による信号送信装置の概略構造図である。図１１に示されているように、信号送信装置１１００は、
同期信号周波数ラスタを決定することと、同期信号周波数ラスタと、同期信号周波数ラスタと同期信号を送るために使用されることができる周波数領域位置との間の関係とに基づいて同期信号周波数領域位置のセットを決定することであって、同期信号周波数領域位置のセットが、同期信号を送るための周波数領域位置のセット又は同期信号を送るために使用されることができる周波数領域位置のセットである、こととを行うように構成された決定モジュール１１０１と、
同期信号周波数領域位置のセットに基づいて同期信号を検出するように構成された受信モジュール１１０２と
を含み得る。
【０３７０】
任意選択で、決定モジュール１１０１は、同期信号サブキャリア間隔及び／又は同期信号キャリア周波数に基づいて同期信号周波数ラスタを決定するように特に構成され、同期信号サブキャリア間隔は、同期信号を送信するために使用され得るサブキャリア間隔又は現在の送信周波数帯域上で使用されるサブキャリア間隔を含む。
【０３７１】
任意選択で、同期信号は、少なくとも１つの同期信号を含む同期信号のグループであり、決定モジュール１１０１は、同期信号のサブキャリア間隔に基づいて各同期信号の周波数ラスタを独立して決定するように特に構成されるか、又は
決定モジュール１１０１は、同期信号のグループ中の１つの同期信号のサブキャリア間隔に基づいて同期信号のグループ中の全ての同期信号の周波数ラスタを決定するように特に構成される。
【０３７２】
任意選択で、同期信号周波数と同期信号周波数ラスタの周波数との間の周波数差の最小値は、予め定義された決定された値である。
【０３７３】
任意選択で、決定モジュール１１０１は、同期信号帯域幅に基づいて同期信号周波数領域位置のセットを決定するように特に構成される。
【０３７４】
任意選択で、決定モジュール１１０１は、同期信号が位置する送信周波数帯域の中心周波数、最高周波数、又は最低周波数に基づいて同期信号周波数領域位置のセットを決定するように特に構成される。
【０３７５】
任意選択で、受信モジュール１１０２は、候補同期信号位置のセット若しくは同期信号周波数ラスタを決定するために別の送信周波数帯域上で設定情報を受信するようにさらに構成され、設定情報は、同期信号が位置する動作周波数帯域上の同期信号周波数領域位置のセットを構成するために使用されるか、又は
受信モジュール１１０２は、候補同期信号位置のセット若しくは同期信号周波数ラスタを決定するために別の基地局から設定情報を受信するようにさらに構成され、設定情報は、同期信号を送る基地局の動作周波数帯域上の候補同期信号位置のセット若しくは同期信号周波数ラスタを構成するために使用され、別の基地局は、同期信号を送る基地局以外の基地局である。
【０３７６】
この出願の実施形態８において提供される信号送信装置は、実施形態４におけるユーザ機器によって実行される信号送信方法を実行し得る。詳細な実装処理及びそれの有益な効果については、上記の実施形態を参照されたい。詳細について、ここで再び説明されない。
【０３７７】
この出願の実施形態９は、基地局をさらに提供する。図１２は、この出願の実施形態９による基地局の概略構造図である。図１２に示されているように、基地局１２００は、プロセッサ１２０１及び送信機１２０２を含み得る。プロセッサ１２０１は送信機１２０２に接続される。
【０３７８】
プロセッサ１２０１は、ＵＥに対応する第１のサブキャリア間隔を決定するように構成される。
【０３７９】
送信機１２０２は、第１のサブキャリア間隔をＵＥに通知するように構成される。
【０３８０】
任意選択で、基地局１２００は、
ＵＥによって送られたランダムアクセスチャネルを受信するように構成された受信機であって、ランダムアクセスチャネルが、第２のサブキャリア間隔を使用することによってＵＥによって送られたチャネルである、受信機をさらに含む。
【０３８１】
プロセッサ１２０１は、第２のサブキャリア間隔に基づいて、ＵＥに対応する第１のサブキャリア間隔を決定するようにさらに構成される。
【０３８２】
任意選択で、基地局１２００は、
ＵＥによって送られた要求を受信するように構成された受信機であって、要求は、ＵＥによって要求されたサブキャリア間隔に対応する指示情報を含む、受信機をさらに含む。
【０３８３】
プロセッサ１２０１は、ＵＥによって要求されたサブキャリア間隔に対応する指示情報に基づいて、ＵＥに対応する第１のサブキャリア間隔を決定するようにさらに構成される。
【０３８４】
任意選択で、プロセッサ１２０１は、少なくとも１つのサブキャリア間隔に対応する参照信号測定値に基づいて、ＵＥに対応する第１のサブキャリア間隔を決定するようにさらに構成される。
【０３８５】
任意選択で、プロセッサ１２０１は、少なくとも１つのサイクリックプレフィックスＣＰタイプに対応する参照信号測定値に基づいて、ＵＥに対応するＣＰタイプを決定するようにさらに構成される。
【０３８６】
送信機１２０２は、ＵＥに対応するＣＰタイプをＵＥに通知するようにさらに構成される。
【０３８７】
任意選択で、基地局１２００は、
少なくとも１つのサブキャリア間隔に対応する参照信号測定値のうちの少なくとも１つを受信するように構成された受信機であって、参照信号測定値のうちの少なくとも１つが、ＵＥによって送られる、受信機をさらに含む。
【０３８８】
任意選択で、送信機１２０２は、ＵＥに、少なくとも１つのサブキャリア間隔に対応する参照信号を送るようにさらに構成される。
【０３８９】
任意選択で、プロセッサ１２０１は、各サブキャリア間隔に対応する参照信号測定値を取得するために少なくとも１つのサブキャリア間隔中の各サブキャリア間隔に対応する参照信号を検出するようにさらに構成される。
【０３９０】
任意選択で、基地局１２００は、
各サブキャリア間隔に対応し且つＵＥによって送られた参照信号を受信するように構成された受信機をさらに含む。
【０３９１】
任意選択で、第１のサブキャリア間隔は、チャネルのために使用されるサブキャリア間隔を含み、チャネルのために使用されるサブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【０３９２】
任意選択で、プロセッサ１２０１は、第３のサブキャリア間隔と、第３のサブキャリア間隔と第１のサブキャリア間隔との間の関係とに基づいて、ＵＥに対応する第１のサブキャリア間隔を決定するように特に構成され、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとは、異なるチャネルである。
【０３９３】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【０３９４】
任意選択で、送信機１２０２は、ブロードキャストチャネル中で搬送されるシグナリングを使用することによって、第１のサブキャリア間隔がデータチャネルのために使用されるサブキャリア間隔であることをＵＥに通知するように特に構成されるか、又は
送信機１２０２は、ブロードキャストチャネル若しくはシステム情報中で搬送されるシグナリングを使用することによって、第１のサブキャリア間隔が、制御チャネルのために使用されるサブキャリア間隔若しくはランダムアクセスチャネルのために使用されるサブキャリア間隔であることをＵＥに通知するように特に構成されるか、又は
送信機１２０２は、上位レイヤシグナリングを使用することによって、第１のサブキャリア間隔が制御チャネル、データチャネル、若しくは参照信号のために使用されるサブキャリア間隔であることをＵＥに通知するように特に構成されるか、又は
送信機１２０２は、制御チャネル中で搬送されるシグナリングを使用することによって、第１のサブキャリア間隔がデータチャネルのために使用されるパラメータ及び／若しくは参照信号のために使用されるサブキャリア間隔であることをＵＥに通知するように特に構成される。
【０３９５】
任意選択で、送信機１２０２は、ＵＥに以下の情報、即ち
第１のサブキャリア間隔の値、
第１のサブキャリア間隔とＵＥの現在のサブキャリア間隔との間の相対関係、
第１のサブキャリア間隔と共通参照サブキャリア間隔との間の相対関係、及び
第１のサブキャリア間隔とプリセットされたチャネルのために使用されるサブキャリア間隔との間の相対関係
のうちの少なくとも１つをＵＥに送ることによって第１のサブキャリア間隔をＵＥに通知するように特に構成される。
【０３９６】
任意選択で、送信機１２０２は、第１のサブキャリア間隔の有効時間及び／又は第１のサブキャリア間隔の有効チャネルを基地局に通知するようにさらに構成される。
【０３９７】
この出願の実施形態９において提供される基地局は、実施形態１又は実施形態２における基地局によって実行されるパラメータ決定方法を実行し得る。詳細な実装処理及びそれの有益な効果については、上記の実施形態を参照されたい。詳細について、ここで再び説明されない。
【０３９８】
この出願の実施形態１０は、ＵＥをさらに提供する。図１３は、この出願の実施形態１０によるＵＥの概略構造図である。図１３に示されているように、ＵＥ１３００は、受信機１３０１及びプロセッサ１３０２を含み得る。受信機１３０１はプロセッサ１３０２に接続される。
【０３９９】
受信機１３０１は、基地局によって通知された第１のサブキャリア間隔を取得するように構成される。
【０４００】
プロセッサ１３０２は、第１のサブキャリア間隔に基づいて基地局とのデータ送信を実行するように構成される。
【０４０１】
任意選択で、ＵＥ１３００は、
基地局が、第２のサブキャリア間隔に基づいて第１のサブキャリア間隔を決定するように、第２のサブキャリア間隔を使用することによって基地局にランダムアクセスチャネルを送るように構成された送信機をさらに含む。
【０４０２】
任意選択で、ＵＥ１３００は、
基地局に要求を送るように構成された送信機をさらに含み、要求は、ＵＥによって要求されたサブキャリア間隔に対応する指示情報を含み、また、要求は、ＵＥによって要求されたサブキャリア間隔に対応する指示情報に基づいて第１のサブキャリア間隔を決定するために基地局によって使用される。
【０４０３】
任意選択で、第１のサブキャリア間隔は、少なくとも１つのサブキャリア間隔に対応する参照信号測定値に基づいて基地局によって決定されるサブキャリア間隔である。
【０４０４】
任意選択で、受信機１３０１は、基地局によって通知されたサイクリックプレフィックスＣＰタイプを取得するようにさらに構成され、ＣＰタイプは、少なくとも１つのＣＰタイプに対応する参照信号測定値に基づいて基地局によって決定されたＣＰタイプである。
【０４０５】
任意選択で、ＵＥ１３００は、
基地局に、少なくとも１つのサブキャリア間隔に対応する参照信号測定値のうちの少なくとも１つを送るように構成された送信機をさらに含む。
【０４０６】
任意選択で、受信機１３０１は、少なくとも１つのサブキャリア間隔に対応し且つ基地局によって送られた参照信号を受信するようにさらに構成される。
【０４０７】
任意選択で、少なくとも１つのサブキャリア間隔中の各サブキャリア間隔に対応する参照信号測定値が、基地局によって、各サブキャリア間隔に対応する参照信号を検出することによって取得される。
【０４０８】
任意選択で、ＵＥ１３００は、
基地局に、少なくとも１つのサブキャリア間隔に対応する参照信号を送るように構成された送信機をさらに含む。
【０４０９】
任意選択で、第１のサブキャリア間隔は、チャネルのために使用されるサブキャリア間隔を含み、チャネルのために使用されるサブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【０４１０】
任意選択で、第１のサブキャリア間隔は、第３のサブキャリア間隔と、第３のサブキャリア間隔と第１のサブキャリア間隔との間の関係とに基づいて基地局によって決定されたサブキャリア間隔であり、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとが異なるチャネルである。
【０４１１】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【０４１２】
任意選択で、プロセッサ１３０２は、ブロードキャストチャネル中で搬送され、基地局によって送られたシグナリングに基づいて、第１のサブキャリア間隔がデータチャネルのために使用されるパラメータであると決定するようにさらに構成されるか、又は
プロセッサ１３０２は、ブロードキャストチャネル若しくはシステム情報中で搬送され、基地局によって送られたシグナリングに基づいて、第１のサブキャリア間隔が、制御チャネルのために使用されるパラメータ若しくはランダムアクセスチャネルのために使用されるパラメータであると決定するようにさらに構成されるか、又は
プロセッサ１３０２は、基地局によって送られた上位レイヤシグナリングに基づいて、第１のサブキャリア間隔が制御チャネル、データチャネル、若しくは参照信号のために使用されるパラメータであると決定するようにさらに構成されるか、又は
プロセッサ１３０２は、制御チャネル中で搬送され、基地局によって送られたシグナリングに基づいて、第１のサブキャリア間隔がデータチャネルのために使用されるパラメータ及び／若しくは参照信号のために使用されるパラメータであると決定するようにさらに構成される。
【０４１３】
任意選択で、プロセッサ１３０２は、基地局によって送られた以下の情報、即ち
第１のパラメータの値、第１のパラメータとＵＥの現在のパラメータとの間の相対関係、第１のパラメータと共通参照パラメータとの間の相対関係、及び第１のパラメータとプリセットされたチャネルのために使用されるパラメータとの間の相対関係
のうちの少なくとも１つに基づいて第１のサブキャリア間隔を決定するようにさらに構成される。
【０４１４】
任意選択で、受信機１３０１は、基地局によって通知される第１のサブキャリア間隔の有効時間及び／又は第１のサブキャリア間隔の有効チャネルを取得するようにさらに構成される。
【０４１５】
この出願の実施形態１０において提供されるＵＥは、実施形態１又は実施形態２におけるＵＥによって実行されるパラメータ決定方法を実行し得る。詳細な実装処理及びそれの有益な効果については、上記の実施形態を参照されたい。詳細について、ここで再び説明されない。
【０４１６】
この出願の実施形態１１は、基地局をさらに提供する。図１４は、この出願の実施形態１１による基地局の概略構造図である。図１４に示されているように、基地局１４００は、プロセッサ１４０１及び送信機１４０２を含む。プロセッサ１４０１は送信機１４０２に接続される。
【０４１７】
プロセッサ１４０１は、同期信号周波数ラスタを決定することと、同期信号周波数ラスタと、同期信号周波数ラスタと同期信号を送るために使用されることができる周波数領域位置との間の関係とに基づいて同期信号周波数領域位置のセットを決定することであって、同期信号周波数領域位置のセットは、同期信号を送るための周波数領域位置のセット又は同期信号を送るために使用されることができる周波数領域位置のセットである、ことと、同期信号周波数領域位置のセットに基づいて同期信号周波数領域位置を決定することとを行うように構成される。
【０４１８】
送信機１４０２は、同期信号周波数領域位置においてユーザ機器に同期信号を送るように構成される。
【０４１９】
任意選択で、プロセッサ１４０１は、同期信号サブキャリア間隔及び／又は同期信号キャリア周波数に基づいて同期信号周波数ラスタを決定するように特に構成され、同期信号サブキャリア間隔は、同期信号を送信するために使用され得るサブキャリア間隔又は現在の送信周波数帯域上で使用されるサブキャリア間隔を含む。
【０４２０】
任意選択で、同期信号は、少なくとも１つの同期信号を含む同期信号のグループであり、
プロセッサ１４０１は、同期信号のサブキャリア間隔に基づいて各同期信号の周波数ラスタを独立して決定するように特に構成されるか、又は
プロセッサ１４０１は、同期信号のグループ中の１つの同期信号のサブキャリア間隔に基づいて同期信号のグループ中の全ての同期信号の周波数ラスタを決定するように特に構成される。
【０４２１】
任意選択で、同期信号周波数と同期信号周波数ラスタの周波数との間の周波数差の最小値は、予め定義された決定された値である。
【０４２２】
任意選択で、プロセッサ１４０１は、同期信号帯域幅に基づいて同期信号周波数領域位置のセットを決定するように特に構成される。
【０４２３】
任意選択で、プロセッサ１４０１は、同期信号が位置する送信周波数帯域の中心周波数、最高周波数、又は最低周波数に基づいて同期信号周波数領域位置のセットを決定するように特に構成される。
【０４２４】
任意選択で、基地局１４００は、
ユーザ機器が候補同期信号位置のセット若しくは同期信号周波数ラスタを決定するように、別の送信周波数帯域上で設定情報を送るように構成された受信機であって、設定情報が、同期信号が位置する動作周波数帯域上の同期信号周波数領域位置のセットを構成するために使用される、受信機、又は
ユーザ機器が候補同期信号位置のセット若しくは同期信号周波数ラスタを決定するように、別の基地局を使用することによってユーザ機器に設定情報を送るように構成された受信機であって、設定情報が、同期信号を送る基地局の動作周波数帯域上の候補同期信号位置のセット若しくは同期信号周波数ラスタを構成するために使用され、別の基地局が、同期信号を送る基地局以外の基地局である、受信機
をさらに含む。
【０４２５】
この出願の実施形態１１において提供される基地局は、実施形態３における基地局によって実行される信号送信方法を実行し得る。詳細な実装処理及びそれの有益な効果については、上記の実施形態を参照されたい。詳細について、ここで再び説明されない。
【０４２６】
この出願の実施形態１２は、ＵＥをさらに提供する。図１５は、この出願の実施形態１２によるＵＥの概略構造図である。図１５に示されているように、ＵＥ１５００は、プロセッサ１５０１及び受信機１５０２を含む。プロセッサ１５０１は受信機１５０２に接続される。
【０４２７】
プロセッサ１５０１は、同期信号周波数ラスタを決定することと、同期信号周波数ラスタと、同期信号周波数ラスタと同期信号を送るために使用されることができる周波数領域位置との間の関係とに基づいて同期信号周波数領域位置のセットを決定することであって、同期信号周波数領域位置のセットは、同期信号を送るための周波数領域位置のセット又は同期信号を送るために使用されることができる周波数領域位置のセットである、こととを行うように構成される。
【０４２８】
受信機１５０２は、同期信号周波数領域位置のセットに基づいて同期信号を検出するように構成される。
【０４２９】
任意選択で、プロセッサ１５０１は、同期信号サブキャリア間隔及び／又は同期信号キャリア周波数に基づいて同期信号周波数ラスタを決定するように特に構成され、同期信号サブキャリア間隔は、同期信号を送信するために使用され得るサブキャリア間隔又は現在の送信周波数帯域上で使用されるサブキャリア間隔を含む。
【０４３０】
任意選択で、同期信号は、少なくとも１つの同期信号を含む同期信号のグループであり、プロセッサ１５０１は、同期信号のサブキャリア間隔に基づいて各同期信号の周波数ラスタを独立して決定するように特に構成されるか、又は
プロセッサ１５０１は、同期信号のグループ中の１つの同期信号のサブキャリア間隔に基づいて同期信号のグループ中の全ての同期信号の周波数ラスタを決定するように特に構成される。
【０４３１】
任意選択で、同期信号周波数と同期信号周波数ラスタの周波数との間の周波数差の最小値は、予め定義された決定された値である。
【０４３２】
任意選択で、プロセッサ１５０１は、同期信号帯域幅に基づいて同期信号周波数領域位置のセットを決定するように特に構成される。
【０４３３】
任意選択で、プロセッサ１５０１は、同期信号が位置する送信周波数帯域の中心周波数、最高周波数、又は最低周波数に基づいて同期信号周波数領域位置のセットを決定するように特に構成される。
【０４３４】
任意選択で、受信機１５０２は、候補同期信号位置のセット若しくは同期信号周波数ラスタを決定するために別の送信周波数帯域上で設定情報を受信するようにさらに構成され、設定情報は、同期信号が位置する動作周波数帯域上の同期信号周波数領域位置のセットを構成するために使用されるか、又は
受信機１５０２は、候補同期信号位置のセット若しくは同期信号周波数ラスタを決定するために別の基地局から設定情報を受信するように構成され、設定情報は、同期信号を送る基地局の動作周波数帯域上の候補同期信号位置のセット若しくは同期信号周波数ラスタを構成するために使用され、別の基地局は、同期信号を送る基地局以外の基地局である。
【０４３５】
この出願の実施形態１２において提供されるＵＥは、実施形態４におけるユーザ機器によって実行される信号送信方法を実行し得る。詳細な実装処理及びそれの有益な効果については、上記の実施形態を参照されたい。詳細について、ここで再び説明されない。
【０４３６】
この出願において提供されるいくつかの実施形態では、開示される装置及び方法は、他の方式で実装され得ることを理解されたい。例えば、説明された装置実施形態は例にすぎない。例えば、ユニット分割は論理的な機能分割にすぎず、実際の実装では他の分割であってよい。例えば、複数のユニット又は構成要素が別のシステムへと組み合わされる、若しくは統合されることがあり、又は、いくつかの特徴は無視される、若しくは実行されないことがある。加えて、表示若しくは説明された相互結合若しくは直接結合又は通信接続は、いくつかのインターフェースを使用することによって実装され得る。装置又はユニット間の間接結合又は通信接続は、電子的な形態、機械的な形態、又は他の形態で実装され得る。
【０４３７】
別個の部分として説明されたユニットは、物理的に別個であることもそうでないこともあり、ユニットとして表示された部分は、物理ユニットであることもそうでないこともあり、１つの位置に位置し得るか、又は複数のネットワークユニット上に分散され得る。ユニットの一部又は全部は、実施形態における解決策の目的を達成するために実際の要件に基づいて選択され得る。
【０４３８】
好都合で簡潔な説明のために、上記の機能モジュールの分割は、説明のための例として使用されるにすぎないことが、当業者によって明らかに理解されよう。実際の適用例では、上記の機能は、要件に基づいて実装のために異なる機能モジュールに割り振られることができ、即ち、装置の内部構造は、上記で説明された機能の全部又は一部を実装するために異なる機能モジュールに分割される。上記の装置の詳細な動作処理については、上記の方法実施形態における対応する処理を参照されたい。詳細について、ここで再び説明されない。
【０４３９】
加えて、この出願の実施形態における機能ユニットが１つの処理ユニットへと統合されることがあり、又はユニットの各々が物理的に単独で存在することがあり、又は２つ以上のユニットが１つのユニットへと統合される。統合されたユニットは、ハードウェアの形態で実装されることがあるか、又はソフトウェア機能ユニットの形態で実装されることがある。
【０４４０】
統合されたユニットがソフトウェア機能ユニットの形態で実装され、独立の製品として販売又は使用されるとき、統合されたユニットはコンピュータ可読記憶媒体に記憶され得る。そのような理解に基づいて、本質的にこの出願における技術的解決策、又は従来技術に寄与する部分、又は技術的解決策の全部若しくは一部は、ソフトウェア製品の形態で実装され得る。ソフトウェア製品は、記憶媒体に記憶され、この出願の実施形態で説明された方法のステップの全部又は一部を実行するように（パーソナルコンピュータ、サーバ、ネットワークデバイスなどであり得る）コンピュータデバイス又はプロセッサ（ｐｒｏｃｅｓｓｏｒ）に命令するためのいくつかの命令を含む。記憶媒体は、ＵＳＢフラッシュドライブ、リムーバブルハードディスク、読取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又は光学ディスクなど、プログラムコードを記憶することができる任意の媒体を含む。
【図１】
2019533365.tif 000008
【図２】
2019533365.tif 000009
【図３】
2019533365.tif 000010
【図４】
2019533365.tif 000011
【図５】
2019533365.tif 000012
【図６】
2019533365.tif 000013
【図７】
2019533365.tif 000014
【図８】
2019533365.tif 000015
【図９】
2019533365.tif 000016
【図１０】
2019533365.tif 000017
【図１１】
2019533365.tif 000018
【図１２】
2019533365.tif 000019
【図１３】
2019533365.tif 000020
【図１４】
2019533365.tif 000021
【図１５】
2019533365.tif 000022
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
ブロードキャストチャネルにおいて基地局から搬送される第１のサブキャリア間隔を受信するステップであって、前記第１のサブキャリア間隔は、共通チャネルのために利用される、ステップと、
前記第１のサブキャリア間隔に基づいて前記基地局と通信するステップと、
を含む、通信方法。
【請求項２】
前記第１のサブキャリア間隔と端末のキャリア周波数との間の対応関係は、第１の対応関係である
請求項１に記載の方法。
【請求項３】
第２のサブキャリア間隔を前記基地局から受信するステップを含み、前記第２のサブキャリア間隔は、システム情報に含まれ、前記第２のサブキャリア間隔は、ランダムアクセスチャネルを用いて通信するために利用されるものであり、前記第２のサブキャリア間隔は、１５キロヘルツ（ｋＨｚ）、３０ｋＨｚ、６０ｋＨｚ、又は１２０ｋＨｚのサブキャリア間隔である
請求項１又は２に記載の方法。
【請求項４】
前記第２のサブキャリア間隔と端末のキャリア周波数との間の対応関係は、第２の対応関係である
請求項３に記載の方法。
【請求項５】
前記共通チャネルは、ページング無線ネットワーク一時識別子（ＲＮＴＩ）又はシステム情報ＲＮＴＩによってスクランブルされる共通制御チャネルである
請求項１〜４のいずれか１項に記載の方法。
【請求項６】
請求項１〜５のいずれか１項に記載の前記方法を実行するように構成された手段を備える、通信装置。
【請求項７】
通信装置であって、
プロセッサと、
プログラム命令を格納するために前記プロセッサに接続された非一時的なメモリと、
を備え、
前記プログラム命令は、前記プロセッサにより実行されたときに、前記通信装置に、請求項１〜５のいずれか１項に記載の前記方法を実行させる
通信装置。
【請求項８】
ブロードキャストチャネルにおいて搬送される第１のサブキャリア間隔を送信するステップであって、前記第１のサブキャリア間隔は、共通チャネルのために利用される、ステップと、
前記第１のサブキャリア間隔に基づいて端末と通信するステップと、
を含む、通信方法。
【請求項９】
前記第１のサブキャリア間隔と端末のキャリア周波数との間の対応関係は、第１の対応関係である
請求項８に記載の方法。
【請求項１０】
第２のサブキャリア間隔を送信するステップを含み、前記第２のサブキャリア間隔は、システム情報に含まれ、前記第２のサブキャリア間隔は、ランダムアクセスチャネルを用いて通信するために利用されるものであり、前記第２のサブキャリア間隔は、１５キロヘルツ（ｋＨｚ）、３０ｋＨｚ、６０ｋＨｚ、又は１２０ｋＨｚのサブキャリア間隔である
請求項８又は９に記載の方法。
【請求項１１】
前記第２のサブキャリア間隔と端末のキャリア周波数との間の対応関係は、第２の対応関係である
請求項１０に記載の方法。
【請求項１２】
前記共通チャネルは、ページング無線ネットワーク一時識別子（ＲＮＴＩ）又はシステム情報ＲＮＴＩによってスクランブルされる共通制御チャネルである
請求項８〜１１のいずれか１項に記載の方法。
【請求項１３】
請求項８〜１２のいずれか１項に記載の前記方法を実行するように構成された手段を備える、通信装置。
【請求項１４】
通信装置であって、
プロセッサと、
プログラム命令を格納するために前記プロセッサに接続された非一時的なメモリと、
を備え、
前記プログラム命令は、前記プロセッサによって実行されたときに、前記通信装置に、請求項８〜１２のいずれか１項に記載の前記方法を実行させる、
通信装置。
【請求項１５】
請求項１〜５のいずれか１項又は請求項８〜１２のいずれか１項に記載の方法を実行するための命令を含む、プログラム。
【請求項１６】
請求項６又は７に記載の通信装置と、請求項１３又は１４に記載の通信装置を含む、通信システム。
【手続補正２】
【補正対象書類名】明細書
【補正対象項目名】全文
【補正方法】変更
【補正の内容】
【発明の詳細な説明】
【技術分野】
【０００１】
この出願の実施形態は、通信技術に関し、特に、パラメータ決定方法、基地局、及びユーザ機器に関する。
【背景技術】
【０００２】
５Ｇ技術では、複数のサービス、例えば、拡張モバイルブロードバンド（ｅｎｈａｎｃｅｄ  Ｍｏｂｉｌｅ  Ｂｒｏａｄｂａｎｄ、ｅＭＢＢ）サービス、大規模マシン型通信（ｍａｓｓｉｖｅ  Ｍａｃｈｉｎｅ  Ｔｙｐｅ  Ｃｏｍｍｕｎｉｃａｔｉｏｎ、ｍＭＴＣ）サービス、超高信頼低レイテンシ通信（Ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ、ＵＲＬＬＣ）サービス、及び測位サービスが定義されている。
【０００３】
異なるサービスは、異なるサービス品質（Ｑｕａｌｉｔｙ  ｏｆ  Ｓｅｒｖｉｃｅ、ＱｏＳ）要件を有する。例えば、異なるサービスは、異なるレイテンシ要件及び信頼性要件を有する。従って、異なるサービスは、異なるパラメータに対応する。さらに、５Ｇ技術での物理レイヤチャネルは、制御チャネル、データチャネル、及び参照信号などの複数のチャネルタイプを主に含む。異なるタイプのチャネル上で送信される信号のタイプ及びレイテンシ要件が異なるので、異なるチャネルはまた、異なるサブキャリア間隔に対応する。
【０００４】
結論として、異なるサブキャリア間隔を、同じチャネル上の異なるサービスと同じサービスの異なるチャネルとの両方のために使用する必要がある。従って、１つのＵＥのための通信システム中に複数のサブキャリア間隔が存在してもよく、データ送信のために使用されるサブキャリア間隔をどのように正確に決定するのかが極めて重要である。
【発明の概要】
【０００５】
この出願の実施形態は、マルチサブキャリア間隔システム中のＵＥのために、データ送信のために使用されるサブキャリア間隔を決定するためのパラメータ決定方法、基地局、及びユーザ機器を提供する。
【０００６】
第１の態様によれば、この出願の一実施形態は、パラメータ決定方法であって、
基地局によって、ユーザ機器ＵＥに対応する第１のサブキャリア間隔を決定するステップと、
基地局によって、第１のサブキャリア間隔をＵＥに通知するステップと
を含むパラメータ決定方法を提供する。
【０００７】
任意選択で、基地局によって、ＵＥに対応する第１のサブキャリア間隔を決定するステップの前に、方法は、
基地局によって、ＵＥによって送られたランダムアクセスチャネルを受信するステップであって、ランダムアクセスチャネルが、第２のサブキャリア間隔を使用することによってＵＥによって送られたチャネルである、ステップと、
第２のサブキャリア間隔に基づいて、基地局によって、ＵＥに対応する第１のサブキャリア間隔を決定するステップと
をさらに含む。
【０００８】
任意選択で、基地局によって、ＵＥに対応する第１のサブキャリア間隔を決定するステップの前に、方法は、
基地局によって、ＵＥによって送られた要求を受信するステップであって、要求が、ＵＥによって要求されたサブキャリア間隔に対応する指示情報を含む、ステップと、
ＵＥによって要求されたサブキャリア間隔に対応する指示情報に基づいて、基地局によって、ＵＥに対応する第１のサブキャリア間隔を決定するステップと
をさらに含む。
【０００９】
任意選択で、基地局によって、ＵＥに対応する第１のサブキャリア間隔を決定するステップは、
少なくとも１つのサブキャリア間隔に対応する参照信号測定値に基づいて、基地局によって、ＵＥに対応する第１のサブキャリア間隔を決定するステップを含む。
【００１０】
任意選択で、方法は、
少なくとも１つのサイクリックプレフィックス（ＣＰ）タイプに対応する参照信号測定値に基づいて、基地局によって、ＵＥに対応するＣＰタイプを決定するステップと、
基地局によって、ＵＥに対応するＣＰタイプをＵＥに通知するステップと
をさらに含む。
【００１１】
任意選択で、少なくとも１つのサブキャリア間隔に対応する参照信号測定値に基づいて、基地局によって、ＵＥに対応する第１のサブキャリア間隔を決定するステップの前に、方法は、
基地局によって、少なくとも１つのサブキャリア間隔に対応する参照信号測定値のうちの少なくとも１つを受信するステップであって、参照信号測定値のうちの少なくとも１つが、ＵＥによって送られる、ステップをさらに含む。
【００１２】
任意選択で、基地局によって、少なくとも１つのサブキャリア間隔に対応し且つＵＥによって送られた参照信号測定値を受信するステップの前に、方法は、
ＵＥに基地局によって、少なくとも１つのサブキャリア間隔に対応する参照信号を送るステップをさらに含む。
【００１３】
任意選択で、少なくとも１つのサブキャリア間隔に対応する参照信号測定値に基づいて、基地局によって、ＵＥに対応する第１のサブキャリア間隔を決定するステップの前に、方法は、
基地局によって、各サブキャリア間隔に対応する参照信号測定値を取得するために少なくとも１つのサブキャリア中の各サブキャリア間隔に対応する参照信号を検出するステップをさらに含む。
【００１４】
任意選択で、基地局によって、各サブキャリア間隔に対応する参照信号測定値を取得するために各サブキャリア間隔に対応する参照信号を検出するステップの前に、方法は、
基地局によって、各サブキャリア間隔に対応し且つＵＥによって送られた参照信号を受信するステップ
をさらに含む。
【００１５】
任意選択で、第１のサブキャリア間隔が、チャネルのために使用されるサブキャリア間隔を含み、チャネルのために使用されるサブキャリア間隔が、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【００１６】
任意選択で、基地局によって、ＵＥに対応する第１のサブキャリア間隔を決定するステップは、
第３のサブキャリア間隔と、第３のサブキャリア間隔と第１のサブキャリア間隔との間の関係とに基づいて、基地局によって、ＵＥに対応する第１のサブキャリア間隔を決定するステップであって、第３のサブキャリア間隔が、第１のチャネルのために使用されるサブキャリア間隔であり、第１のサブキャリア間隔が、第２のチャネルのために使用されるサブキャリア間隔であり、第１のチャネルと第２のチャネルとが異なるチャネルである、ステップを含む。
【００１７】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【００１８】
任意選択で、基地局によって、第１のサブキャリア間隔をＵＥに通知するステップは、
ブロードキャストチャネル中で搬送されるシグナリングを使用することによって基地局によって、第１のサブキャリア間隔がデータチャネルのために使用されるサブキャリア間隔であることをＵＥに通知するステップ、又は
ブロードキャストチャネル又はシステム情報中で搬送されるシグナリングを使用することによって基地局によって、第１のサブキャリア間隔が、制御チャネルのために使用されるサブキャリア間隔又はランダムアクセスチャネルのために使用されるサブキャリア間隔であることをＵＥに通知するステップ、又は
上位レイヤシグナリングを使用することによって基地局によって、第１のサブキャリア間隔が制御チャネル、データチャネル、又は参照信号のために使用されるサブキャリア間隔であることをＵＥに通知するステップ、又は
制御チャネル中で搬送されるシグナリングを使用することによって基地局によって、第１のサブキャリア間隔がデータチャネルのために使用されるパラメータ及び／又は参照信号のために使用されるサブキャリア間隔であることをＵＥに通知するステップ
を含む。
【００１９】
任意選択で、基地局によって、第１のサブキャリア間隔をＵＥに通知するステップは、
基地局によって、ＵＥに以下の情報、即ち
第１のサブキャリア間隔の値、
第１のサブキャリア間隔とＵＥの現在のサブキャリア間隔との間の相対関係、
第１のサブキャリア間隔と共通参照サブキャリア間隔との間の相対関係、及び
第１のサブキャリア間隔とプリセットされたチャネルのために使用されるサブキャリア間隔との間の相対関係
のうちの少なくとも１つを送ることによって第１のサブキャリア間隔をＵＥに通知するステップを含む。
【００２０】
任意選択で、方法は、
基地局によって、第１のサブキャリア間隔の有効時間及び／又は第１のサブキャリア間隔の有効チャネルをＵＥに通知するステップ
をさらに含む。
【００２１】
第２の態様によれば、この出願の一実施形態は、パラメータ決定方法であって、
ユーザ機器ＵＥによって、基地局によって通知された第１のサブキャリア間隔を取得するステップと、
ＵＥによって、第１のサブキャリア間隔に基づいて基地局とのデータ送信を実行するステップと
を含むパラメータ決定方法をさらに提供する。
【００２２】
任意選択で、ＵＥによって、基地局によって通知された第１のサブキャリア間隔を取得するステップの前に、方法は、
基地局が、第２のサブキャリア間隔に基づいて第１のサブキャリア間隔を決定するように、ＵＥによって、第２のサブキャリア間隔を使用することによって基地局にランダムアクセスチャネルを送るステップ
をさらに含む。
【００２３】
任意選択で、ＵＥによって、基地局によって通知された第１のサブキャリア間隔を取得するステップの前に、方法は、
ＵＥによって、基地局に要求を送るステップであって、要求が、ＵＥによって要求されたサブキャリア間隔に対応する指示情報を含み、また、要求が、ＵＥによって要求されたサブキャリア間隔に対応する指示情報に基づいて第１のサブキャリア間隔を決定するために基地局によって使用される、ステップをさらに含む。
【００２４】
任意選択で、第１のサブキャリア間隔が、少なくとも１つのサブキャリア間隔に対応する参照信号測定値に基づいて基地局によって決定されるサブキャリア間隔である。
【００２５】
任意選択で、方法は、
ＵＥによって、基地局によって通知されたサイクリックプレフィックス（ＣＰ）タイプを取得するステップであって、ＣＰタイプが、少なくとも１つのＣＰタイプに対応する参照信号測定値に基づいて基地局によって決定されたＣＰタイプである、ステップ
をさらに含む。
【００２６】
任意選択で、ＵＥによって、基地局によって通知された第１のサブキャリア間隔を取得するステップの前に、方法は、
基地局にＵＥによって、少なくとも１つのサブキャリア間隔に対応する参照信号測定値のうちの少なくとも１つを送るステップをさらに含む。
【００２７】
任意選択で、基地局にＵＥによって、少なくとも１つのサブキャリア間隔に対応する参照信号測定値を送るステップの前に、方法は、
ＵＥによって、少なくとも１つのサブキャリア間隔に対応し且つ基地局によって送られた参照信号を受信するステップをさらに含む。
【００２８】
任意選択で、少なくとも１つのサブキャリア間隔中の各サブキャリア間隔に対応する参照信号測定値が、基地局によって、各サブキャリア間隔に対応する参照信号を検出することによって取得される。
【００２９】
任意選択で、基地局にＵＥによって、少なくとも１つのサブキャリア間隔に対応する参照信号測定値を送るステップの前に、方法は、
基地局にＵＥによって、少なくとも１つのサブキャリア間隔に対応する参照信号を送るステップをさらに含む。
【００３０】
任意選択で、第１のサブキャリア間隔が、チャネルのために使用されるサブキャリア間隔を含み、チャネルのために使用されるサブキャリア間隔が、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【００３１】
任意選択で、第１のサブキャリア間隔が、第３のサブキャリア間隔と、第３のサブキャリア間隔と第１のサブキャリア間隔との間の関係とに基づいて基地局によって決定されたサブキャリア間隔であり、第３のサブキャリア間隔が、第１のチャネルのために使用されるサブキャリア間隔であり、第１のサブキャリア間隔が、第２のチャネルのために使用されるサブキャリア間隔であり、第１のチャネルと第２のチャネルとが異なるチャネルである。
【００３２】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【００３３】
任意選択で、ＵＥによって、基地局によって通知された第１のサブキャリア間隔を取得するステップは、
ブロードキャストチャネル中で搬送され、基地局によって送られたシグナリングに基づいてＵＥによって、第１のサブキャリア間隔がデータチャネルのために使用されるパラメータであると決定するステップ、又は
ブロードキャストチャネル又はシステム情報中で搬送され、基地局によって送られたシグナリングに基づいてＵＥによって、第１のサブキャリア間隔が、制御チャネルのために使用されるパラメータ又はランダムアクセスチャネルのために使用されるパラメータであると決定するステップ、又は
基地局によって送られた上位レイヤシグナリングに基づいてＵＥによって、第１のサブキャリア間隔が制御チャネル、データチャネル、又は参照信号のために使用されるパラメータであると決定するステップ、又は
制御チャネル中で搬送され、基地局によって送られたシグナリングに基づいてＵＥによって、第１のサブキャリア間隔がデータチャネルのために使用されるパラメータ及び／又は参照信号のために使用されるパラメータであると決定するステップ
を含む。
【００３４】
任意選択で、ＵＥによって、基地局によって通知された第１のサブキャリア間隔を取得するステップは、
ＵＥによって、基地局によって送られた以下の情報、即ち
第１のパラメータの値、第１のパラメータとＵＥの現在のパラメータとの間の相対関係、第１のパラメータと共通参照パラメータとの間の相対関係、及び第１のパラメータとプリセットされたチャネルのために使用されるパラメータとの間の相対関係
のうちの少なくとも１つに基づいて第１のサブキャリア間隔を決定するステップを含む。
【００３５】
任意選択で、方法は、
ＵＥによって、基地局によって通知される第１のサブキャリア間隔の有効時間及び／又は第１のサブキャリア間隔の有効チャネルを取得するステップをさらに含む。
【００３６】
第３の態様によれば、この出願の一実施形態は、信号送信方法であって、
基地局によって、同期信号周波数ラスタを決定するステップと、
基地局によって、同期信号周波数ラスタと、同期信号周波数ラスタと同期信号を送るために使用されることができる周波数領域位置との間の関係とに基づいて同期信号周波数領域位置のセットを決定するステップであって、同期信号周波数領域位置のセットは、同期信号を送るための周波数領域位置のセット又は同期信号を送るために使用されることができる周波数領域位置のセットである、ステップと、
基地局によって、同期信号周波数領域位置のセットに基づいて同期信号周波数領域位置を決定し、ユーザ機器に同期信号を送るステップと
を含む信号送信方法をさらに提供する。
【００３７】
任意選択で、基地局によって、同期信号周波数ラスタを決定するステップは、
基地局によって、同期信号サブキャリア間隔及び／又は同期信号キャリア周波数に基づいて同期信号周波数ラスタを決定するステップであって、同期信号サブキャリア間隔が、同期信号を送信するために使用され得るサブキャリア間隔又は現在の送信周波数帯域上で使用されるサブキャリア間隔を含む、ステップを含む。
【００３８】
任意選択で、同期信号は、少なくとも１つの同期信号を含む同期信号のグループであり、基地局によって、同期信号サブキャリア間隔に基づいて同期信号周波数ラスタを決定するステップは、
基地局によって、同期信号のサブキャリア間隔に基づいて各同期信号の周波数ラスタを独立して決定するステップ、又は
基地局によって、同期信号のグループ中の１つの同期信号のサブキャリア間隔に基づいて同期信号のグループ中の全ての同期信号の周波数ラスタを決定するステップを含む。
【００３９】
任意選択で、同期信号周波数と同期信号周波数ラスタの周波数との間の周波数差の最小値は、予め定義された決定値である。
【００４０】
任意選択で、基地局によって、同期信号周波数ラスタと、同期信号周波数ラスタと同期信号を送るために使用されることができる周波数領域位置との間の関係とに基づいて同期信号周波数領域位置のセットを決定するステップは、
基地局によって、同期信号帯域幅に基づいて同期信号周波数領域位置のセットを決定するステップを含む。
【００４１】
任意選択で、基地局によって、同期信号周波数ラスタと、同期信号周波数ラスタと同期信号を送るために使用されることができる周波数領域位置との間の関係とに基づいて同期信号周波数領域位置のセットを決定するステップは、
基地局によって、同期信号が位置する送信周波数帯域の中心周波数、最高周波数、又は最低周波数に基づいて同期信号周波数領域位置のセットを決定するステップを含む。
【００４２】
任意選択で、基地局によって、同期信号周波数領域位置のセットに基づいて同期信号周波数領域位置を決定し、ユーザ機器に同期信号を送るステップの前に、方法は、
ユーザ機器が候補同期信号位置のセット又は同期信号周波数ラスタを決定するように、基地局によって、別の送信周波数帯域上で設定情報を送るステップであって、設定情報は、同期信号が位置する動作周波数帯域上に同期信号周波数領域位置のセットを構成するために使用される、ステップ、又は
ユーザ機器が候補同期信号位置のセット又は同期信号周波数ラスタを決定するように、基地局によって、別の基地局を使用することによってユーザ機器に設定情報を送るステップであって、設定情報は、同期信号を送る基地局の動作周波数帯域上に候補同期信号位置のセット又は同期信号周波数ラスタを構成するために使用され、別の基地局は、同期信号  を送る基地局以外の基地局である、ステップをさらに含む。
【００４３】
第４の態様によれば、この出願は、信号送信方法であって、
ユーザ機器によって、同期信号周波数ラスタを決定するステップと、
ユーザ機器によって、同期信号周波数ラスタと、同期信号周波数ラスタと同期信号を送るために使用されることができる周波数領域位置との間の関係とに基づいて同期信号周波数領域位置のセットを決定するステップであって、同期信号周波数領域位置のセットは、同期信号を送るための周波数領域位置のセット又は同期信号を送るために使用されることができる周波数領域位置のセットである、ステップと、
ユーザ機器によって、同期信号周波数領域位置のセットに基づいて同期信号を検出するステップと
を含む信号送信方法をさらに提供する。
【００４４】
任意選択で、ユーザ機器によって、同期信号周波数ラスタを決定するステップは、
ユーザ機器によって、同期信号サブキャリア間隔及び／又は同期信号キャリア周波数に基づいて同期信号周波数ラスタを決定するステップであって、同期信号サブキャリア間隔が、同期信号を送信するために使用され得るサブキャリア間隔又は現在の送信周波数帯域上で使用されるサブキャリア間隔を含む、ステップを含む。
【００４５】
任意選択で、同期信号は、少なくとも１つの同期信号を含む同期信号のグループであり、ユーザ機器によって、同期信号サブキャリア間隔に基づいて同期信号周波数ラスタを決定するステップは、
ユーザ機器によって、同期信号のサブキャリア間隔に基づいて各同期信号の周波数ラスタを独立して決定するステップ、又は
ユーザ機器によって、同期信号のグループ中の１つの同期信号のサブキャリア間隔に基づいて同期信号のグループ中の全ての同期信号の周波数ラスタを決定するステップを含む。
【００４６】
任意選択で、同期信号周波数と同期信号周波数ラスタの周波数との間の周波数差の最小値は、予め定義された決定値である。
【００４７】
任意選択で、ユーザ機器によって、同期信号周波数ラスタと、同期信号周波数ラスタと同期信号を送るために使用されることができる周波数領域位置との間の関係とに基づいて同期信号周波数領域位置のセットを決定するステップは、
ユーザ機器によって、同期信号帯域幅に基づいて同期信号周波数領域位置のセットを決定するステップを含む。
【００４８】
任意選択で、ユーザ機器によって、同期信号周波数ラスタと、同期信号周波数ラスタと同期信号を送るために使用されることができる周波数領域位置との間の関係とに基づいて同期信号周波数領域位置のセットを決定するステップは、
ユーザ機器によって、同期信号が位置する送信周波数帯域の中心周波数、最高周波数、又は最低周波数に基づいて同期信号周波数領域位置のセットを決定するステップを含む。
【００４９】
任意選択で、ユーザ機器によって、同期信号周波数領域位置のセットに基づいて同期信号を検出するステップの前に、方法は、
ユーザ機器によって、候補同期信号位置のセット又は同期信号周波数ラスタを決定するために別の送信周波数帯域上で設定情報を受信するステップであって、設定情報は、同期信号が位置する動作周波数帯域上に同期信号周波数領域位置のセットを構成するために使用される、ステップ、又は
ユーザ機器によって、候補同期信号位置のセット又は同期信号周波数ラスタを決定するために別の基地局から設定情報を受信するステップであって、設定情報は、同期信号を送る基地局の動作周波数帯域上に候補同期信号位置のセット又は同期信号周波数ラスタを構成するために使用され、別の基地局は、同期信号を送る基地局以外の基地局である、ステップ
をさらに含む。
【００５０】
第５の態様によれば、この出願は、パラメータ決定装置であって、
ユーザ機器ＵＥに対応する第１のサブキャリア間隔を決定するように構成された決定モジュールと、
第１のサブキャリア間隔をＵＥに通知するように構成された送信モジュールと
を含むパラメータ決定装置をさらに提供する。
【００５１】
任意選択で、装置は、
ＵＥによって送られたランダムアクセスチャネルを受信するように構成された第１の受信モジュールであって、ランダムアクセスチャネルが、第２のサブキャリア間隔を使用することによってＵＥによって送られたチャネルである、第１の受信モジュールをさらに含み、
決定モジュールは、第２のサブキャリア間隔に基づいて、ＵＥに対応する第１のサブキャリア間隔を決定するようにさらに構成される。
【００５２】
任意選択で、装置は、
ＵＥによって送られた要求を受信するように構成された第２の受信モジュールであって、要求が、ＵＥによって要求されたサブキャリア間隔に対応する指示情報を含む、第２の受信モジュールをさらに含み、
決定モジュールは、ＵＥによって要求されたサブキャリア間隔に対応する指示情報に基づいて、ＵＥに対応する第１のサブキャリア間隔を決定するようにさらに構成される。
【００５３】
任意選択で、決定モジュールは、少なくとも１つのサブキャリア間隔に対応する参照信号測定値に基づいて、ＵＥに対応する第１のサブキャリア間隔を決定するように特に構成される。
【００５４】
任意選択で、決定モジュールは、少なくとも１つのサイクリックプレフィックス（ＣＰ）タイプに対応する参照信号測定値に基づいて、ＵＥに対応するＣＰタイプを決定するようにさらに構成され、
送信モジュールは、ＵＥに対応するＣＰタイプをＵＥに通知するようにさらに構成される。
【００５５】
任意選択で、装置は、
少なくとも１つのサブキャリア間隔に対応する参照信号測定値のうちの少なくとも１つを受信するように構成された第３の受信モジュールであって、参照信号測定値のうちの少なくとも１つが、ＵＥによって送られる、第３の受信モジュールをさらに含む。
【００５６】
任意選択で、送信モジュールは、ＵＥに、少なくとも１つのサブキャリア間隔に対応する参照信号を送るようにさらに構成される。
【００５７】
任意選択で、装置は、
各サブキャリア間隔に対応する参照信号測定値を取得するために少なくとも１つのサブキャリア間隔中の各サブキャリア間隔に対応する参照信号を検出するように構成された検出モジュールをさらに含む。
【００５８】
任意選択で、装置は、
各サブキャリア間隔に対応し且つＵＥによって送られた参照信号を受信するように構成された第４の受信モジュールをさらに含む。
【００５９】
任意選択で、第１のサブキャリア間隔が、チャネルのために使用されるサブキャリア間隔を含み、チャネルのために使用されるサブキャリア間隔が、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【００６０】
任意選択で、決定モジュールは、第３のサブキャリア間隔と、第３のサブキャリア間隔と第１のサブキャリア間隔との間の関係とに基づいて、ＵＥに対応する第１のサブキャリア間隔を決定するようにされに構成され、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとは、異なるチャネルである。
【００６１】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【００６２】
任意選択で、送信モジュールは、ブロードキャストチャネル中で搬送されるシグナリングを使用することによって、第１のサブキャリア間隔がデータチャネルのために使用されるサブキャリア間隔であることをＵＥに通知するようにさらに構成されるか、又は
送信モジュールは、ブロードキャストチャネル又はシステム情報中で搬送されるシグナリングを使用することによって、第１のサブキャリア間隔が、制御チャネルのために使用されるサブキャリア間隔又はランダムアクセスチャネルのために使用されるサブキャリア間隔であることをＵＥに通知するようにさらに構成されるか、又は
送信モジュールは、上位レイヤシグナリングを使用することによって、第１のサブキャリア間隔が制御チャネル、データチャネル、又は参照信号のために使用されるサブキャリア間隔であることをＵＥに通知するようにさらに構成されるか、又は
送信モジュールは、制御チャネル中で搬送されるシグナリングを使用することによって、第１のサブキャリア間隔がデータチャネルのために使用されるパラメータ及び／又は参照信号のために使用されるサブキャリア間隔であることをＵＥに通知するようにさらに構成される。
【００６３】
任意選択で、送信モジュールは、ＵＥに以下の情報、即ち
第１のサブキャリア間隔の値、
第１のサブキャリア間隔とＵＥの現在のサブキャリア間隔との間の相対関係、
第１のサブキャリア間隔と共通参照サブキャリア間隔との間の相対関係、及び
第１のサブキャリア間隔とプリセットされたチャネルのために使用されるサブキャリア間隔との間の相対関係
のうちの少なくとも１つを送ることによって第１のサブキャリア間隔をＵＥに通知するようにさらに構成される。
【００６４】
任意選択で、送信モジュールは、第１のサブキャリア間隔の有効時間及び／又は第１のサブキャリア間隔の有効チャネルをＵＥに通知するようにさらに構成される。
【００６５】
第６の態様によれば、この出願の一実施形態は、パラメータ決定装置であって、
基地局によって通知された第１のサブキャリア間隔を取得するように構成された受信モジュールと、
第１のサブキャリア間隔に基づいて基地局とのデータ送信を実行するように構成された送信モジュールと
を含むパラメータ決定装置をさらに提供する。
【００６６】
任意選択で、装置は、
基地局が、第２のサブキャリア間隔に基づいて第１のサブキャリア間隔を決定するように、第２のサブキャリア間隔を使用することによって基地局にランダムアクセスチャネルを送るように構成された第１の送信モジュールをさらに含む。
【００６７】
任意選択で、装置は、
基地局に要求を送るように構成された第２の送信モジュールをさらに含み、要求は、ＵＥによって要求されたサブキャリア間隔に対応する指示情報を含み、また、要求は、ＵＥによって要求されたサブキャリア間隔に対応する指示情報に基づいて第１のサブキャリア間隔を決定するために基地局によって使用される。
【００６８】
任意選択で、第１のサブキャリア間隔が、少なくとも１つのサブキャリア間隔に対応する参照信号測定値に基づいて基地局によって決定されるサブキャリア間隔である。
【００６９】
任意選択で、受信モジュールは、基地局によって通知されたサイクリックプレフィックス（ＣＰ）タイプを取得するようにさらに構成され、ＣＰタイプは、少なくとも１つのＣＰタイプに対応する参照信号測定値に基づいて基地局によって決定されたＣＰタイプである。
【００７０】
任意選択で、装置は、
基地局に、少なくとも１つのサブキャリア間隔に対応する参照信号測定値のうちの少なくとも１つを送るように構成された第３の送信モジュールをさらに含む。
【００７１】
任意選択で、受信モジュールは、少なくとも１つのサブキャリア間隔に対応し且つ基地局によって送られた参照信号を受信するようにさらに構成される。
【００７２】
任意選択で、少なくとも１つのサブキャリア間隔中の各サブキャリア間隔に対応する参照信号測定値が、基地局によって、各サブキャリア間隔に対応する参照信号を検出することによって取得される。
【００７３】
任意選択で、装置は、
基地局に、少なくとも１つのサブキャリア間隔に対応する参照信号を送るように構成された第４の送信モジュールをさらに含む。
【００７４】
任意選択で、第１のサブキャリア間隔が、チャネルのために使用されるサブキャリア間隔を含み、チャネルのために使用されるサブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【００７５】
任意選択で、第１のサブキャリア間隔は、第３のサブキャリア間隔と、第３のサブキャリア間隔と第１のサブキャリア間隔との間の関係とに基づいて基地局によって決定されたサブキャリア間隔であり、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとは、異なるチャネルである。
【００７６】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【００７７】
任意選択で、受信モジュールは、ブロードキャストチャネル中で搬送され、基地局によって送られたシグナリングに基づいて、第１のサブキャリア間隔がデータチャネルのために使用されるパラメータであると決定するように特に構成されるか、又は
受信モジュールは、ブロードキャストチャネル又はシステム情報中で搬送され、基地局によって送られたシグナリングに基づいて、第１のサブキャリア間隔が、制御チャネルのために使用されるパラメータ又はランダムアクセスチャネルのために使用されるパラメータであると決定するように特に構成されるか、又は
受信モジュールは、基地局によって送られた上位レイヤシグナリングに基づいて、第１のサブキャリア間隔が制御チャネル、データチャネル、又は参照信号のために使用されるパラメータであると決定するように特に構成されるか、又は
受信モジュールは、制御チャネル中で搬送され、基地局によって送られたシグナリングに基づいて、第１のサブキャリア間隔がデータチャネルのために使用されるパラメータ及び／又は参照信号のために使用されるパラメータであると決定するように特に構成される。
【００７８】
任意選択で、受信モジュールは、基地局によって送られた以下の情報、即ち
第１のパラメータの値、第１のパラメータとＵＥの現在のパラメータとの間の相対関係、第１のパラメータと共通参照パラメータとの間の相対関係、及び第１のパラメータとプリセットされたチャネルのために使用されるパラメータとの間の相対関係
のうちの少なくとも１つに基づいて、第１のサブキャリア間隔を決定するようにさらに構成される。
【００７９】
任意選択で、受信モジュールは、基地局によって通知される第１のサブキャリア間隔の有効時間及び／又は第１のサブキャリア間隔の有効チャネルを取得するようにさらに構成される。
【００８０】
第７の態様によれば、この出願の一実施形態は、信号送信装置であって、
同期信号周波数ラスタを決定することと、同期信号周波数ラスタと、同期信号周波数ラスタと同期信号を送るために使用されることができる周波数領域位置との間の関係とに基づいて同期信号周波数領域位置のセットを決定することであって、同期信号周波数領域位置のセットは、同期信号を送るための周波数領域位置のセット又は同期信号を送るために使用されることができる周波数領域位置のセットである、ことと、同期信号周波数領域位置のセットに基づいて同期信号周波数領域位置を決定することとを行うように構成された決定モジュールと、
ユーザ機器に同期信号を送るように構成された送信モジュールと
を含む信号送信装置をさらに提供する。
【００８１】
任意選択で、決定モジュールは、同期信号サブキャリア間隔及び／又は同期信号キャリア周波数に基づいて同期信号周波数ラスタを決定するように特に構成され、同期信号サブキャリア間隔は、同期信号を送信するために使用され得るサブキャリア間隔又は現在の送信周波数帯域上で使用されるサブキャリア間隔を含む。
【００８２】
任意選択で、同期信号は、少なくとも１つの同期信号を含む同期信号のグループであり、決定モジュールは、同期信号のサブキャリア間隔に基づいて各同期信号の周波数ラスタを独立して決定するように特に構成されるか、又は
決定モジュールは、同期信号のグループ中の１つの同期信号のサブキャリア間隔に基づいて同期信号のグループ中の全ての同期信号の周波数ラスタを決定するように特に構成される。
【００８３】
任意選択で、同期信号周波数と同期信号周波数ラスタの周波数との間の周波数差の最小値は、予め定義された決定値である。
【００８４】
任意選択で、決定モジュールは、同期信号帯域幅に基づいて同期信号周波数領域位置のセットを決定するように特に構成される。
【００８５】
任意選択で、決定モジュールは、同期信号が位置する送信周波数帯域の中心周波数、最高周波数、又は最低周波数に基づいて同期信号周波数領域位置のセットを決定するように特に構成される。
【００８６】
任意選択で、送信モジュールは、ユーザ機器が候補同期信号位置のセット又は同期信号周波数ラスタを決定するように、別の送信周波数帯域上で設定情報を送ることであって、設定情報は、同期信号が位置する動作周波数帯域上に同期信号周波数領域位置のセットを構成するために使用される、ことを行うようにさらに構成されるか、又は
送信モジュールは、ユーザ機器が候補同期信号位置のセット又は同期信号周波数ラスタを決定するように、別の基地局を使用することによってユーザ機器に設定情報を送ることであって、設定情報は、同期信号を送る基地局の動作周波数帯域上に候補同期信号位置のセット又は同期信号周波数ラスタを構成するために使用され、別の基地局は、同期信号を送る基地局以外の基地局である、ことを行うようにさらに構成される。
【００８７】
第８の態様によれば、この出願は、信号送信装置であって、
同期信号周波数ラスタを決定することと、同期信号周波数ラスタと、同期信号周波数ラスタと同期信号を送るために使用されることができる周波数領域位置との間の関係とに基づいて同期信号周波数領域位置のセットを決定することであって、同期信号周波数領域位置のセットは、同期信号を送るための周波数領域位置のセット又は同期信号を送るために使用されることができる周波数領域位置のセットである、こととを行うように構成された決定モジュールと、
同期信号周波数領域位置のセットに基づいて同期信号を検出するように構成された受信モジュールと
を含む信号送信装置をさらに提供する。
【００８８】
任意選択で、決定モジュールは、同期信号サブキャリア間隔及び／又は同期信号キャリア周波数に基づいて同期信号周波数ラスタを決定するように特に構成され、同期信号サブキャリア間隔が、同期信号を送信するために使用され得るサブキャリア間隔又は現在の送信周波数帯域上で使用されるサブキャリア間隔を含む。
【００８９】
任意選択で、同期信号は、少なくとも１つの同期信号を含む同期信号のグループであり、決定モジュールは、同期信号のサブキャリア間隔に基づいて各同期信号の周波数ラスタを独立して決定するように特に構成されるか、又は
決定モジュールは、同期信号のグループ中の１つの同期信号のサブキャリア間隔に基づいて同期信号のグループ中の全ての同期信号の周波数ラスタを決定するように特に構成される。
【００９０】
任意選択で、同期信号周波数と同期信号周波数ラスタの周波数との間の周波数差の最小値は、予め定義された決定値である。
【００９１】
任意選択で、決定モジュールは、同期信号帯域幅に基づいて同期信号周波数領域位置のセットを決定するように特に構成される。
【００９２】
任意選択で、決定モジュールは、同期信号が位置する送信周波数帯域の中心周波数、最高周波数、又は最低周波数に基づいて同期信号周波数領域位置のセットを決定するように特に構成される。
【００９３】
任意選択で、受信モジュールは、候補同期信号位置のセット又は同期信号周波数ラスタを決定するために別の送信周波数帯域上で設定情報を受信することであって、設定情報は、同期信号が位置する動作周波数帯域上に同期信号周波数領域位置のセットを構成するために使用される、ことを行うようにさらに構成されるか、又は
受信モジュールは、候補同期信号位置のセット又は同期信号周波数ラスタを決定するために別の基地局から設定情報を受信することであって、設定情報は、同期信号を送る基地局の動作周波数帯域上に候補同期信号位置のセット又は同期信号周波数ラスタを構成するために使用され、別の基地局は、同期信号を送る基地局以外の基地局である、ことを行うようにさらに構成される。
【００９４】
第９の態様によれば、この出願の一実施形態は、プロセッサと送信機とを含む基地局であって、プロセッサが送信機に接続され、
プロセッサは、ユーザ機器ＵＥに対応する第１のサブキャリア間隔を決定するように構成され、
送信機は、第１のサブキャリア間隔をＵＥに通知するように構成される、
基地局をさらに提供する。
【００９５】
任意選択で、基地局は、
ＵＥによって送られたランダムアクセスチャネルを受信するように構成された受信機であって、ランダムアクセスチャネルが、第２のサブキャリア間隔を使用することによってＵＥによって送られたチャネルである、受信機をさらに含み、
プロセッサは、第２のサブキャリア間隔に基づいて、ＵＥに対応する第１のサブキャリア間隔を決定するようにさらに構成される。
【００９６】
任意選択で、基地局は、
ＵＥによって送られた要求を受信するように構成された受信機であって、要求が、ＵＥによって要求されたサブキャリア間隔に対応する指示情報を含む、受信機をさらに含み、
プロセッサは、ＵＥによって要求されたサブキャリア間隔に対応する指示情報に基づいて、ＵＥに対応する第１のサブキャリア間隔を決定するようにさらに構成される。
【００９７】
任意選択で、プロセッサは、少なくとも１つのサブキャリア間隔に対応する参照信号測定値に基づいて、ＵＥに対応する第１のサブキャリア間隔を決定するようにさらに構成される。
【００９８】
任意選択で、プロセッサは、少なくとも１つのサイクリックプレフィックス（ＣＰ）タイプに対応する参照信号測定値に基づいて、ＵＥに対応するＣＰタイプを決定するようにさらに構成され、
送信機は、ＵＥに対応するＣＰタイプをＵＥに通知するようにさらに構成される。
【００９９】
任意選択で、基地局は、
少なくとも１つのサブキャリア間隔に対応する参照信号測定値のうちの少なくとも１つを受信するように構成された受信機であって、参照信号測定値のうちの少なくとも１つが、ＵＥによって送られる、受信機をさらに含む。
【０１００】
任意選択で、送信機は、ＵＥに、少なくとも１つのサブキャリア間隔に対応する参照信号を送るようにさらに構成される。
【０１０１】
任意選択で、プロセッサは、各サブキャリア間隔に対応する参照信号測定値を取得するために少なくとも１つのサブキャリア間隔中の各サブキャリア間隔に対応する参照信号を検出するようにさらに構成される。
【０１０２】
任意選択で、基地局は、
各サブキャリア間隔に対応し且つＵＥによって送られた参照信号を受信するように構成された受信機をさらに含む。
【０１０３】
任意選択で、第１のサブキャリア間隔は、チャネルのために使用されるサブキャリア間隔を含み、チャネルのために使用されるサブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【０１０４】
任意選択で、プロセッサは、第３のサブキャリア間隔と、第３のサブキャリア間隔と第１のサブキャリア間隔との間の関係とに基づいて、ＵＥに対応する第１のサブキャリア間隔を決定するように特に構成され、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとは、異なるチャネルである。
【０１０５】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【０１０６】
任意選択で、送信機は、ブロードキャストチャネル中で搬送されるシグナリングを使用することによって、第１のサブキャリア間隔がデータチャネルのために使用されるサブキャリア間隔であることをＵＥに通知するように特に構成されるか、又は
送信機は、ブロードキャストチャネル又はシステム情報中で搬送されるシグナリングを使用することによって、第１のサブキャリア間隔が、制御チャネルのために使用されるサブキャリア間隔又はランダムアクセスチャネルのために使用されるサブキャリア間隔であることをＵＥに通知するように特に構成されるか、又は
送信機は、上位レイヤシグナリングを使用することによって、第１のサブキャリア間隔が制御チャネル、データチャネル、又は参照信号のために使用されるサブキャリア間隔であることをＵＥに通知するように特に構成されるか、又は
送信機は、制御チャネル中で搬送されるシグナリングを使用することによって、第１のサブキャリア間隔がデータチャネルのために使用されるパラメータ及び／又は参照信号のために使用されるサブキャリア間隔であることをＵＥに通知するように特に構成される。
【０１０７】
任意選択で、送信機は、ＵＥに以下の情報、即ち
第１のサブキャリア間隔の値、
第１のサブキャリア間隔とＵＥの現在のサブキャリア間隔との間の相対関係、
第１のサブキャリア間隔と共通参照サブキャリア間隔との間の相対関係、及び
第１のサブキャリア間隔とプリセットされたチャネルのために使用されるサブキャリア  間隔との間の相対関係
のうちの少なくとも１つを送ることによって第１のサブキャリア間隔をＵＥに通知するように特に構成される。
【０１０８】
任意選択で、送信機は、第１のサブキャリア間隔の有効時間及び／又は第１のサブキャリア間隔の有効チャネルをＵＥに通知するようにさらに構成される。
【０１０９】
第１０の態様によれば、この出願の一実施形態は、受信機とプロセッサとを含むＵＥであって、受信機がプロセッサに接続され、
受信機は、基地局によって通知された第１のサブキャリア間隔を取得するように構成され、
プロセッサは、第１のサブキャリア間隔に基づいて基地局とのデータ送信を実行するように構成される、ＵＥをさらに提供する。
【０１１０】
任意選択で、ＵＥは、
基地局が、第２のサブキャリア間隔に基づいて第１のサブキャリア間隔を決定するように、第２のサブキャリア間隔を使用することによって基地局にランダムアクセスチャネルを送るように構成された送信機をさらに含む。
【０１１１】
任意選択で、ＵＥは、
基地局に要求を送るように構成された送信機をさらに含み、要求は、ＵＥによって要求されたサブキャリア間隔に対応する指示情報を含み、また、要求は、ＵＥによって要求されたサブキャリア間隔に対応する指示情報に基づいて第１のサブキャリア間隔を決定するために基地局によって使用される。
【０１１２】
任意選択で、第１のサブキャリア間隔が、少なくとも１つのサブキャリア間隔に対応する参照信号測定値に基づいて基地局によって決定されるサブキャリア間隔である。
【０１１３】
任意選択で、受信機は、基地局によって通知されたサイクリックプレフィックス（ＣＰ）タイプを取得するようにさらに構成され、ＣＰタイプは、少なくとも１つのＣＰタイプに対応する参照信号測定値に基づいて基地局によって決定されたＣＰタイプである。
【０１１４】
任意選択で、ＵＥは、
基地局に、少なくとも１つのサブキャリア間隔に対応する参照信号測定値のうちの少なくとも１つを送るように構成された送信機をさらに含む。
【０１１５】
任意選択で、受信機は、少なくとも１つのサブキャリア間隔に対応し且つ基地局によって送られた参照信号を受信するようにさらに構成される。
【０１１６】
任意選択で、少なくとも１つのサブキャリア間隔中の各サブキャリア間隔に対応する参照信号測定値が、基地局によって、各サブキャリア間隔に対応する参照信号を検出することによって取得される。
【０１１７】
任意選択で、ＵＥは、
基地局に、少なくとも１つのサブキャリア間隔に対応する参照信号を送るように構成された送信機をさらに含む。
【０１１８】
任意選択で、第１のサブキャリア間隔は、チャネルのために使用されるサブキャリア間隔を含み、チャネルのために使用されるサブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【０１１９】
任意選択で、第１のサブキャリア間隔は、第３のサブキャリア間隔と、第３のサブキャリア間隔と第１のサブキャリア間隔との間の関係とに基づいて基地局によって決定されたサブキャリア間隔であり、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとは、異なるチャネルである。
【０１２０】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【０１２１】
任意選択で、プロセッサは、ブロードキャストチャネル中で搬送され、基地局によって送られたシグナリングに基づいて、第１のサブキャリア間隔がデータチャネルのために使用されるパラメータであると決定するようにさらに構成されるか、又は
プロセッサは、ブロードキャストチャネル又はシステム情報中で搬送され、基地局によって送られたシグナリングに基づいて、第１のサブキャリア間隔が、制御チャネルのために使用されるパラメータ又はランダムアクセスチャネルのために使用されるパラメータであると決定するようにさらに構成されるか、又は
プロセッサは、基地局によって送られた上位レイヤシグナリングに基づいて、第１のサブキャリア間隔が制御チャネル、データチャネル、又は参照信号のために使用されるパラメータであると決定するようにさらに構成されるか、又は
プロセッサは、制御チャネル中で搬送され、基地局によって送られたシグナリングに基づいて、第１のサブキャリア間隔がデータチャネルのために使用されるパラメータ及び／又は参照信号のために使用されるパラメータであると決定するようにさらに構成される。
【０１２２】
任意選択で、プロセッサは、基地局によって送られた以下の情報、即ち
第１のパラメータの値、第１のパラメータとＵＥの現在のパラメータとの間の相対関係、第１のパラメータと共通参照パラメータとの間の相対関係、及び第１のパラメータとプリセットされたチャネルのために使用されるパラメータとの間の相対関係
のうちの少なくとも１つに基づいて第１のサブキャリア間隔を決定するようにさらに構成される。
【０１２３】
任意選択で、受信機は、基地局によって通知される第１のサブキャリア間隔の有効時間及び／又は第１のサブキャリア間隔の有効チャネルを取得するようにさらに構成される。
【０１２４】
第１１の態様によれば、この出願の一実施形態は、プロセッサと送信機とを含む基地局であって、プロセッサが送信機に接続され、
プロセッサは、同期信号周波数ラスタを決定することと、同期信号周波数ラスタと、同  期信号周波数ラスタと同期信号を送るために使用されることができる周波数領域位置との間の関係とに基づいて同期信号周波数領域位置のセットを決定することであって、同期信号周波数領域位置のセットは、同期信号を送るための周波数領域位置のセット又は同期信号を送るために使用されることができる周波数領域位置のセットである、ことと、同期信号周波数領域位置のセットに基づいて同期信号周波数領域位置を決定することとを行うように構成され、
送信機は、同期信号周波数領域位置においてユーザ機器に同期信号を送るように構成される、
基地局をさらに提供する。
【０１２５】
任意選択で、プロセッサは、同期信号サブキャリア間隔及び／又は同期信号キャリア周波数に基づいて同期信号周波数ラスタを決定するように特に構成され、同期信号サブキャリア間隔は、同期信号を送信するために使用され得るサブキャリア間隔又は現在の送信周波数帯域上で使用されるサブキャリア間隔を含む。
【０１２６】
任意選択で、同期信号は、少なくとも１つの同期信号を含む同期信号のグループであり、
プロセッサは、同期信号のサブキャリア間隔に基づいて各同期信号の周波数ラスタを独立して決定するように特に構成されるか、又は
プロセッサは、同期信号のグループ中の１つの同期信号のサブキャリア間隔に基づいて同期信号のグループ中の全ての同期信号の周波数ラスタを決定するように特に構成される。
【０１２７】
任意選択で、同期信号周波数と同期信号周波数ラスタの周波数との間の周波数差の最小値は、予め定義された決定値である。
【０１２８】
任意選択で、プロセッサは、同期信号帯域幅に基づいて同期信号周波数領域位置のセットを決定するように特に構成される。
【０１２９】
任意選択で、プロセッサは、同期信号が位置する送信周波数帯域の中心周波数、最高周波数、又は最低周波数に基づいて同期信号周波数領域位置のセットを決定するように特に構成される。
【０１３０】
任意選択で、基地局は、
ユーザ機器が候補同期信号位置のセット又は同期信号周波数ラスタを決定するように、別の送信周波数帯域上で設定情報を送るように構成された受信機であって、設定情報は、同期信号が位置する動作周波数帯域上に同期信号周波数領域位置のセットを構成するために使用される、受信機、又は
ユーザ機器が候補同期信号位置のセット又は同期信号周波数ラスタを決定するように、別の基地局を使用することによってユーザ機器に設定情報を送るように構成された受信機であって、設定情報は、同期信号を送る基地局の動作周波数帯域上に候補同期信号位置のセット又は同期信号周波数ラスタを構成するために使用され、別の基地局は、同期信号を送る基地局以外の基地局である、受信機
をさらに含む。
【０１３１】
第１２の態様によれば、この出願は、プロセッサと受信機とを含むユーザ機器であって、プロセッサが受信機に接続され、
プロセッサは、同期信号周波数ラスタを決定することと、同期信号周波数ラスタと、同期信号周波数ラスタと同期信号を送るために使用されることができる周波数領域位置との間の関係とに基づいて同期信号周波数領域位置のセットを決定することであって、同期信号周波数領域位置のセットは、同期信号を送るための周波数領域位置のセット又は同期信号を送るために使用されることができる周波数領域位置のセットである、こととを行うように構成され、
受信機は、同期信号周波数領域位置のセットに基づいて同期信号を検出するように構成される
ユーザ機器をさらに提供する。
【０１３２】
任意選択で、プロセッサは、同期信号サブキャリア間隔及び／又は同期信号キャリア周波数に基づいて同期信号周波数ラスタを決定するように特に構成され、同期信号サブキャリア間隔が、同期信号を送信するために使用され得るサブキャリア間隔又は現在の送信周波数帯域上で使用されるサブキャリア間隔を含む。
【０１３３】
任意選択で、同期信号は、少なくとも１つの同期信号を含む同期信号のグループであり、プロセッサは、同期信号のサブキャリア間隔に基づいて各同期信号の周波数ラスタを独立して決定するように特に構成されるか、又は
プロセッサは、同期信号のグループ中の１つの同期信号のサブキャリア間隔に基づいて同期信号のグループ中の全ての同期信号の周波数ラスタを決定するように特に構成される。
【０１３４】
任意選択で、同期信号周波数と同期信号周波数ラスタの周波数との間の周波数差の最小値は、予め定義された決定値である。
【０１３５】
任意選択で、プロセッサは、同期信号帯域幅に基づいて同期信号周波数領域位置のセットを決定するように特に構成される。
【０１３６】
任意選択で、プロセッサは、同期信号が位置する送信周波数帯域の中心周波数、最高周波数、又は最低周波数に基づいて同期信号周波数領域位置のセットを決定するように特に構成される。
【０１３７】
任意選択で、受信機は、候補同期信号位置のセット又は同期信号周波数ラスタを決定するために別の送信周波数帯域上で設定情報を受信することであって、設定情報は、同期信号が位置する動作周波数帯域上に同期信号周波数領域位置のセットを構成するために使用される、ことを行うようにさらに構成されるか、又は
受信機は、候補同期信号位置のセット又は同期信号周波数ラスタを決定するために別の基地局から設定情報を受信することであって、設定情報は、同期信号を送る基地局の動作周波数帯域上に候補同期信号位置のセット又は同期信号周波数ラスタを構成するために使用され、別の基地局は、同期信号を送る基地局以外の基地局である、ことを行うように構成される。
【０１３８】
この出願の実施形態におけるパラメータ決定方法、基地局、及びユーザ機器によれば、基地局は、ＵＥに対応する第１のサブキャリア間隔を決定し、第１のサブキャリア間隔をＵＥに通知し、従って、第１のサブキャリア間隔を取得した後に、ＵＥは、第１のサブキャリア間隔に基づいて基地局とのデータ送信を実行することができる。方法では、ＵＥは、マルチサブキャリア間隔システム中で、データ送信のために使用されるサブキャリア間隔について正確に知り、次いで、データ送信を実行し得る。これは、ＵＥが対応するサービスを実行し、それによって、対応するサービス要件を満たすことを効果的に保証することができる。
【図面の簡単な説明】
【０１３９】
【図１】この出願の実施形態１による、パラメータ決定方法のフローチャートである。
【図２】この出願の実施形態２による、パラメータ決定方法のフローチャートである。
【図３】この出願の実施形態２による、別のパラメータ決定方法のフローチャートである。
【図４】この出願の実施形態２による、別のパラメータ決定方法のフローチャートである。
【図５】この出願の実施形態２による、別のパラメータ決定方法のフローチャートである。
【図６】この出願の実施形態３による、信号送信方法のフローチャートである。
【図７】この出願の実施形態４による、信号送信方法のフローチャートである。
【図８】この出願の実施形態５による、パラメータ決定装置の概略構造図である。
【図９】この出願の実施形態６による、パラメータ決定装置の概略構造図である。
【図１０】この出願の実施形態７による、信号送信装置の概略構造図である。
【図１１】この出願の実施形態８による、信号送信装置の概略構造図である。
【図１２】この出願の実施形態９による基地局の概略構造図である。
【図１３】この出願の実施形態１０による、ＵＥの概略構造図である。
【図１４】この出願の実施形態１１による、基地局の概略構造図である。
【図１５】この出願の実施形態１２によるＵＥの概略構造図である。
【発明を実施するための形態】
【０１４０】
この出願の実施形態における方法は、ワイヤレス通信システムに適用可能であり、通信システムは、基地局と端末とを含む。基地局（例えば、アクセスポイント又は送受信ポイント）は、アクセスネットワーク中にあり、１つ又は複数のセクタを使用することによってエアインターフェースを介してワイヤレス端末と通信するデバイスであり得る。基地局は、さらに、エアインターフェースの属性管理を協調させてもよく、例えば、基地局は、ロングタームエボリューション（Ｌｏｎｇ  Ｔｅｒｍ  Ｅｖｏｌｕｔｉｏｎ、ＬＴＥ）中の発展型ノードＢ（ｅｖｏｌｖｅｄ  ＮｏｄｅＢ、ｅＮＢ又はｅノードＢ）であり得る。この出願の実施形態における基地局は、基地局であり得るか、又はリレーデバイスであり得るか、又は基地局機能を有する別のネットワーク要素デバイスであり得ることに留意されたい。この出願にいかなる限定も課されない。端末は、ワイヤレス端末又はワイヤード端末であり得る。ワイヤレス端末は、ユーザにボイス及び／又はデータ接続性を与えるデバイス、ワイヤレス接続機能をもつハンドヘルドデバイス、又はワイヤレスモデムに接続された別の処理デバイスであり得る。ワイヤレス端末は、無線アクセスネットワーク（Ｒａｄｉｏ  Ａｃｃｅｓｓ  Ｎｅｔｗｏｒｋ、ＲＡＮ）を使用することによって１つ又は複数のコアネットワークと通信し得る。ワイヤレス端末は、モバイルフォンなどの（又は「セルラー」フォンと呼ばれる）モバイル端末又はモバイル端末をもつコンピュータであり得る。例えば、ワイヤレス端末は、無線アクセスネットワークとボイス及び／又はデータを交換するポータブルの、ポケットサイズの、ハンドヘルドの、コンピュータ内蔵の、又は車載のモバイル装置、例えば、パーソナル通信サービス（Ｐｅｒｓｏｎａｌ  Ｃｏｍｍｕｎｉｃａｔｉｏｎｓ  Ｓｅｒｖｉｃｅ、ＰＣＳ）フォン、コードレスフォン、セッション開始プロトコル（Ｓｅｓｓｉｏｎ  Ｉｎｉｔｉａｔｉｏｎ  Ｐｒｏｔｏｃｏｌ、ＳＩＰ）フォン、ワイヤレスローカルループ（Ｗｉｒｅｌｅｓｓ  Ｌｏｃａｌ  Ｌｏｏｐ、ＷＬＬ）局、又は携帯情報端末（Ｐｅｒｓｏｎａｌ  Ｄｉｇｉｔａｌ  Ａｓｓｉｓｔａｎｔ、ＰＤＡ）であり得る。ワイヤレス端末は、システム、加入者ユニット（Ｓｕｂｓｃｒｉｂｅｒ  Ｕｎｉｔ、ＳＵ）、加入者局（Ｓｕｂｓｃｒｉｂｅｒ  Ｓｔａｔｉｏｎ、ＳＳ）、移動局（Ｍｏｂｉｌｅ  Ｓｔａｔｉｏｎ、ＭＢ）、モバイルコンソール（Ｍｏｂｉｌｅ）、遠隔局（Ｒｅｍｏｔｅ  Ｓｔａｔｉｏｎ、ＲＳ）、アクセスポイント（Ａｃｃｅｓｓ  Ｐｏｉｎｔ、ＡＰ）、リモート端末（Ｒｅｍｏｔｅ  Ｔｅｒｍｉｎａｌ、ＲＴ）、アクセス端末（Ａｃｃｅｓｓ  Ｔｅｒｍｉｎａｌ、ＡＴ）、ユーザ端末（Ｕｓｅｒ  Ｔｅｒｍｉｎａｌ、ＵＴ）、ユーザエージェント（Ｕｓｅｒ  Ａｇｅｎｔ、ＵＡ）、ユーザデバイス（Ｕｓｅｒ  Ｄｅｖｉｃｅ、ＵＤ）、又はユーザ機器（Ｕｓｅｒ  Ｅｑｕｉｐｍｅｎｔ、ＵＥ）と呼ばれることもある。
【０１４１】
この出願の実施形態における「少なくとも２つの」が「２つ」又は「３つ以上」を意味することを理解されよう。
【０１４２】
既存のロングタームエボリューション（Ｌｏｎｇ  Ｔｅｒｍ  Ｅｖｏｌｕｔｉｏｎ、ＬＴＥ）通信システムでは、異なるタイプのサービス、同じタイプのサービスのものであるアップリンクサービス及びダウンリンクサービス、ならびに同じタイプのサービスの異なるチャネルに対して、主に、１５ｋＨｚなどの固定されたサブキャリア間隔を使用してデータ送信が実行される。言い換えれば、現在のＬＴＥシステムでは、ＵＥによって使用される必要があるサブキャリア間隔は、実際に、ＵＥ側で事前構成される。
【０１４３】
しかしながら、５Ｇ技術における異なるタイプのサービス要件、異なるチャネル送信要件などを満たすために、複数のサブキャリア間隔は、５Ｇ通信システムにおいて、異なるサービスタイプ及び／又は異なるチャネルなどに別々に対応する必要がある。通信システムに複数のサブキャリア間隔があるとき、ＵＥの現在のデータ送信において必要とされるサブキャリア間隔が不確定なので、ＵＥの現在のデータ送信要件を満たすために、ＵＥについて現在のデータ送信において必要とされるサブキャリア間隔を決定する必要がある。
【０１４４】
この出願の以下の実施形態におけるパラメータ決定方法及び装置、基地局、ならびにユーザ機器は、通信システム中に複数のサブキャリア間隔などの複数のパラメータがあるとき、ＵＥが対応するサービスを正確に実装することができるように、ＵＥについて、ＵＥによって現在必要とされるサブキャリア間隔を正確に決定することを目的とする。
【０１４５】
以下は、この出願における技術的解決策及び上記の技術的問題がこの出願における技術的解決策でどのように解決されるのかについて詳細に説明するために特定の実施形態を使用する。以下の特定の実施形態は、互いに組み合わされてもよく、同じ又は同様の概念又は処理について、いくつかの実施形態では繰り返し説明しないことがある。
【０１４６】
この出願で説明する参照信号は、参照チャネル、パイロットチャネル、又はパイロット信号と呼ばれることもあり、同期信号は、同期チャネルと呼ばれることもあることに留意されたい。
【０１４７】
図１は、この出願の実施形態１による、パラメータ決定方法のフローチャートである。パラメータ決定方法は、基地局とＵＥとの間の対話を通して実行され得る。図１に示すように、この実施形態におけるパラメータ決定方法は、以下のステップを含み得る。
【０１４８】
Ｓ１０１．基地局は、ＵＥに対応する第１のサブキャリア間隔を決定する。
【０１４９】
詳細には、基地局は、プリセットされたサブキャリア間隔決定ルールに従って、ＵＥに対応する第１のサブキャリア間隔を決定し得るか、又はＵＥによって現在使用されているサブキャリア間隔に基づいて、ＵＥに対応する第１のサブキャリア間隔を決定し得るか、又はＵＥによって要求されたサブキャリア間隔の指示情報に基づいて、ＵＥに対応する第１のサブキャリア間隔を決定し得るか、又は少なくとも１つのサブキャリア間隔に対応する参照信号を測定することによって、ＵＥに対応する第１のサブキャリア間隔を決定し得るか、又は別の知られているサブキャリア間隔に基づいて、ＵＥに対応する第１のサブキャリア間隔を決定し得る。方法における基地局は、さらに、別の方式で、ＵＥに対応する第１のサブキャリア間隔を決定し得ることに留意されたい。
【０１５０】
第１のサブキャリア間隔は、参照サブキャリア間隔であってもよく、参照サブキャリア間隔は、共通レベルの参照サブキャリア間隔及び／又はＵＥレベルの参照サブキャリア間隔を含み得る。
【０１５１】
代替として、第１のサブキャリア間隔は、チャネルのために使用されるサブキャリア間隔であってもよく、チャネルのために使用されるサブキャリア間隔は、共通チャネルのために使用されるサブキャリア間隔及び／又はＵＥレベルのチャネルのために使用されるサブキャリア間隔を含み得る。
【０１５２】
Ｓ１０２．基地局は、第１のサブキャリア間隔をＵＥに通知する。
【０１５３】
基地局は、シグナリングを使用することによって第１のサブキャリア間隔をＵＥに通知し得るか、又は別の方式で第１のサブキャリア間隔をＵＥに通知し得る。基地局は、第１のサブキャリア間隔の特定のパラメータ値をＵＥに通知し得るか、又は第１のサブキャリア間隔と別のパラメータとの間の対応をＵＥに通知し得る。言い換えれば、基地局は、第１のサブキャリア間隔をＵＥに明示的に通知し得るか、又は第１のサブキャリア間隔をＵＥに暗黙的に通知し得る。もちろん、基地局は、別の方式で第１のサブキャリア間隔をＵＥに通知し得る。この出願にいかなる限定も課されない。
【０１５４】
基地局は、第１のサブキャリア間隔をＵＥに通知するために、シグナリングの情報ビットに第１のサブキャリアの値又は指示情報を追加し、ＵＥにシグナリングを送り得る。
【０１５５】
シグナリングは、例えば、以下のもの、即ち
ランダムアクセス応答、
ランダムアクセス手順中のメッセージ４、
無線リソース制御（Ｒａｄｉｏ  Ｒｅｓｏｕｒｃｅ  Ｃｏｎｔｒｏｌ、ＲＲＣ）シグナリング、
媒体アクセス制御制御要素（Ｍｅｄｉｕｍ  Ａｃｃｅｓｓ  Ｃｏｎｔｒｏｌ  Ｃｏｎｔｒｏｌ  Ｅｌｅｍｅｎｔ、ＭＡＣ  ＣＥ）、及び
物理ダウンリンク制御チャネル
のうちの少なくとも１つを含み得る。
【０１５６】
Ｓ１０３．ＵＥは、第１のサブキャリア間隔に基づいて基地局とのデータ送信を実行する。
【０１５７】
詳細には、データの送信処理中に、基地局は、第１のサブキャリア間隔に基づいてデータのベースバンド信号を生成する。
【０１５８】
代替として、ＵＥは、第１のサブキャリア間隔に基づいて、第１のサブキャリア間隔に対応するサブフレーム長を決定し、サブフレーム長に基づいてデータ送信の時間単位を決定し、時間単位に基づいて基地局とのデータ送信を実行し得る。時間単位は、送信時間間隔と呼ばれることがあり、送信時間間隔は、少なくとも１つのサブフレーム、スロット、及びミニスロットの長さであり得る。１つのサブフレームは、いくつかのスロット又はミニスロットを含む。
【０１５９】
例えば、第１のサブキャリア間隔は、１５ｋＨｚ＊２＾ｎであってもよく、ここで、ｎは、−２から６までの任意の整数である。例えば、ＵＥは、第１のサブキャリア間隔に基づいて第１のサブキャリア間隔のｎの値を決定し、次いで、ｎの値に基づいて式１／（２＾ｎ）ｍｓを使用することによって、第１のサブキャリア間隔に対応するサブフレーム長を決定し得る。
【０１６０】
任意選択で、例えば、ＵＥが第１のサブキャリア間隔に基づいて基地局とのデータ送信を実行するＳ１０３は、以下を含み得る。
【０１６１】
ＵＥは、第１のサブキャリア間隔に基づいて基地局にチャネルを送り、基地局は、第１のサブキャリア間隔に基づいて、ＵＥによって送られたチャネルを受信するか、又は
基地局は、第１のサブキャリア間隔に基づいてＵＥにチャネルを送り、ＵＥは、第１のサブキャリア間隔に基づいて、基地局によって送られたチャネルを受信する。
【０１６２】
この出願の実施形態１において提供されるパラメータ決定方法では、基地局は、ＵＥに対応する第１のサブキャリア間隔を決定し、第１のサブキャリア間隔をＵＥに通知し、従って、第１のサブキャリア間隔を取得した後に、ＵＥは、第１のサブキャリア間隔に基づいて基地局とのデータ送信を実行することができる。方法では、ＵＥは、マルチサブキャリア間隔システム中で、データ送信のために使用されるサブキャリア間隔について正確に知り、次いで、データ送信を実行し得る。これは、ＵＥが対応するサービスを実行し、それによって、対応するサービス要件を満たすことを効果的に保証することができる。
【０１６３】
任意選択で、基地局がＵＥに対応する第１のサブキャリア間隔を決定するＳ１０１は、以下を含み得る。
【０１６４】
基地局は、ＵＥが動作するキャリア周波数に基づいて、ＵＥに対応する第１のサブキャリア間隔としてキャリア周波数に対応するサブキャリア間隔を決定する。
【０１６５】
詳細には、例えば、基地局は、キャリア周波数と、キャリア周波数とサブキャリア間隔との間のプリセットされた対応とに基づいて、ＵＥに対応する第１のサブキャリア間隔としてキャリア周波数に対応するサブキャリア間隔を決定し得る。キャリア周波数とサブキャリア間隔との間のプリセットされた対応は、テーブル又はデータベースの形態で基地局側に記憶され得る。
【０１６６】
例えば、キャリア周波数とサブキャリア間隔との間のプリセットされた対応を、以下の表１に示し得る。
【０１６７】
【表１】
2019533365.tif 000023
【０１６８】
表１を参照すると、キャリア周波数が６ＧＨｚを下回る場合、方法では、基地局は、キャリア周波数に基づいて、第１のサブキャリア間隔が１５ｋＨｚ、３０ｋＨｚ、又は６０ｋＨｚであると決定し得る。キャリア周波数が３０ＧＨｚである場合、方法では、基地局は、キャリア周波数に基づいて、第１のサブキャリア間隔が６０ｋＨｚ、１２０ｋＨｚ、又は２４０ｋＨｚであると決定し得る。
【０１６９】
任意選択で、方法では、基地局は、キャリア周波数に基づいて、ＵＥに対応するサイクリックプレフィックス（Ｃｙｃｌｉｃ  Ｐｒｅｆｉｘ、ＣＰ）タイプとしてキャリア周波数に対応するＣＰタイプをさらに決定し得る。
【０１７０】
詳細には、例えば、基地局は、キャリア周波数と、キャリア周波数とＣＰタイプとの間のプリセットされた対応とに基づいて、ＵＥに対応するＣＰタイプとしてキャリア周波数に対応するＣＰタイプを決定し得る。キャリア周波数とＣＰタイプとの間のプリセットされた対応は、テーブル又はデータベースの形態で基地局側に記憶され得る。
【０１７１】
例えば、キャリア周波数とＣＰタイプとの間のプリセットされた対応を、以下の表２に示し得る。
【０１７２】
【表２】
2019533365.tif 000024
【０１７３】
表２を参照すると、キャリア周波数が６ＧＨｚを下回る場合、方法では、基地局は、キャリア周波数に基づいて、ＵＥに対応するＣＰタイプがノーマルサイクリックプレフィックス（Ｎｏｒｍａｌ  Ｃｙｃｌｉｃ  Ｐｒｅｆｉｘ、ＮＣＰ）であると決定し得る。キャリア周波数が３０ＧＨｚである場合、方法では、基地局は、キャリア周波数に基づいて、ＵＥに対応するＣＰタイプがＮＣＰ又は拡張サイクリックプレフィックス（Ｅｘｔｅｎｄｅｄ  Ｃｙｃｌｉｃ  Ｐｒｅｆｉｘ、ＥＣＰ）であると決定し得る。
【０１７４】
代替として、基地局がＵＥに対応する第１のサブキャリア間隔を決定するＳ１０１は、以下を含み得る。
【０１７５】
基地局は、ＵＥのタイプに基づいて、ＵＥに対応する第１のサブキャリア間隔としてＵＥのタイプに対応するサブキャリア間隔を決定する。
【０１７６】
詳細には、基地局は、ユーザによってサポートされるサービスタイプに基づいて異なるＵＥタイプを定義し得る。例えば、基地局は、ＵＥのタイプと、ＵＥタイプとサブキャリア間隔との間のプリセットされた対応とに基づいて、ＵＥに対応する第１のサブキャリア間隔としてＵＥのタイプに対応するサブキャリア間隔を決定し得る。ＵＥタイプとサブキャリア間隔との間のプリセットされた対応は、テーブル又はデータベースの形態で基地局側に記憶され得る。
【０１７７】
例えば、ＵＥタイプとサブキャリア間隔との間のプリセットされた対応を、以下の表３に示し得る。
【０１７８】
【表３】
2019533365.tif 000025
【０１７９】
表３を参照すると、ＵＥのタイプがタイプ１であり、ＵＥが、ｅＭＢＢサービスをサポートし得る場合、方法では、基地局は、ＵＥのタイプに基づいて、ＵＥに対応する第１のサブキャリア間隔が７．５ｋＨｚ、１５ｋＨｚ、３０ｋＨｚ、又は６０ｋＨｚのいずれか１つであると決定し得る。ＵＥのタイプがタイプ２であり、ＵＥが、ＵＲＬＬＣサービスをサポートし得る場合、方法では、基地局は、ＵＥのタイプに基づいて、ＵＥに対応する第１のサブキャリア間隔が１５ｋＨｚ、３０ｋＨｚ、又は６０ｋＨｚのいずれか１つであると決定し得る。ＵＥのタイプがタイプ３であり、ＵＥが、ｍＭＴＣサービスをサポートし得る場合、方法では、基地局は、ＵＥのタイプに基づいて、ＵＥに対応する第１のサブキャリア間隔が３．７５ｋＨｚ、７．５ｋＨｚ、又は１５ｋＨｚのいずれか１つであると決定し得る。ＵＥのタイプがタイプ４であり、ＵＥが、ｅＭＢＢサービスとＵＲＬＬＣサービスとをサポートし得る場合、方法では、基地局は、ＵＥのタイプに基づいて、ＵＥに対応する第１のサブキャリア間隔が７．５ｋＨｚ、１５ｋＨｚ、３０ｋＨｚ、又は６０ｋＨｚのいずれか１つであると決定し得る。
【０１８０】
任意選択で、基地局は、ユーザが動作するキャリア周波数に基づいて異なるＵＥタイプを定義し得る。例えば、基地局は、ＵＥのタイプと、ＵＥタイプとサブキャリア間隔との間のプリセットされた対応とに基づいて、ＵＥに対応する第１のサブキャリア間隔としてＵＥのタイプに対応するサブキャリア間隔を決定し得る。ＵＥタイプとサブキャリア間隔との間のプリセットされた対応は、テーブル又はデータベースの形態で基地局側に記憶され得る。
【０１８１】
【表４】
2019533365.tif 000026
【０１８２】
表４を参照すると、ＵＥのタイプがタイプ１であり、ＵＥが動作するキャリア周波数が６ＧＨｚを下回る場合、基地局は、ＵＥに対応する第１のサブキャリア間隔が１５ｋＨｚ、３０ｋＨｚ、又は６０ｋＨｚであると決定する。ＵＥのタイプがタイプ２であり、ＵＥが動作するキャリア周波数が約３０ＧＨｚである場合、基地局は、ＵＥに対応する第１のサブキャリア間隔が６０ｋＨｚ、１２０ｋＨｚ、又は２４０ｋＨｚのであると決定する。ＵＥのタイプがタイプ３であり、ＵＥが動作するキャリア周波数が約７０ＧＨｚである場合、基地局は、ＵＥに対応する第１のサブキャリア間隔が２４０ｋＨｚ又は４８０ｋＨｚであると決定する。
【０１８３】
任意選択で、方法では、基地局は、ＵＥのタイプに基づいて、ＵＥに対応するＣＰタイプとしてＵＥのタイプに対応するＣＰタイプをさらに決定し得る。
【０１８４】
詳細には、例えば、基地局は、ＵＥのタイプと、ＵＥタイプとＣＰタイプとの間のプリセットされた対応とに基づいて、ＵＥに対応するＣＰタイプとしてＵＥのタイプに対応するＣＰタイプを決定し得る。ＵＥタイプとＣＰタイプとの間のプリセットされた対応は、テーブル又はデータベースの形態で基地局側に記憶され得る。
【０１８５】
例えば、ＵＥタイプとＣＰタイプとの間のプリセットされた対応を、以下の表５に示し得る。
【０１８６】
【表５】
2019533365.tif 000027
【０１８７】
表５を参照すると、ＵＥのタイプがタイプ１であるのか、タイプ２であるのか、タイプ３であるのか、又はタイプ４であるのかにかかわらず、ＵＥに対応するＣＰタイプは、ＮＣＰ又はＥＣＰであり得る。
【０１８８】
代替として、基地局がＵＥに対応する第１のサブキャリア間隔を決定するＳ１０１は、以下を含み得る。
【０１８９】
基地局は、チャネルタイプに基づいて、ＵＥに対応する第１のサブキャリア間隔としてチャネルタイプに対応するサブキャリア間隔を決定する。
【０１９０】
詳細には、基地局は、チャネルタイプと、プリセットされたチャネルタイプに対応するサブキャリア間隔と、チャネルタイプとプリセットされたチャネルタイプに対応するサブキャリア間隔との間の相対関係とに基づいて、ＵＥに対応する第１のサブキャリア間隔を決定し得る。
【０１９１】
例えば、チャネルタイプが制御チャネルであり、プリセットされたチャネルタイプが、例えば、データチャネルであり得る場合、チャネルタイプとプリセットされたチャネルタイプに対応するサブキャリア間隔との間の相対関係は、以下を含み得る。制御チャネルに対応するサブキャリア間隔は、プリセットされたチャネルタイプに対応するサブキャリア間隔と同じであるか、又は制御チャネルに対応するサブキャリア間隔は、プリセットされたチャネルタイプに対応するサブキャリア間隔の２＾ｎ倍などの整数倍であり、ここで、ｎは、−２から６までの任意の整数である。
【０１９２】
チャネルタイプが参照信号であり、プリセットされたチャネルタイプが、例えば、データチャネルであり得る場合、チャネルタイプとプリセットされたチャネルタイプに対応するサブキャリア間隔との間の相対関係は、以下を含み得る。参照信号に対応するサブキャリア間隔は、プリセットされたチャネルタイプに対応するサブキャリア間隔と同じであるか、又は参照信号に対応するサブキャリア間隔は、プリセットされたチャネルタイプに対応するサブキャリア間隔の２＾ｎ倍などの整数倍であり、ここで、ｎは、−２から６までの任意の整数である。
【０１９３】
任意選択で、方法は、以下をさらに含み得る。
【０１９４】
基地局は、チャネル送信モードに基づいて、ＵＥに対応するＣＰタイプとしてチャネル送信モードに対応するＣＰタイプを決定する。
【０１９５】
詳細には、チャネル送信モードが単一の局送信モードである場合、基地局は、送信モードに基づいて、ＵＥに対応するＣＰタイプがＮＣＰであると決定し得るか、又はチャネル送信モードがマルチ局送信モードである場合、基地局は、送信モードに基づいて、ＵＥに対応するＣＰタイプがＥＣＰであると決定し得る。マルチ局送信モードは、複数の局が同じデータを送信する送信モードを含み得る。
【０１９６】
キャリア周波数、ＵＥのタイプ、又はチャネルタイプのうちのいずれか１つに基づいて、ＵＥに対応する第１のサブキャリア間隔を決定する上記の解決策がまたＵＥによって実行され得ることに留意されたい。例えば、ＵＥが、キャリア周波数、ＵＥのタイプ、又はチャネルタイプのうちのいずれか１つに基づいて、ＵＥに対応する第１のサブキャリア間隔を決定する場合、基地局は、第１のサブキャリア間隔をＵＥに通知する必要がない。言い換えれば、基地局とＵＥとは、ＵＥに対応する第１のサブキャリア間隔を決定するために同じサブキャリア間隔決定ルールを使用し得る。このようにして、ＵＥはまた、マルチサブキャリア間隔システム中で、データ送信のために使用されるサブキャリア間隔について正確に知り、次いで、データ送信を実行し得る。これは、ＵＥが対応するサービスを実行し、それによって、対応するサービス要件を満たすことを効果的に保証することができる。上記のサブキャリア間隔決定ルールは、以下の通りであり得る。決定することは、キャリア周波数、ＵＥのタイプ、又はチャネルタイプのうちのいずれか１つに基づいて実行される。
【０１９７】
任意選択で、この出願の実施形態２は、パラメータ決定方法をさらに提供し得る。図２は、この出願の実施形態２による、パラメータ決定方法のフローチャートである。図２に示すように、方法は、上記のパラメータ決定方法に基づく。基地局がＵＥに対応する第１のサブキャリア間隔を決定するＳ１０１の前に、方法は、以下のステップをさらに含み得る。
【０１９８】
Ｓ２０１．基地局は、ＵＥによって送られたランダムアクセスチャネルを受信し、ここで、ランダムアクセスチャネルは、第２のサブキャリア間隔を使用することによってＵＥによって送られたチャネルである。
【０１９９】
Ｓ２０２．基地局は、第２のサブキャリア間隔と、第２のサブキャリア間隔とデータチャネル又は参照チャネルに対応するサブキャリア間隔との間のプリセットされた関係とに基づいて、ＵＥに対応する第１のサブキャリア間隔がデータチャネル又は参照信号に対応するサブキャリア間隔であると決定する。
【０２００】
詳細には、データチャネル／参照信号に対応するサブキャリア間隔は、第２のサブキャリア間隔と同じであるか、又はデータチャネル／参照信号に対応するサブキャリア間隔は、第２のサブキャリア間隔の２＾ｎ倍などの整数倍である。
【０２０１】
代替として、この出願の実施形態２は、パラメータ決定方法をさらに提供し得る。図３は、この出願の実施形態２による、別のパラメータ決定方法のフローチャートである。図３に示すように、方法は、上記のパラメータ決定方法に基づく。基地局がＵＥに対応する第１のサブキャリア間隔を決定するＳ１０１の前に、方法は、以下のステップをさらに含み得る。
【０２０２】
Ｓ３０１．基地局は、ＵＥによって送られた要求を受信し、ここで、要求は、ＵＥによって要求されたサブキャリア間隔に対応する指示情報を含む。
【０２０３】
詳細には、例えば、サブキャリア間隔の切替えを実行する必要があるとＵＥが決定するとき、ＵＥは、基地局に要求を送ってもよく、ＵＥによって要求され、要求中に含まれるサブキャリア間隔は、ＵＥが切り替えることを要求するターゲットサブキャリア間隔である。
【０２０４】
例えば、ＵＥによって要求されたサブキャリア間隔に対応する指示情報は、ＵＥによって要求されたサブキャリア間隔の特定のパラメータ値によって表され得るか、又はＵＥによって要求されたサブキャリア間隔とプリセットされたサブキャリア間隔との間の相対関係によって表され得る。例えば、プリセットされたサブキャリア間隔は、ＵＥの現在の参照サブキャリア間隔、共通参照サブキャリア間隔、又は少なくとも１つのチャネルのために使用されるサブキャリア間隔のうちのいずれか１つである。ＵＥによって要求されたサブキャリア間隔とプリセットされたサブキャリア間隔との間の相対関係は、以下を含み得る。ＵＥによって要求されたサブキャリア間隔は、プリセットされたサブキャリア間隔と同じであるか、又はＵＥによって要求されたサブキャリア間隔は、プリセットされたサブキャリア間隔の２＾ｎ倍などの整数倍であり、ここで、ｎは、−２から６までの任意の整数である。
【０２０５】
例えば、ＵＥによって要求されたサブキャリア間隔に対応する指示情報が、ＵＥによって要求されたサブキャリア間隔の特定のパラメータ値によって表される場合、ＵＥによって要求されたサブキャリア間隔に対応する指示情報は、例えば、３．７５ｋＨｚ、７．５ｋＨｚ、１５ｋＨｚ、３０ｋＨｚ、６０ｋＨｚなど、又は１５ｋＨｚ＊２＾ｎ、又は１５ｋＨｚ＊ｍ或いは１５ｋＨｚ／ｍのうちのいずれか１つであってもよく、ここで、ｎは、−２から６までの任意の整数であり、ｍは、０よりも大きい整数である。ＵＥによって要求されたサブキャリア間隔に対応する指示情報が、ＵＥによって要求されたサブキャリア間隔とプリセットされたサブキャリア間隔との間の相対関係によって表される場合、ＵＥによって要求されたサブキャリア間隔に対応する指示情報は、ｎであってもよく、ここで、ｎは、−２から６までの任意の整数である。
【０２０６】
Ｓ３０２．基地局は、ＵＥによって要求されたサブキャリア間隔に対応する指示情報に基づいて、ＵＥに対応する第１のサブキャリア間隔を決定する。
【０２０７】
詳細には、基地局は、ＵＥによって要求されたサブキャリア間隔に対応する指示情報に基づいて、ＵＥによって要求されたサブキャリア間隔を決定し、ＵＥによって要求されたサブキャリア間隔がＵＥに適用可能であるのかどうかを決定し得る。ＵＥによって要求されたサブキャリア間隔がＵＥに適用可能である場合、基地局は、ＵＥに対応する第１のサブキャリア間隔としてＵＥによって要求されたサブキャリア間隔を決定する。ＵＥによって要求されたサブキャリア間隔がＵＥに適用可能でない場合、基地局は、ＵＥによって要求されたサブキャリア間隔に基づいて、ＵＥに対応する第１のサブキャリア間隔としてサブキャリア間隔を決定し、ここで、プリセットされた差はサブキャリア間隔とＵＥによって要求されたサブキャリア間隔との間に存在する。
【０２０８】
基地局は、ＵＥによって要求されたサブキャリア間隔に対応する指示情報に基づいて、ＵＥに対応する第１のサブキャリア間隔を決定し、従って、ＵＥは、対応するサービス要件を正確に実装し、サービスパフォーマンスを保証するために、第１のサブキャリア間隔について知った後に、サブキャリア間隔の切替えを正確に実行する。
【０２０９】
代替として、この出願の実施形態２は、パラメータ決定方法をさらに提供し得る。図４は、この出願の実施形態２による、別のパラメータ決定方法のフローチャートである。図４に示すように、方法は、上記のパラメータ決定方法に基づく。基地局がＵＥに対応する第１のサブキャリア間隔を決定するＳ１０１は、以下のステップを含む。
【０２１０】
Ｓ４０１．基地局は、少なくとも１つのサブキャリア間隔に対応する参照信号測定値指示に基づいて、ＵＥに対応する第１のサブキャリア間隔を決定する。
【０２１１】
詳細には、基地局は、少なくとも１つのサブキャリア間隔に対応する参照信号測定値指示に基づいて、ＵＥに対応する第１のサブキャリア間隔として少なくとも１つのサブキャリア間隔から１つのサブキャリア間隔を選択し得る。この出願における参照信号測定値指示は、サブキャリア品質表示と呼ばれることもある。
【０２１２】
参照信号測定値指示は、各サブキャリア間隔に対応する参照信号の信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）、参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）などの測定値指示のうちの少なくとも１つを含み得る。各サブキャリア間隔に対応する参照信号測定値指示は、フィルタ処理済みの測定値指示であり得る。代替として、測定値指示は、最大測定値に対応するサブキャリア間隔を示す。
【０２１３】
各サブキャリア間隔に対応する参照信号は、サブキャリア間隔を使用することによって送られた参照信号である。参照信号は、サブキャリア間隔参照信号（Ｒｅｆｅｒｅｎｃｅ  Ｓｉｇｎａｌ、ＲＳ）、チャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）、復調参照信号（Ｄｅｍｏｄｕｌａｔｉｏｎ  Ｒｅｆｅｒｅｎｃｅ  Ｓｉｇｎａｌ、ＤＭＲＳ）、同期参照信号などのうちの少なくとも１つを含み得る。サブキャリア間隔参照信号はまた、別名を有してもよく、複数のサブキャリア間隔／ＣＰを使用することによって送られる参照信号の測定を通してターゲットサブキャリア間隔／ＣＰに切り替える／それを取得する機能を主に意味する。
【０２１４】
各サブキャリア間隔に対応する参照信号は、サブキャリア間隔を使用することによって送られた参照信号である。参照信号は、マルチパラメータ選択参照信号（Ｒｅｆｅｒｅｎｃｅ  Ｓｉｇｎａｌ、ＲＳ）、チャネル状態情報参照信号（Ｃｈａｎｎｅｌ  Ｓｔａｔｅ  Ｉｎｄｉｃａｔｉｏｎ  Ｒｅｆｅｒｅｎｃｅ  Ｓｉｇｎａｌ、ＣＳＩ−ＲＳ）、復調参照信号（Ｄｅｍｏｄｕｌａｔｉｏｎ  Ｒｅｆｅｒｅｎｃｅ  Ｓｉｇｎａｌ、ＤＭＲＳ）、同期参照信号などのうちの少なくとも１つを含み得る。
【０２１５】
任意選択で、方法は、以下をさらに含み得る。
【０２１６】
基地局は、少なくとも１つのＣＰタイプに対応する参照信号測定値に基づいて、ＵＥに対応するＣＰタイプを決定する。
基地局は、ＵＥに対応するＣＰタイプをＵＥに通知する。
【０２１７】
詳細には、基地局は、少なくとも１つのＣＰタイプに対応する参照信号測定値に基づいて、ＵＥに対応するＣＰタイプとして少なくとも１つのＣＰタイプからＣＰタイプを選択し得る。各ＣＰタイプに対応する参照信号は、ＣＰタイプを使用することによって送られた参照信号である。
【０２１８】
基地局は、第１のサブキャリア間隔をＵＥに通知する上記の方式と同じ又は同様である方式でＵＥに対応するＣＰタイプをＵＥに通知してもよく、詳細は、本明細書で説明しない。
【０２１９】
任意選択で、基地局が、少なくとも１つのサブキャリア間隔に対応する参照信号測定値に基づいて、ＵＥに対応する第１のサブキャリア間隔を決定するＳ４０１の前に、方法は、以下をさらに含み得る。
【０２２０】
Ｓ４０１ａ．基地局は、少なくとも１つのサブキャリア間隔に対応する参照信号測定値指示のものであり、かつＵＥによって送られたものである少なくとも１つのものを受信する。
【０２２１】
言い換えれば、少なくとも１つのサブキャリア間隔に対応する参照信号測定値は、ＵＥによって送られた値のうちの少なくとも１つであってもよく、ＵＥが少なくとも１つのサブキャリア間隔に対応する参照信号を測定した後に取得される。例えば、ＵＥは、最良の品質を示す測定値指示のみを送り、測定値指示は、測定値であり得るか、又は測定値シーケンス中にソートされた対応するサブキャリア間隔を示し得る。
【０２２２】
任意選択で、基地局が、少なくとも１つのサブキャリア間隔に対応し且つＵＥによって送られた参照信号測定値を受信するＳ４０１ａの前に、方法は、以下をさらに含み得る。
【０２２３】
基地局は、第１のトリガ方式をＵＥに通知し、
基地局は、少なくとも１つのサブキャリア間隔に対応し且つ第１のトリガ方式に基づいてＵＥによって送られた参照信号測定値を受信する。
【０２２４】
詳細には、第１のトリガ方式は、例えば、測定値報告期間、測定値報告状態、プリセットされたシグナリングなどのトリガリング方式のうちの少なくとも１つを含み得る。
【０２２５】
測定値報告状態は、以下の状態のうちのいずれか１つを含み得る。測定値が、プリセットされたしきい値を超えるか、ターゲットサブキャリア間隔に対応する測定値と現在のサブキャリア間隔に対応する測定値との間の差がプリセットされたしきい値を超えるか、ターゲットサブキャリア間隔に対応する測定値と現在のサブキャリア間隔に対応する測定値との間の差がプリセットされた範囲内に入るか、現在のチャネルのブロック誤り率（Ｂｌｏｃｋ  Ｅｒｒｏｒ  Ｒａｔｅ、ＢＬＥＲ）がプリセットされたしきい値を超えるか、現在のチャネルのＳＩＮＲがプリセットされたしきい値を超えるか、又は現在のチャネルのＲＳＲＰがプリセットされたしきい値を超える。
【０２２６】
プリセットされたシグナリングは、プリセットされたフラグ（Ｆｌａｇ）情報ビットの値が１などのプリセットされた値であるシグナリングを含み得る。シグナリングは、ランダムアクセス応答、ランダムアクセスプロシージャ中のメッセージ４、ＲＲＣシグナリング、ＭＡＣ  ＣＥ、又は物理ダウンリンク制御チャネルのうちのいずれか１つであり得る。物理ダウンリンク制御チャネルは、ランダムアクセス応答に対応する物理ダウンリンク制御チャネル、ランダムアクセスプロシージャ中のメッセージ４に対応する物理レイヤダウンリンク制御チャネル、ユーザの無線ネットワーク一時識別子（Ｒａｄｉｏ  Ｎｅｔｗｏｒｋ  Ｔｅｍｐｏｒａｒｙ  Ｉｄｅｎｔｉｆｉｅｒ、ＲＮＴＩ）によってスクランブルされた物理ダウンリンク制御チャネル、又はページングＲＮＴＩ、システム情報ＲＮＴＩ、若しくはアクセスＲＮＴＩのうちのいずれか１つなどの共通のＲＮＴＩによってスクランブルされた物理ダウンリンク制御チャネルのうちのいずれか１つであり得る。
【０２２７】
任意選択で、基地局が、少なくとも１つのサブキャリア間隔に対応し且つＵＥによって送られた参照信号測定値を受信するＳ４０１ａの前に、方法は、以下をさらに含み得る。
【０２２８】
Ｓ４０１ｂ．基地局は、ＵＥに、少なくとも１つのサブキャリア間隔に対応する参照信号を送る。
【０２２９】
詳細には、基地局は、少なくとも１つのサブキャリア間隔に対応する参照信号を送るために各サブキャリア間隔を使用することによってＵＥに参照信号を送り得る。
【０２３０】
代替として、この出願の実施形態２は、パラメータ決定方法をさらに提供し得る。図５は、この出願の実施形態２による別のパラメータ決定方法のフローチャートである。図５に示されているように、方法は上記のパラメータ決定方法に基づく。基地局が、ＵＥに対応する第１のサブキャリア間隔を決定するＳ１０１は、以下のステップを含む。
【０２３１】
Ｓ５０１．基地局は、少なくとも１つのサブキャリア間隔に対応する参照信号測定値指示に基づいて、ＵＥに対応する第１のサブキャリア間隔を決定する。
【０２３２】
詳細には、Ｓ５０１の特定の実装処理はＳ４０１のものと同様である。詳細な説明については、上記の説明を参照されたい。詳細について、ここで再び説明されない。
【０２３３】
任意選択で、基地局が、少なくとも１つのサブキャリア間隔に対応する参照信号測定値に基づいて、ＵＥに対応する第１のサブキャリア間隔を決定するＳ５０１の前に、方法は以下をさらに含み得る。
【０２３４】
Ｓ５０１ａ．基地局は、各サブキャリア間隔に対応する参照信号測定値指示を取得するために、各サブキャリア間隔に対応する参照信号を検出する。
【０２３５】
任意選択で、基地局が、各サブキャリア間隔に対応する参照信号測定値指示を取得するために各サブキャリア間隔に対応する参照信号を検出するＳ５０１ａの前に、方法は以下をさらに含む。
【０２３６】
Ｓ５０１ｂ．基地局は、各サブキャリア間隔に対応し且つＵＥによって送られた参照信号を受信する。
【０２３７】
任意選択で、基地局が、各サブキャリア間隔に対応し且つＵＥによって送られた参照信号を受信するＳ５０１ｂの前に、方法は以下をさらに含み得る。
【０２３８】
基地局が第２のトリガリング方式をＵＥに通知し、
基地局は、各サブキャリア間隔に対応し且つ第２のトリガリング方式に基づいてＵＥによって送られた参照信号を受信する。
【０２３９】
詳細には、第２のトリガリング方式は、例えば、参照信号送信期間、参照信号送信条件、プリセットされたシグナリングなどのトリガリング方式のうちの少なくとも１つを含み得る。
【０２４０】
参照信号送信条件は、以下の条件、即ち、現在のチャネルのＢＬＥＲがプリセットされたしきい値を超えること、現在のチャネルのＳＩＮＲがプリセットされたしきい値を超えること、又は現在のチャネルのＲＳＲＰがプリセットされたしきい値を超えることのいずれか１つを含み得る。
【０２４１】
プリセットされたシグナリングは、プリセットされたフラグ情報ビットの値が１などのプリセットされた値であるシグナリングを含み得る。シグナリングは、ランダムアクセス応答、ランダムアクセス手順におけるメッセージ４、ＲＲＣシグナリング、ＭＡＣ  ＣＥシグナリング、又は物理ダウンリンク制御チャネルのうちのいずれか１つであり得る。物理ダウンリンク制御チャネルは、ランダムアクセス応答に対応する物理ダウンリンク制御チャネル、ランダムアクセス手順におけるメッセージ４に対応する物理レイヤダウンリンク制御チャネル、ユーザＲＮＴＩによってスクランブルされた物理ダウンリンク制御チャネル、又はページングＲＮＴＩ、システム情報ＲＮＴＩ、若しくはアクセスＲＮＴＩのうちのいずれか１つなどの共通ＲＮＴＩによってスクランブルされた物理ダウンリンク制御チャネルのうちのいずれか１つであり得る。
【０２４２】
上記のパラメータ決定方法のうちのいずれか１つでは、第１のサブキャリア間隔は、参照サブキャリア間隔又はチャネルのために使用されるサブキャリア間隔である。参照サブキャリア間隔は、共通レベル参照サブキャリア間隔及び／又はＵＥレベル参照サブキャリア間隔を含み得る。
【０２４３】
共通レベル参照サブキャリア間隔は、少なくとも１つの共通チャネル上でデータ送信のために使用されるサブキャリア間隔である。少なくとも１つの共通チャネルは、少なくとも１つのセル中の全てのユーザの共通チャネル、又は少なくとも１つのユーザグループの共通チャネルであり得る。少なくとも１つのセル中の全てのユーザ又は少なくとも１つのユーザグループ中の全てのユーザの共通制御情報などの共通情報は、各共通チャネル上で送信され得る。各ユーザグループは少なくとも１人のユーザを含み得る。共通チャネルは、例えば、同期信号、ブロードキャストチャネル、ランダムアクセスチャネル、共通制御チャネル、又は共通データチャネルのうちのいずれか１つを含み得る。共通制御チャネルは、共通探索空間を探索することによって取得された制御チャネル、又はページングＲＮＴＩ、システム情報ＲＮＴＩ、若しくはアクセスＲＮＴＩのうちのいずれか１つなどの共通ＲＮＴＩによってスクランブルされた制御チャネルであり得る。共通データチャネルは、少なくとも１つのセル又はユーザグループの共通情報を搬送するデータチャネルであり得る。
【０２４４】
ＵＥレベル参照サブキャリア間隔は、ユーザレベルチャネル上でデータ送信のために使用されるサブキャリア間隔である。ユーザについての独立した情報がユーザレベルチャネル上で送信され得る。ユーザレベルチャネル上で送信されるデータは、ユーザレベル参照信号、ユーザレベル制御チャネル、及びユーザレベルデータチャネルを含み得る。ユーザレベル参照信号は、ユーザについての独立した参照情報を送信するために使用されてよく、ユーザレベル制御チャネルは、ユーザについての独立した制御情報を送信するために使用されてよく、ユーザレベルデータチャネルは、ユーザについての独立したデータ情報を送信するために使用されてよい。ＵＥレベル参照サブキャリア間隔は、少なくとも１つのユーザレベルチャネル上でデータ送信のために使用されるサブキャリア間隔を含み得る。言い換えれば、１人のユーザについて、ＵＥレベルサブキャリア間隔を使用する少なくとも１つのユーザレベルチャネルがあってよく、各ユーザレベルチャネルは対応するサブキャリア間隔を有し得る。
【０２４５】
第１のサブキャリア間隔が共通レベル参照サブキャリア間隔である場合、第１のサブキャリア間隔に基づいてＵＥによって決定されるサブフレーム長は、共通レベルサブフレームの長さであり、セルレベルサブフレームの長さと呼ばれることもある。
【０２４６】
第１のサブキャリア間隔がＵＥレベル参照サブキャリア間隔である場合、第１のサブキャリア間隔に基づいてＵＥによって決定されるサブフレーム長は、ＵＥレベルサブフレームの長さである。
【０２４７】
任意選択で、第１のサブキャリア間隔は、チャネルのために使用されるサブキャリア間隔を含み、チャネルのために使用されるサブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【０２４８】
詳細には、制御チャネルは共通制御チャネル及びユーザレベル制御チャネルを含み得る。データチャネルは共通データチャネル及びユーザレベルデータチャネルを含み得る。
【０２４９】
共通制御チャネルは、共通探索空間を探索すること若しくは共通探索空間中で検出を実行することによって取得された制御チャネル、又はページングＲＮＴＩ、システム情報ＲＮＴＩ、若しくはアクセスＲＮＴＩのうちのいずれか１つなどの共通ＲＮＴＩによってスクランブルされた制御チャネルであり得る。共通データチャネルは、共通情報を搬送するデータチャネルであり得る。ユーザレベル制御チャネルは、ユーザレベルスケジューリングシグナリング又はフィードバックシグナリングを搬送する制御チャネルであり得る。ユーザレベルデータチャネルは、ユーザレベル情報を搬送するデータチャネルであり得る。
【０２５０】
代替として、基地局が、ＵＥに対応する第１のサブキャリア間隔を決定するＳ１０１は、以下を含み得る。
【０２５１】
基地局は、第３のサブキャリア間隔と、第３のサブキャリア間隔と第１のサブキャリア間隔との間の関係とに基づいて、ＵＥに対応する第１のサブキャリア間隔を決定し、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとは、異なるチャネルである。
【０２５２】
詳細には、第３のサブキャリア間隔と第１のサブキャリア間隔との間の関係は、第１のチャネルのために使用されるサブキャリア間隔と、第２のチャネルのために使用されるサブキャリア間隔との間の相対関係であり得る。第１のチャネルのために使用されるサブキャリア間隔と、第２のチャネルのために使用されるサブキャリア間隔との間の相対関係は以下を含み得る。第２のチャネルのために使用されるサブキャリア間隔が、第１のチャネルのために使用されるサブキャリア間隔と同じであるか、又は第２のチャネルのために使用されるサブキャリア間隔が、第１のチャネルのために使用されるサブキャリア間隔の２＾ｎ倍などの整数倍であり、ｎが−２から６の任意の整数である。
【０２５３】
例えば、第３のサブキャリア間隔が、同期信号のために使用されるサブキャリア間隔であり、第１のサブキャリア間隔が、ブロードキャストチャネルのために使用されるサブキャリア間隔である場合、ブロードキャストチャネルのために使用されるサブキャリア間隔は、第３のサブキャリア間隔と第１のサブキャリア間隔との間の関係に基づいて決定される。
【０２５４】
第３のサブキャリア間隔が、同期信号／ブロードキャストチャネルのために使用されるサブキャリア間隔であり、第１のサブキャリア間隔が、ランダムアクセスチャネルのために使用されるサブキャリア間隔である場合、アクセスチャネルのために使用されるサブキャリア間隔は、第３のサブキャリア間隔と第１のサブキャリア間隔との間の関係に基づいて決定される。
【０２５５】
第３のサブキャリア間隔が、同期信号／ブロードキャストチャネル／ランダムアクセスチャネルのために使用されるサブキャリア間隔であり、第１のサブキャリア間隔が、共通制御チャネルのために使用されるサブキャリア間隔である場合、共通制御チャネルのために使用されるサブキャリア間隔は、第３のサブキャリア間隔と第１のサブキャリア間隔との間の関係に基づいて決定される。
【０２５６】
第３のサブキャリア間隔が、データチャネルのために使用されるサブキャリア間隔であり、第１のサブキャリア間隔が、参照信号のために使用されるサブキャリア間隔である場合、参照信号のために使用されるサブキャリア間隔は、第３のサブキャリア間隔と第１のサブキャリア間隔との間の関係に基づいて決定される。
【０２５７】
任意選択で、基地局が、ＵＥに対応する第１のサブキャリア間隔を決定するＳ１０１は、以下を含み得る。
【０２５８】
基地局は、第１のチャネルのために使用されるＣＰタイプと、第１のチャネルのために使用されるＣＰタイプと第２のチャネルのために使用されるＣＰタイプとの間の関係とに基づいて、ＵＥに対応するＣＰタイプとして第２のチャネルのために使用されるＣＰタイプを決定する。
【０２５９】
詳細には、第１のチャネルのために使用されるＣＰタイプと、第２のチャネルのために使用されるＣＰタイプとの間の関係は以下の通りであり得る。第２のチャネルのために使用されるＣＰタイプが、第１のチャネルのために使用されるＣＰタイプと同じであるか又はそれとは異なる。例えば、第１のチャネルのために使用されるＣＰタイプがＮＣＰであり、第２のチャネルのために使用されるＣＰタイプが、第１のチャネルのために使用されるＣＰタイプと同じである場合、基地局は、第２のチャネルのために使用されるＣＰタイプがＮＣＰである、言い換えれば、ＵＥに対応するＣＰタイプがＮＣＰであると決定し得る。
【０２６０】
任意選択で、上記のパラメータ決定方法では、第１のチャネルと第２のチャネルとは、同期信号、ブロードキャストチャネル、ランダムアクセスチャネル、制御チャネル、データチャネル、及び参照信号のうちの２つの異なるチャネルである。
【０２６１】
任意選択で、基地局が第１のサブキャリア間隔をＵＥに通知するＳ１０２は以下を含み得る。
【０２６２】
基地局は、ブロードキャストチャネル中で搬送されるシグナリングを使用することによって、第１のサブキャリア間隔がデータチャネルのために使用されるサブキャリア間隔であることをＵＥに通知する。
【０２６３】
詳細には、ＵＥが、ブロードキャストチャネル中で搬送され、基地局によって送られたシグナリングを受信した場合、ＵＥは、第１のサブキャリア間隔がデータチャネルのために使用されるサブキャリア間隔であると決定し得る。
【０２６４】
代替として、基地局が第１のサブキャリア間隔をＵＥに通知するＳ１０２は以下を含み得る。
【０２６５】
基地局は、ブロードキャストチャネル又はシステム情報中で搬送されるシグナリングを使用することによって、第１のサブキャリア間隔が、制御チャネルのために使用されるサブキャリア間隔又はランダムアクセスチャネルのために使用されるサブキャリア間隔であることをＵＥに通知する。
【０２６６】
詳細には、ＵＥが、ブロードキャストチャネル又はシステム情報中で搬送され、基地局によって送られたシグナリングを受信した場合、ＵＥは、第１のサブキャリア間隔が、制御チャネルのために使用されるサブキャリア間隔又はランダムアクセスチャネルのために使用されるサブキャリア間隔であると決定し得る。
【０２６７】
代替として、基地局が第１のサブキャリア間隔をＵＥに通知するＳ１０２は以下を含み得る。
【０２６８】
基地局は、上位レイヤシグナリングを使用することによって、第１のサブキャリア間隔が制御チャネル、データチャネル、又は参照信号のために使用されるサブキャリア間隔であることをＵＥに通知する。
【０２６９】
詳細には、ＵＥが、基地局によって送られた上位レイヤシグナリングを受信した場合、ＵＥは、第１のサブキャリア間隔が、制御チャネル、データチャネル、又は参照信号のために使用されるサブキャリア間隔であると決定し得る。
【０２７０】
代替として、基地局が第１のサブキャリア間隔をＵＥに通知するＳ１０２は以下を含み得る。
【０２７１】
基地局は、制御チャネル中で搬送されるシグナリングを使用することによって、第１のサブキャリア間隔がデータチャネルのために使用されるパラメータ及び／又は参照信号のために使用されるサブキャリア間隔であることをＵＥに通知する。
【０２７２】
詳細には、ＵＥが、制御チャネル中で搬送され、基地局によって送られたシグナリングを受信した場合、ＵＥは、第１のサブキャリア間隔が、データチャネルのために使用されるパラメータ及び／又は参照信号のために使用されるサブキャリア間隔であると決定し得る。
【０２７３】
任意選択で、基地局が第１のサブキャリア間隔をＵＥに通知するＳ１０２は以下を含み得る。
【０２７４】
基地局は、ＵＥに以下の情報、即ち
第１のサブキャリア間隔の値、
第１のサブキャリア間隔とＵＥの現在のサブキャリア間隔との間の相対関係、
第１のサブキャリア間隔と共通参照サブキャリア間隔との間の相対関係、及び
第１のサブキャリア間隔とプリセットされたチャネルのために使用されるサブキャリア間隔との間の相対関係
のうちの少なくとも１つを送ることによって第１のサブキャリア間隔をＵＥに通知する。
【０２７５】
第１のサブキャリア間隔とＵＥの現在のサブキャリア間隔との間の相対関係は以下を含み得る。第１のサブキャリア間隔が、ＵＥの現在のサブキャリア間隔と同じであるか、又は第１のサブキャリア間隔が、ＵＥの現在のサブキャリア間隔の２＾ｎ倍などの整数倍であり、ｎが−２から６の任意の整数である。
【０２７６】
第１のサブキャリア間隔と共通参照サブキャリア間隔との間の相対関係は以下を含み得る。第１のサブキャリア間隔が、共通参照サブキャリア間隔と同じであるか、又は第１のサブキャリア間隔が、共通参照サブキャリア間隔の２＾ｎ倍などの整数倍であり、ｎが−２から６の任意の整数である。
【０２７７】
第１のサブキャリア間隔とプリセットされたチャネルのために使用されるサブキャリア間隔との間の相対関係は以下を含み得る。第１のサブキャリア間隔が、プリセットされたチャネルのために使用されるサブキャリア間隔と同じであるか、又は第１のサブキャリア間隔が、プリセットされたチャネルのために使用されるサブキャリア間隔の２＾ｎ倍などの整数倍であり、ｎが−２から６の任意の整数である。
【０２７８】
任意選択で、方法は以下をさらに含み得る。
【０２７９】
基地局は、第１のサブキャリア間隔の有効時間及び／又は第１のサブキャリア間隔の有効チャネルをＵＥに通知する。
【０２８０】
詳細には、有効時間は、例えば、現在の時間から開始してｘ番目のサブフレーム、現在の時間の後のｘ  ｍｓ後に、現在の時間から開始してｘ番目の送信、又はチャネルｘの送信のうちのいずれか１つを含み得る。有効チャネルは、例えば、データチャネル、制御チャネル、又は参照信号のうちのいずれか１つを含み得る。
【０２８１】
この出願の実施形態２において提供されるパラメータ決定方法では、この出願の方法における複数のシナリオにおいて、ＵＥが、マルチサブキャリア間隔システムにおいて、データ送信のために使用されるサブキャリア間隔を正確に知ることができるように、ＵＥに対応する第１のサブキャリア間隔を決定する複数の実装が提供される。これは、ＵＥが対応するサービスを実行し、それによって、対応するサービス要件を満たすことを効果的に保証することができる。加えて、この実施形態における方法は、ＵＥが第１のサブキャリア間隔を正確に決定することができることを効果的に保証するために、第１のサブキャリア間隔をＵＥに通知する複数の方式をさらに提供する。これは、ＵＥが対応するサービスを実行し、それによって、対応するサービス要件を満たすことを効果的に保証することができる。さらに、方法では、基地局が、第１のサブキャリア間隔の有効時間及び／又は第１のサブキャリア間隔の有効チャネルをＵＥにさらに通知する。従って、ＵＥはサブキャリア間隔使用を効果的に制御することができ、ＵＥが正確なチャネル上で正確な時刻に第１のサブキャリア間隔を正確に使用することが効果的に保証されることができる。これは、ＵＥが対応するサービスを実行し、それによって、対応するサービス要件を満たすことを効果的に保証することができる。
【０２８２】
この出願の実施形態３は信号送信方法を提供する。図６は、この出願の実施形態３による信号送信方法のフローチャートである。図６に示されているように、信号送信方法は以下のステップを含み得る。
【０２８３】
Ｓ６０１．基地局が同期信号周波数ラスタを決定する。
【０２８４】
Ｓ６０２．基地局は、同期信号周波数ラスタと、同期信号周波数ラスタと同期信号を送るために使用されることができる周波数領域位置との間の関係とに基づいて同期信号周波数領域位置のセットを決定する。
【０２８５】
同期信号周波数領域位置のセットは、同期信号を送るための周波数領域位置のセット又は同期信号を送るために使用されることができる周波数領域位置のセットである。
【０２８６】
Ｓ６０３．基地局は、同期信号周波数領域位置のセットに基づいて同期信号周波数領域位置を決定する。
【０２８７】
Ｓ６０４．基地局は、同期信号周波数領域位置においてユーザ機器に同期信号を送る。
【０２８８】
基地局は、候補同期信号周波数又は同期信号周波数を決定し、１つ又は複数の同期信号周波数を選択して同期信号を送る。選択方法は、予め定義された方法、又は候補位置のサブキャリア間隔に基づいて決定することを実行する方式などを含む。
【０２８９】
この出願の実施形態３において提供される信号送信方法では、基地局は、同期信号周波数ラスタを決定し、同期信号周波数ラスタと、同期信号周波数ラスタと同期信号を送るために使用されることができる周波数領域位置との間の関係とに基づいて同期信号周波数領域位置のセットを決定し、同期信号周波数領域位置のセットに基づいて同期信号周波数領域位置を決定し、次いで、同期信号周波数領域位置においてユーザ機器に同期信号を送る。この方法では、ＵＥは、マルチサブキャリア間隔システムにおいて、同期信号検出を実行するための周波数ラスタを正確に知ってもよく、これは同期信号検出の精度を保証する。
【０２９０】
任意選択で、基地局が同期信号周波数ラスタを決定するＳ６０１は以下を含む。
【０２９１】
基地局は、同期信号サブキャリア間隔及び／又は同期信号キャリア周波数に基づいて同期信号周波数ラスタを決定し、同期信号サブキャリア間隔は、同期信号を送信するために使用され得るサブキャリア間隔又は現在の送信周波数帯域上で使用されるサブキャリア間隔を含む。
【０２９２】
詳細には、同期信号を送信するために使用されることができるサブキャリア間隔と、基地局の現在の送信周波数帯域上にあるサブキャリア間隔とが同じである場合、同期信号の周波数ラスタは、チャネルラスタ間隔と、同期信号を送信するために使用されることができるサブキャリア間隔との整数倍である。同期信号を送信するために使用されることができるサブキャリア間隔と、基地局の現在の送信周波数帯域上にあるサブキャリア間隔とが異なる場合、全ての同期信号のラスタ周波数が異なり、各同期信号の周波数ラスタは、チャネルラスタ間隔と、同期信号を送信するために使用されることができるサブキャリア間隔との最小公倍数の整数倍であるか、又は各同期信号の周波数ラスタは、チャネルラスタ間隔と、同期信号を送信するために使用されることができる全てのサブキャリア間隔の最大値との最小公倍数の整数倍である。
【０２９３】
任意選択で、同期信号は、少なくとも１つの同期信号を含む同期信号のグループであり、基地局が同期信号サブキャリア間隔に基づいて同期信号周波数ラスタを決定することは、以下を含む。
【０２９４】
基地局は、同期信号のサブキャリア間隔に基づいて各同期信号の周波数ラスタを独立して決定するか、又は
基地局は、同期信号のグループ中の１つの同期信号のサブキャリア間隔に基づいて同期信号のグループ中の全ての同期信号の周波数ラスタを決定する。
【０２９５】
任意選択で、同期信号周波数と同期信号周波数ラスタの周波数との間の周波数差の最小値は、予め定義された決定された値である。
【０２９６】
詳細には、各同期信号及び少なくとも１つの同期信号周波数ラスタの最高周波数、中心周波数、又は最低周波数の間の周波数差が固定であり、その差がプリセットされ得る。
【０２９７】
任意選択で、基地局が、同期信号周波数ラスタと、同期信号周波数ラスタと同期信号を送るために使用されることができる周波数領域位置との間の関係とに基づいて同期信号周波数領域位置のセットを決定するＳ６０２は、以下を含む。
【０２９８】
基地局は、同期信号帯域幅に基づいて同期信号周波数領域位置のセットを決定する。
【０２９９】
異なる同期信号がマッピングされた周波数の間の差は、同期信号のうちの１つによって占有される帯域幅と、同期信号周波数ラスタとのうちの大きいほうの値以上である。代替として、異なる同期信号がマッピングされた周波数の間の差は、異なる同期信号のうちの２つによって占有される帯域幅と同期信号周波数ラスタとの中の最大値以上である。
【０３００】
任意選択で、基地局が、同期信号周波数ラスタと、同期信号周波数ラスタと同期信号を送るために使用されることができる周波数領域位置との間の関係とに基づいて同期信号周波数領域位置のセットを決定するＳ６０２は、以下を含む。
【０３０１】
基地局は、同期信号が位置する送信周波数帯域の中心周波数、最高周波数、又は最低周波数に基づいて同期信号周波数領域位置のセットを決定する。
【０３０２】
任意選択で、基地局が同期信号周波数領域位置においてユーザ機器に同期信号を送るＳ６０４の前に、方法は以下をさらに含む。
【０３０３】
基地局は、ユーザ機器が候補同期信号位置のセット又は同期信号周波数ラスタを決定するように、別の送信周波数帯域上で設定情報を送る。設定情報は、同期信号が位置する動作周波数帯域上の同期信号周波数領域位置のセットを構成するために使用される。
【０３０４】
詳細には、基地局は、ユーザ又はブロードキャスト情報の上位レイヤシグナリングを使用することによって第２の送信周波数帯域上でユーザ機器に、第１の送信周波数帯域の同期信号のための周波数又は可能な周波数を送る。第１の送信周波数帯域は、３０ＧＨｚ送信周波数帯域及び／又は７０ＧＨｚ送信周波数帯域など、高周波数帯域を含む。第２の送信周波数帯域は、６ＧＨｚ未満の送信周波数帯域など、低周波数帯域を含む。
【０３０５】
任意選択で、基地局が同期信号周波数領域位置においてユーザ機器に同期信号を送るＳ６０４の前に、方法は以下をさらに含む。
【０３０６】
基地局は、ユーザ機器が候補同期信号位置のセット又は同期信号周波数ラスタを決定するように、別の基地局を使用することによってユーザ機器に設定情報を送る。設定情報は、同期信号を送る基地局の動作周波数帯域上の候補同期信号位置のセット又は同期信号周波数ラスタを構成するために使用される。別の基地局は、同期信号を送る基地局以外の基地局である。
【０３０７】
詳細には、別の基地局は、ユーザ又はブロードキャスト情報の上位レイヤシグナリングを使用することによって第２の送信周波数帯域上でユーザ機器に、基地局の第１の送信周波数帯域上にある同期信号位置又は可能な同期信号位置を送り得る。
【０３０８】
この出願の実施形態４は、信号送信方法をさらに提供する。図７は、この出願の実施形態４による信号送信方法のフローチャートである。図７に示されているように、信号送信方法は以下のステップを含み得る。
【０３０９】
Ｓ７０１．ユーザ機器が同期信号周波数ラスタを決定する。
【０３１０】
Ｓ７０２．ユーザ機器が、同期信号周波数ラスタと、同期信号周波数ラスタと同期信号を送るために使用されることができる周波数領域位置との間の関係とに基づいて同期信号周波数領域位置のセットを決定する。
【０３１１】
同期信号周波数領域位置のセットは、同期信号を送るための周波数領域位置のセット又は同期信号を送るために使用されることができる周波数領域位置のセットである。
【０３１２】
Ｓ７０３．ユーザ機器が、同期信号周波数領域位置のセットに基づいて同期信号を検出する。
【０３１３】
任意選択で、ユーザ機器が同期信号周波数ラスタを決定するＳ７０１は以下を含む。
【０３１４】
ユーザ機器が、同期信号サブキャリア間隔及び／又は同期信号キャリア周波数に基づいて同期信号周波数ラスタを決定し、同期信号サブキャリア間隔が、同期信号を送信するために使用され得るサブキャリア間隔又は現在の送信周波数帯域上で使用されるサブキャリア間隔を含む。
【０３１５】
任意選択で、同期信号は、少なくとも１つの同期信号を含む同期信号のグループであり、ユーザ機器が同期信号サブキャリア間隔に基づいて同期信号周波数ラスタを決定することは、以下を含む。
【０３１６】
ユーザ機器が、同期信号のサブキャリア間隔に基づいて各同期信号の周波数ラスタを独立して決定するか、又は
ユーザ機器が、同期信号のグループ中の１つの同期信号のサブキャリア間隔に基づいて同期信号のグループ中の全ての同期信号の周波数ラスタを決定する。
【０３１７】
任意選択で、同期信号周波数と同期信号周波数ラスタの周波数との間の周波数差の最小値は、予め定義された決定された値である。
【０３１８】
任意選択で、ユーザ機器が、同期信号周波数ラスタと、同期信号周波数ラスタと同期信号を送るために使用されることができる周波数領域位置との間の関係とに基づいて同期信号周波数領域位置のセットを決定するＳ７０２は、以下を含み得る。
【０３１９】
ユーザ機器が、同期信号帯域幅に基づいて同期信号周波数領域位置のセットを決定する。
【０３２０】
任意選択で、ユーザ機器が、同期信号周波数ラスタと、同期信号周波数ラスタと同期信号を送るために使用されることができる周波数領域位置との間の関係とに基づいて同期信号周波数領域位置のセットを決定するＳ７０２は、以下を含み得る。
【０３２１】
ユーザ機器が、同期信号が位置する送信周波数帯域の中心周波数、最高周波数、又は最低周波数に基づいて同期信号周波数領域位置のセットを決定する。
【０３２２】
任意選択で、ユーザ機器が、同期信号周波数領域位置のセットに基づいて同期信号を検出するＳ７０３の前に、方法は以下をさらに含み得る。
【０３２３】
ユーザ機器が、候補同期信号位置のセット若しくは同期信号周波数ラスタを決定するために別の送信周波数帯域上で設定情報を受信し、設定情報が、同期信号が位置する動作周波数帯域上の同期信号周波数領域位置のセットを構成するために使用されるか、又は
ユーザ機器が、候補同期信号位置のセット若しくは同期信号周波数ラスタを決定するために別の基地局から設定情報を受信し、設定情報が、同期信号を送る基地局の動作周波数帯域上の候補同期信号位置のセット若しくは同期信号周波数ラスタを構成するために使用され、別の基地局は、同期信号を送る基地局以外の基地局である。
【０３２４】
この出願の実施形態４において提供される信号送信方法は、実施形態３におけるピアデバイス、即ち、ユーザ機器によって実行される方法である。詳細な実装処理及びそれの有益な効果については、上記の実施形態を参照されたい。詳細について、ここで再び説明されない。
【０３２５】
この出願の実施形態５はパラメータ決定装置を提供する。図８は、この出願の実施形態５によるパラメータ決定装置の概略構造図である。図８に示されているように、パラメータ決定装置８００は、
ＵＥに対応する第１のサブキャリア間隔を決定するように構成された決定モジュール８０１と、
第１のサブキャリア間隔をＵＥに通知するように構成された送信モジュール８０２と
を含み得る。
【０３２６】
任意選択で、パラメータ決定装置８００は、
ＵＥによって送られたランダムアクセスチャネルを受信するように構成された第１の受信モジュールであって、ランダムアクセスチャネルが、第２のサブキャリア間隔を使用することによってＵＥによって送られたチャネルである、第１の受信モジュール
をさらに含む。
【０３２７】
決定モジュール８０１は、第２のサブキャリア間隔に基づいて、ＵＥに対応する第１のサブキャリア間隔を決定するようにさらに構成される。
【０３２８】
任意選択で、パラメータ決定装置８００は、
ＵＥによって送られた要求を受信するように構成された第２の受信モジュールであって、要求が、ＵＥによって要求されたサブキャリア間隔に対応する指示情報を含む、第２の受信モジュール
をさらに含む。
【０３２９】
決定モジュール８０１は、ＵＥによって要求されたサブキャリア間隔に対応する指示情報に基づいて、ＵＥに対応する第１のサブキャリア間隔を決定するようにさらに構成される。
【０３３０】
任意選択で、決定モジュール８０１は、少なくとも１つのサブキャリア間隔に対応する参照信号測定値に基づいて、ＵＥに対応する第１のサブキャリア間隔を決定するように特に構成される。
【０３３１】
任意選択で、決定モジュール８０１は、少なくとも１つのＣＰタイプに対応する参照信号測定値に基づいて、ＵＥに対応するＣＰタイプを決定するようにさらに構成される。
【０３３２】
送信モジュール８０２は、ＵＥに対応するＣＰタイプをＵＥに通知するようにさらに構成される。
【０３３３】
任意選択で、パラメータ決定装置８００は、
少なくとも１つのサブキャリア間隔に対応する参照信号測定値のうちの少なくとも１つを受信するように構成された第３の受信モジュールであって、参照信号測定値のうちの少なくとも１つがＵＥによって送られる、第３の受信モジュールをさらに含む。
【０３３４】
任意選択で、送信モジュール８０２は、ＵＥに、少なくとも１つのサブキャリア間隔に対応する参照信号を送るようにさらに構成される。
【０３３５】
任意選択で、パラメータ決定装置８００は、
各サブキャリア間隔に対応する参照信号測定値を取得するために少なくとも１つのサブキャリア間隔中の各サブキャリア間隔に対応する参照信号を検出するように構成された検出モジュールをさらに含む。
【０３３６】
任意選択で、パラメータ決定装置８００は、
各サブキャリア間隔に対応し且つＵＥによって送られた参照信号を受信するように構成された第４の受信モジュールをさらに含む。
【０３３７】
任意選択で、第１のサブキャリア間隔は、チャネルのために使用されるサブキャリア間隔を含み、チャネルのために使用されるサブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【０３３８】
任意選択で、決定モジュール８０１は、第３のサブキャリア間隔と、第３のサブキャリア間隔と第１のサブキャリア間隔との間の関係とに基づいて、ＵＥに対応する第１のサブキャリア間隔を決定するようにさらに構成され、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとは、異なるチャネルである。
【０３３９】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【０３４０】
任意選択で、送信モジュール８０２は、ブロードキャストチャネル中で搬送されるシグナリングを使用することによって、第１のサブキャリア間隔がデータチャネルのために使用されるサブキャリア間隔であることをＵＥに通知するようにさらに構成されるか、又は
送信モジュール８０２は、ブロードキャストチャネル若しくはシステム情報中で搬送されるシグナリングを使用することによって、第１のサブキャリア間隔が、制御チャネルのために使用されるサブキャリア間隔若しくはランダムアクセスチャネルのために使用されるサブキャリア間隔であることをＵＥに通知するようにさらに構成されるか、又は
送信モジュール８０２は、上位レイヤシグナリングを使用することによって、第１のサブキャリア間隔が制御チャネル、データチャネル、若しくは参照信号のために使用されるサブキャリア間隔であることをＵＥに通知するようにさらに構成されるか、又は
送信モジュール８０２は、制御チャネル中で搬送されるシグナリングを使用することによって、第１のサブキャリア間隔がデータチャネルのために使用されるパラメータ及び／若しくは参照信号のために使用されるサブキャリア間隔であることをＵＥに通知するようにさらに構成される。
【０３４１】
任意選択で、送信モジュール８０２は、ＵＥに以下の情報、即ち
第１のサブキャリア間隔の値、
第１のサブキャリア間隔とＵＥの現在のサブキャリア間隔との間の相対関係、
第１のサブキャリア間隔と共通参照サブキャリア間隔との間の相対関係、及び
第１のサブキャリア間隔とプリセットされたチャネルのために使用されるサブキャリア間隔との間の相対関係
のうちの少なくとも１つをＵＥに送ることによって第１のサブキャリア間隔をＵＥに通知するようにさらに構成される。
【０３４２】
任意選択で、送信モジュール８０２は、第１のサブキャリア間隔の有効時間及び／又は第１のサブキャリア間隔の有効チャネルをＵＥに通知するようにさらに構成される。
【０３４３】
この出願の実施形態５において提供されるパラメータ決定装置は、実施形態１又は実施形態２における基地局によって実行されるパラメータ決定方法を実行し得る。詳細な実装処理及びそれの有益な効果については、上記の実施形態を参照されたい。詳細について、ここで再び説明されない。
【０３４４】
この出願の実施形態６は、パラメータ決定装置をさらに提供する。図９は、この出願の実施形態６によるパラメータ決定装置の概略構造図である。図９に示されているように、パラメータ決定装置９００は、
基地局によって通知された第１のサブキャリア間隔を取得するように構成された受信モジュール９０１と、
第１のサブキャリア間隔に基づいて基地局とのデータ送信を実行するように構成された送信モジュール９０２と
を含む。
【０３４５】
任意選択で、パラメータ決定装置９００は、
基地局は、第２のサブキャリア間隔に基づいて第１のサブキャリア間隔を決定するように、第２のサブキャリア間隔を使用することによって基地局にランダムアクセスチャネルを送るように構成された第１の送信モジュールをさらに含む。
【０３４６】
任意選択で、パラメータ決定装置９００は、
基地局に要求を送るように構成された第２の送信モジュールをさらに含み、要求は、ＵＥによって要求されたサブキャリア間隔に対応する指示情報を含み、また、要求は、ＵＥによって要求されたサブキャリア間隔に対応する指示情報に基づいて第１のサブキャリア間隔を決定するために基地局によって使用される。
【０３４７】
任意選択で、第１のサブキャリア間隔は、少なくとも１つのサブキャリア間隔に対応する参照信号測定値に基づいて基地局によって決定されるサブキャリア間隔である。
【０３４８】
任意選択で、受信モジュール９０１は、基地局によって通知されたサイクリックプレフィックス（ＣＰ）タイプを取得するようにさらに構成され、ＣＰタイプは、少なくとも１つのＣＰタイプに対応する参照信号測定値に基づいて基地局によって決定されたＣＰタイプである。
【０３４９】
任意選択で、パラメータ決定装置９００は、
基地局に、少なくとも１つのサブキャリア間隔に対応する参照信号測定値のうちの少なくとも１つを送るように構成された第３の送信モジュールをさらに含む。
【０３５０】
任意選択で、受信モジュール９０１は、少なくとも１つのサブキャリア間隔に対応し且つ基地局によって送られた参照信号を受信するようにさらに構成される。
【０３５１】
任意選択で、少なくとも１つのサブキャリア間隔中の各サブキャリア間隔に対応する参照信号測定値が、基地局によって、各サブキャリア間隔に対応する参照信号を検出することによって取得される。
【０３５２】
任意選択で、パラメータ決定装置９００は、
基地局に、少なくとも１つのサブキャリア間隔に対応する参照信号を送るように構成された第４の送信モジュールをさらに含む。
【０３５３】
任意選択で、第１のサブキャリア間隔は、チャネルのために使用されるサブキャリア間隔を含み、チャネルのために使用されるサブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【０３５４】
任意選択で、第１のサブキャリア間隔は、第３のサブキャリア間隔と、第３のサブキャリア間隔と第１のサブキャリア間隔との間の関係とに基づいて基地局によって決定されたサブキャリア間隔であり、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとが異なるチャネルである。
【０３５５】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【０３５６】
任意選択で、受信モジュール９０１は、ブロードキャストチャネル中で搬送され、基地局によって送られたシグナリングに基づいて、第１のサブキャリア間隔がデータチャネルのために使用されるパラメータであると決定するように特に構成されるか、又は
受信モジュール９０１は、ブロードキャストチャネル若しくはシステム情報中で搬送され、基地局によって送られたシグナリングに基づいて、第１のサブキャリア間隔が、制御チャネルのために使用されるパラメータ若しくはランダムアクセスチャネルのために使用されるパラメータであると決定するように特に構成されるか、又は
受信モジュール９０１は、基地局によって送られた上位レイヤシグナリングに基づいて、第１のサブキャリア間隔が制御チャネル、データチャネル、若しくは参照信号のために使用されるパラメータであると決定するように特に構成されるか、又は
受信モジュール９０１は、制御チャネル中で搬送され、基地局によって送られたシグナリングに基づいて、第１のサブキャリア間隔がデータチャネルのために使用されるパラメータ及び／若しくは参照信号のために使用されるパラメータであると決定するように特に構成される。
【０３５７】
任意選択で、受信モジュール９０１は、基地局によって送られた以下の情報、即ち
第１のパラメータの値、第１のパラメータとＵＥの現在のパラメータとの間の相対関係、第１のパラメータと共通参照パラメータとの間の相対関係、及び第１のパラメータとプリセットされたチャネルのために使用されるパラメータとの間の相対関係
のうちの少なくとも１つに基づいて第１のサブキャリア間隔を決定するようにさらに構成される。
【０３５８】
任意選択で、受信モジュール９０１は、基地局によって通知される第１のサブキャリア間隔の有効時間及び／又は第１のサブキャリア間隔の有効チャネルを取得するようにさらに構成される。
【０３５９】
この出願の実施形態６において提供されるパラメータ決定装置は、実施形態１又は実施形態２におけるＵＥによって実行されるパラメータ決定方法を実行し得る。詳細な実装処理及びそれの有益な効果については、上記の実施形態を参照されたい。詳細について、ここで再び説明されない。
【０３６０】
この出願の実施形態７は、信号送信装置をさらに提供する。図１０は、この出願の実施形態７による信号送信装置の概略構造図である。図１０に示されているように、信号送信装置１０００は、
同期信号周波数ラスタを決定することと、同期信号周波数ラスタと、同期信号周波数ラスタと同期信号を送るために使用されることができる周波数領域位置との間の関係とに基づいて同期信号周波数領域位置のセットを決定することであって、同期信号周波数領域位置のセットが、同期信号を送るための周波数領域位置のセット又は同期信号を送るために使用されることができる周波数領域位置のセットである、ことと、同期信号周波数領域位置のセットに基づいて同期信号周波数領域位置を決定することとを行うように構成された決定モジュール１００１と、
ユーザ機器に同期信号を送るように構成された送信モジュール１００２と
を含み得る。
【０３６１】
任意選択で、決定モジュール１００１は、同期信号サブキャリア間隔及び／又は同期信号キャリア周波数に基づいて同期信号周波数ラスタを決定するように特に構成され、同期信号サブキャリア間隔は、同期信号を送信するために使用され得るサブキャリア間隔又は現在の送信周波数帯域上で使用されるサブキャリア間隔を含む。
【０３６２】
任意選択で、同期信号は、少なくとも１つの同期信号を含む同期信号のグループであり、決定モジュール１００１は、同期信号のサブキャリア間隔に基づいて各同期信号の周波数ラスタを独立して決定するように特に構成されるか、又は
決定モジュール１００１は、同期信号のグループ中の１つの同期信号のサブキャリア間隔に基づいて同期信号のグループ中の全ての同期信号の周波数ラスタを決定するように特に構成される。
【０３６３】
任意選択で、同期信号周波数と同期信号周波数ラスタの周波数との間の周波数差の最小値は、予め定義された決定された値である。
【０３６４】
任意選択で、決定モジュール１００１は、同期信号帯域幅に基づいて同期信号周波数領域位置のセットを決定するように特に構成される。
【０３６５】
任意選択で、決定モジュール１００１は、同期信号が位置する送信周波数帯域の中心周波数、最高周波数、又は最低周波数に基づいて同期信号周波数領域位置のセットを決定するように特に構成される。
【０３６６】
任意選択で、送信モジュール１００２は、ユーザ機器が候補同期信号位置のセット若しくは同期信号周波数ラスタを決定するように、別の送信周波数帯域上で設定情報を送るようにさらに構成され、設定情報は、同期信号が位置する動作周波数帯域上の同期信号周波数領域位置のセットを構成するために使用されるか、又は
送信モジュール１００２は、ユーザ機器が候補同期信号位置のセット若しくは同期信号周波数ラスタを決定するように、別の基地局を使用することによってユーザ機器に設定情報を送るようにさらに構成され、設定情報は、同期信号を送る基地局の動作周波数帯域上の候補同期信号位置のセット若しくは同期信号周波数ラスタを構成するために使用され、別の基地局は、同期信号を送る基地局以外の基地局である。
【０３６７】
この出願の実施形態７において提供される信号送信装置は、実施形態３における基地局によって実行される信号送信方法を実行し得る。詳細な実装処理及びそれの有益な効果については、上記の実施形態を参照されたい。詳細について、ここで再び説明されない。
【０３６８】
この出願の実施形態８は、信号送信装置をさらに提供する。図１１は、この出願の実施形態８による信号送信装置の概略構造図である。図１１に示されているように、信号送信装置１１００は、
同期信号周波数ラスタを決定することと、同期信号周波数ラスタと、同期信号周波数ラスタと同期信号を送るために使用されることができる周波数領域位置との間の関係とに基づいて同期信号周波数領域位置のセットを決定することであって、同期信号周波数領域位置のセットが、同期信号を送るための周波数領域位置のセット又は同期信号を送るために使用されることができる周波数領域位置のセットである、こととを行うように構成された決定モジュール１１０１と、
同期信号周波数領域位置のセットに基づいて同期信号を検出するように構成された受信モジュール１１０２と
を含み得る。
【０３６９】
任意選択で、決定モジュール１１０１は、同期信号サブキャリア間隔及び／又は同期信号キャリア周波数に基づいて同期信号周波数ラスタを決定するように特に構成され、同期信号サブキャリア間隔は、同期信号を送信するために使用され得るサブキャリア間隔又は現在の送信周波数帯域上で使用されるサブキャリア間隔を含む。
【０３７０】
任意選択で、同期信号は、少なくとも１つの同期信号を含む同期信号のグループであり、決定モジュール１１０１は、同期信号のサブキャリア間隔に基づいて各同期信号の周波数ラスタを独立して決定するように特に構成されるか、又は
決定モジュール１１０１は、同期信号のグループ中の１つの同期信号のサブキャリア間隔に基づいて同期信号のグループ中の全ての同期信号の周波数ラスタを決定するように特に構成される。
【０３７１】
任意選択で、同期信号周波数と同期信号周波数ラスタの周波数との間の周波数差の最小値は、予め定義された決定された値である。
【０３７２】
任意選択で、決定モジュール１１０１は、同期信号帯域幅に基づいて同期信号周波数領域位置のセットを決定するように特に構成される。
【０３７３】
任意選択で、決定モジュール１１０１は、同期信号が位置する送信周波数帯域の中心周波数、最高周波数、又は最低周波数に基づいて同期信号周波数領域位置のセットを決定するように特に構成される。
【０３７４】
任意選択で、受信モジュール１１０２は、候補同期信号位置のセット若しくは同期信号周波数ラスタを決定するために別の送信周波数帯域上で設定情報を受信するようにさらに構成され、設定情報は、同期信号が位置する動作周波数帯域上の同期信号周波数領域位置のセットを構成するために使用されるか、又は
受信モジュール１１０２は、候補同期信号位置のセット若しくは同期信号周波数ラスタを決定するために別の基地局から設定情報を受信するようにさらに構成され、設定情報は、同期信号を送る基地局の動作周波数帯域上の候補同期信号位置のセット若しくは同期信号周波数ラスタを構成するために使用され、別の基地局は、同期信号を送る基地局以外の基地局である。
【０３７５】
この出願の実施形態８において提供される信号送信装置は、実施形態４におけるユーザ機器によって実行される信号送信方法を実行し得る。詳細な実装処理及びそれの有益な効果については、上記の実施形態を参照されたい。詳細について、ここで再び説明されない。
【０３７６】
この出願の実施形態９は、基地局をさらに提供する。図１２は、この出願の実施形態９による基地局の概略構造図である。図１２に示されているように、基地局１２００は、プロセッサ１２０１及び送信機１２０２を含み得る。プロセッサ１２０１は送信機１２０２に接続される。
【０３７７】
プロセッサ１２０１は、ＵＥに対応する第１のサブキャリア間隔を決定するように構成される。
【０３７８】
送信機１２０２は、第１のサブキャリア間隔をＵＥに通知するように構成される。
【０３７９】
任意選択で、基地局１２００は、
ＵＥによって送られたランダムアクセスチャネルを受信するように構成された受信機であって、ランダムアクセスチャネルが、第２のサブキャリア間隔を使用することによってＵＥによって送られたチャネルである、受信機をさらに含む。
【０３８０】
プロセッサ１２０１は、第２のサブキャリア間隔に基づいて、ＵＥに対応する第１のサブキャリア間隔を決定するようにさらに構成される。
【０３８１】
任意選択で、基地局１２００は、
ＵＥによって送られた要求を受信するように構成された受信機であって、要求は、ＵＥによって要求されたサブキャリア間隔に対応する指示情報を含む、受信機をさらに含む。
【０３８２】
プロセッサ１２０１は、ＵＥによって要求されたサブキャリア間隔に対応する指示情報に基づいて、ＵＥに対応する第１のサブキャリア間隔を決定するようにさらに構成される。
【０３８３】
任意選択で、プロセッサ１２０１は、少なくとも１つのサブキャリア間隔に対応する参照信号測定値に基づいて、ＵＥに対応する第１のサブキャリア間隔を決定するようにさらに構成される。
【０３８４】
任意選択で、プロセッサ１２０１は、少なくとも１つのサイクリックプレフィックス（ＣＰ）タイプに対応する参照信号測定値に基づいて、ＵＥに対応するＣＰタイプを決定するようにさらに構成される。
【０３８５】
送信機１２０２は、ＵＥに対応するＣＰタイプをＵＥに通知するようにさらに構成される。
【０３８６】
任意選択で、基地局１２００は、
少なくとも１つのサブキャリア間隔に対応する参照信号測定値のうちの少なくとも１つを受信するように構成された受信機であって、参照信号測定値のうちの少なくとも１つが、ＵＥによって送られる、受信機をさらに含む。
【０３８７】
任意選択で、送信機１２０２は、ＵＥに、少なくとも１つのサブキャリア間隔に対応する参照信号を送るようにさらに構成される。
【０３８８】
任意選択で、プロセッサ１２０１は、各サブキャリア間隔に対応する参照信号測定値を取得するために少なくとも１つのサブキャリア間隔中の各サブキャリア間隔に対応する参照信号を検出するようにさらに構成される。
【０３８９】
任意選択で、基地局１２００は、
各サブキャリア間隔に対応し且つＵＥによって送られた参照信号を受信するように構成された受信機をさらに含む。
【０３９０】
任意選択で、第１のサブキャリア間隔は、チャネルのために使用されるサブキャリア間隔を含み、チャネルのために使用されるサブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【０３９１】
任意選択で、プロセッサ１２０１は、第３のサブキャリア間隔と、第３のサブキャリア間隔と第１のサブキャリア間隔との間の関係とに基づいて、ＵＥに対応する第１のサブキャリア間隔を決定するように特に構成され、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとは、異なるチャネルである。
【０３９２】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【０３９３】
任意選択で、送信機１２０２は、ブロードキャストチャネル中で搬送されるシグナリングを使用することによって、第１のサブキャリア間隔がデータチャネルのために使用されるサブキャリア間隔であることをＵＥに通知するように特に構成されるか、又は
送信機１２０２は、ブロードキャストチャネル若しくはシステム情報中で搬送されるシグナリングを使用することによって、第１のサブキャリア間隔が、制御チャネルのために使用されるサブキャリア間隔若しくはランダムアクセスチャネルのために使用されるサブキャリア間隔であることをＵＥに通知するように特に構成されるか、又は
送信機１２０２は、上位レイヤシグナリングを使用することによって、第１のサブキャリア間隔が制御チャネル、データチャネル、若しくは参照信号のために使用されるサブキャリア間隔であることをＵＥに通知するように特に構成されるか、又は
送信機１２０２は、制御チャネル中で搬送されるシグナリングを使用することによって、第１のサブキャリア間隔がデータチャネルのために使用されるパラメータ及び／若しくは参照信号のために使用されるサブキャリア間隔であることをＵＥに通知するように特に構成される。
【０３９４】
任意選択で、送信機１２０２は、ＵＥに以下の情報、即ち
第１のサブキャリア間隔の値、
第１のサブキャリア間隔とＵＥの現在のサブキャリア間隔との間の相対関係、
第１のサブキャリア間隔と共通参照サブキャリア間隔との間の相対関係、及び
第１のサブキャリア間隔とプリセットされたチャネルのために使用されるサブキャリア間隔との間の相対関係
のうちの少なくとも１つをＵＥに送ることによって第１のサブキャリア間隔をＵＥに通知するように特に構成される。
【０３９５】
任意選択で、送信機１２０２は、第１のサブキャリア間隔の有効時間及び／又は第１のサブキャリア間隔の有効チャネルを基地局に通知するようにさらに構成される。
【０３９６】
この出願の実施形態９において提供される基地局は、実施形態１又は実施形態２における基地局によって実行されるパラメータ決定方法を実行し得る。詳細な実装処理及びそれの有益な効果については、上記の実施形態を参照されたい。詳細について、ここで再び説明されない。
【０３９７】
この出願の実施形態１０は、ＵＥをさらに提供する。図１３は、この出願の実施形態１０によるＵＥの概略構造図である。図１３に示されているように、ＵＥ１３００は、受信機１３０１及びプロセッサ１３０２を含み得る。受信機１３０１はプロセッサ１３０２に接続される。
【０３９８】
受信機１３０１は、基地局によって通知された第１のサブキャリア間隔を取得するように構成される。
【０３９９】
プロセッサ１３０２は、第１のサブキャリア間隔に基づいて基地局とのデータ送信を実行するように構成される。
【０４００】
任意選択で、ＵＥ１３００は、
基地局が、第２のサブキャリア間隔に基づいて第１のサブキャリア間隔を決定するように、第２のサブキャリア間隔を使用することによって基地局にランダムアクセスチャネルを送るように構成された送信機をさらに含む。
【０４０１】
任意選択で、ＵＥ１３００は、
基地局に要求を送るように構成された送信機をさらに含み、要求は、ＵＥによって要求されたサブキャリア間隔に対応する指示情報を含み、また、要求は、ＵＥによって要求されたサブキャリア間隔に対応する指示情報に基づいて第１のサブキャリア間隔を決定するために基地局によって使用される。
【０４０２】
任意選択で、第１のサブキャリア間隔は、少なくとも１つのサブキャリア間隔に対応する参照信号測定値に基づいて基地局によって決定されるサブキャリア間隔である。
【０４０３】
任意選択で、受信機１３０１は、基地局によって通知されたサイクリックプレフィックス（ＣＰ）タイプを取得するようにさらに構成され、ＣＰタイプは、少なくとも１つのＣＰタイプに対応する参照信号測定値に基づいて基地局によって決定されたＣＰタイプである。
【０４０４】
任意選択で、ＵＥ１３００は、
基地局に、少なくとも１つのサブキャリア間隔に対応する参照信号測定値のうちの少なくとも１つを送るように構成された送信機をさらに含む。
【０４０５】
任意選択で、受信機１３０１は、少なくとも１つのサブキャリア間隔に対応し且つ基地局によって送られた参照信号を受信するようにさらに構成される。
【０４０６】
任意選択で、少なくとも１つのサブキャリア間隔中の各サブキャリア間隔に対応する参照信号測定値が、基地局によって、各サブキャリア間隔に対応する参照信号を検出することによって取得される。
【０４０７】
任意選択で、ＵＥ１３００は、
基地局に、少なくとも１つのサブキャリア間隔に対応する参照信号を送るように構成された送信機をさらに含む。
【０４０８】
任意選択で、第１のサブキャリア間隔は、チャネルのために使用されるサブキャリア間隔を含み、チャネルのために使用されるサブキャリア間隔は、同期信号のために使用されるサブキャリア間隔、ブロードキャストチャネルのために使用されるサブキャリア間隔、制御チャネルのために使用されるサブキャリア間隔、ランダムアクセスチャネルのために使用されるサブキャリア間隔、データチャネルのために使用されるサブキャリア間隔、及び参照信号のために使用されるサブキャリア間隔のうちの少なくとも１つを含む。
【０４０９】
任意選択で、第１のサブキャリア間隔は、第３のサブキャリア間隔と、第３のサブキャリア間隔と第１のサブキャリア間隔との間の関係とに基づいて基地局によって決定されたサブキャリア間隔であり、第３のサブキャリア間隔は、第１のチャネルのために使用されるサブキャリア間隔であり、第１のサブキャリア間隔は、第２のチャネルのために使用されるサブキャリア間隔であり、第１のチャネルと第２のチャネルとが異なるチャネルである。
【０４１０】
任意選択で、第１のチャネルと第２のチャネルとは、
同期信号、ブロードキャストチャネル、ランダムアクセスチャネル、制御チャネル、データチャネル、及び参照信号のうちの２つの異なるチャネルである。
【０４１１】
任意選択で、プロセッサ１３０２は、ブロードキャストチャネル中で搬送され、基地局によって送られたシグナリングに基づいて、第１のサブキャリア間隔がデータチャネルのために使用されるパラメータであると決定するようにさらに構成されるか、又は
プロセッサ１３０２は、ブロードキャストチャネル若しくはシステム情報中で搬送され、基地局によって送られたシグナリングに基づいて、第１のサブキャリア間隔が、制御チャネルのために使用されるパラメータ若しくはランダムアクセスチャネルのために使用されるパラメータであると決定するようにさらに構成されるか、又は
プロセッサ１３０２は、基地局によって送られた上位レイヤシグナリングに基づいて、第１のサブキャリア間隔が制御チャネル、データチャネル、若しくは参照信号のために使用されるパラメータであると決定するようにさらに構成されるか、又は
プロセッサ１３０２は、制御チャネル中で搬送され、基地局によって送られたシグナリングに基づいて、第１のサブキャリア間隔がデータチャネルのために使用されるパラメータ及び／若しくは参照信号のために使用されるパラメータであると決定するようにさらに構成される。
【０４１２】
任意選択で、プロセッサ１３０２は、基地局によって送られた以下の情報、即ち
第１のパラメータの値、第１のパラメータとＵＥの現在のパラメータとの間の相対関係、第１のパラメータと共通参照パラメータとの間の相対関係、及び第１のパラメータとプリセットされたチャネルのために使用されるパラメータとの間の相対関係
のうちの少なくとも１つに基づいて第１のサブキャリア間隔を決定するようにさらに構成される。
【０４１３】
任意選択で、受信機１３０１は、基地局によって通知される第１のサブキャリア間隔の有効時間及び／又は第１のサブキャリア間隔の有効チャネルを取得するようにさらに構成される。
【０４１４】
この出願の実施形態１０において提供されるＵＥは、実施形態１又は実施形態２におけるＵＥによって実行されるパラメータ決定方法を実行し得る。詳細な実装処理及びそれの有益な効果については、上記の実施形態を参照されたい。詳細について、ここで再び説明されない。
【０４１５】
この出願の実施形態１１は、基地局をさらに提供する。図１４は、この出願の実施形態１１による基地局の概略構造図である。図１４に示されているように、基地局１４００は、プロセッサ１４０１及び送信機１４０２を含む。プロセッサ１４０１は送信機１４０２に接続される。
【０４１６】
プロセッサ１４０１は、同期信号周波数ラスタを決定することと、同期信号周波数ラスタと、同期信号周波数ラスタと同期信号を送るために使用されることができる周波数領域位置との間の関係とに基づいて同期信号周波数領域位置のセットを決定することであって、同期信号周波数領域位置のセットは、同期信号を送るための周波数領域位置のセット又は同期信号を送るために使用されることができる周波数領域位置のセットである、ことと、同期信号周波数領域位置のセットに基づいて同期信号周波数領域位置を決定することとを行うように構成される。
【０４１７】
送信機１４０２は、同期信号周波数領域位置においてユーザ機器に同期信号を送るように構成される。
【０４１８】
任意選択で、プロセッサ１４０１は、同期信号サブキャリア間隔及び／又は同期信号キャリア周波数に基づいて同期信号周波数ラスタを決定するように特に構成され、同期信号サブキャリア間隔は、同期信号を送信するために使用され得るサブキャリア間隔又は現在の送信周波数帯域上で使用されるサブキャリア間隔を含む。
【０４１９】
任意選択で、同期信号は、少なくとも１つの同期信号を含む同期信号のグループであり、
プロセッサ１４０１は、同期信号のサブキャリア間隔に基づいて各同期信号の周波数ラスタを独立して決定するように特に構成されるか、又は
プロセッサ１４０１は、同期信号のグループ中の１つの同期信号のサブキャリア間隔に基づいて同期信号のグループ中の全ての同期信号の周波数ラスタを決定するように特に構成される。
【０４２０】
任意選択で、同期信号周波数と同期信号周波数ラスタの周波数との間の周波数差の最小値は、予め定義された決定された値である。
【０４２１】
任意選択で、プロセッサ１４０１は、同期信号帯域幅に基づいて同期信号周波数領域位置のセットを決定するように特に構成される。
【０４２２】
任意選択で、プロセッサ１４０１は、同期信号が位置する送信周波数帯域の中心周波数、最高周波数、又は最低周波数に基づいて同期信号周波数領域位置のセットを決定するように特に構成される。
【０４２３】
任意選択で、基地局１４００は、
ユーザ機器が候補同期信号位置のセット若しくは同期信号周波数ラスタを決定するように、別の送信周波数帯域上で設定情報を送るように構成された受信機であって、設定情報が、同期信号が位置する動作周波数帯域上の同期信号周波数領域位置のセットを構成するために使用される、受信機、又は
ユーザ機器が候補同期信号位置のセット若しくは同期信号周波数ラスタを決定するように、別の基地局を使用することによってユーザ機器に設定情報を送るように構成された受信機であって、設定情報が、同期信号を送る基地局の動作周波数帯域上の候補同期信号位置のセット若しくは同期信号周波数ラスタを構成するために使用され、別の基地局が、同期信号を送る基地局以外の基地局である、受信機
をさらに含む。
【０４２４】
この出願の実施形態１１において提供される基地局は、実施形態３における基地局によって実行される信号送信方法を実行し得る。詳細な実装処理及びそれの有益な効果については、上記の実施形態を参照されたい。詳細について、ここで再び説明されない。
【０４２５】
この出願の実施形態１２は、ＵＥをさらに提供する。図１５は、この出願の実施形態１２によるＵＥの概略構造図である。図１５に示されているように、ＵＥ１５００は、プロセッサ１５０１及び受信機１５０２を含む。プロセッサ１５０１は受信機１５０２に接続される。
【０４２６】
プロセッサ１５０１は、同期信号周波数ラスタを決定することと、同期信号周波数ラスタと、同期信号周波数ラスタと同期信号を送るために使用されることができる周波数領域位置との間の関係とに基づいて同期信号周波数領域位置のセットを決定することであって、同期信号周波数領域位置のセットは、同期信号を送るための周波数領域位置のセット又は同期信号を送るために使用されることができる周波数領域位置のセットである、こととを行うように構成される。
【０４２７】
受信機１５０２は、同期信号周波数領域位置のセットに基づいて同期信号を検出するように構成される。
【０４２８】
任意選択で、プロセッサ１５０１は、同期信号サブキャリア間隔及び／又は同期信号キャリア周波数に基づいて同期信号周波数ラスタを決定するように特に構成され、同期信号サブキャリア間隔は、同期信号を送信するために使用され得るサブキャリア間隔又は現在の送信周波数帯域上で使用されるサブキャリア間隔を含む。
【０４２９】
任意選択で、同期信号は、少なくとも１つの同期信号を含む同期信号のグループであり、プロセッサ１５０１は、同期信号のサブキャリア間隔に基づいて各同期信号の周波数ラスタを独立して決定するように特に構成されるか、又は
プロセッサ１５０１は、同期信号のグループ中の１つの同期信号のサブキャリア間隔に基づいて同期信号のグループ中の全ての同期信号の周波数ラスタを決定するように特に構成される。
【０４３０】
任意選択で、同期信号周波数と同期信号周波数ラスタの周波数との間の周波数差の最小値は、予め定義された決定された値である。
【０４３１】
任意選択で、プロセッサ１５０１は、同期信号帯域幅に基づいて同期信号周波数領域位置のセットを決定するように特に構成される。
【０４３２】
任意選択で、プロセッサ１５０１は、同期信号が位置する送信周波数帯域の中心周波数、最高周波数、又は最低周波数に基づいて同期信号周波数領域位置のセットを決定するように特に構成される。
【０４３３】
任意選択で、受信機１５０２は、候補同期信号位置のセット若しくは同期信号周波数ラスタを決定するために別の送信周波数帯域上で設定情報を受信するようにさらに構成され、設定情報は、同期信号が位置する動作周波数帯域上の同期信号周波数領域位置のセットを構成するために使用されるか、又は
受信機１５０２は、候補同期信号位置のセット若しくは同期信号周波数ラスタを決定するために別の基地局から設定情報を受信するように構成され、設定情報は、同期信号を送る基地局の動作周波数帯域上の候補同期信号位置のセット若しくは同期信号周波数ラスタを構成するために使用され、別の基地局は、同期信号を送る基地局以外の基地局である。
【０４３４】
この出願の実施形態１２において提供されるＵＥは、実施形態４におけるユーザ機器によって実行される信号送信方法を実行し得る。詳細な実装処理及びそれの有益な効果については、上記の実施形態を参照されたい。詳細について、ここで再び説明されない。
【０４３５】
この出願において提供されるいくつかの実施形態では、開示される装置及び方法は、他の方式で実装され得ることを理解されたい。例えば、説明された装置実施形態は例にすぎない。例えば、ユニット分割は論理的な機能分割にすぎず、実際の実装では他の分割であってよい。例えば、複数のユニット又は構成要素が別のシステムへと組み合わされる、若しくは統合されることがあり、又は、いくつかの特徴は無視される、若しくは実行されないことがある。加えて、表示若しくは説明された相互結合若しくは直接結合又は通信接続は、いくつかのインターフェースを使用することによって実装され得る。装置又はユニット間の間接結合又は通信接続は、電子的な形態、機械的な形態、又は他の形態で実装され得る。
【０４３６】
別個の部分として説明されたユニットは、物理的に別個であることもそうでないこともあり、ユニットとして表示された部分は、物理ユニットであることもそうでないこともあり、１つの位置に位置し得るか、又は複数のネットワークユニット上に分散され得る。ユニットの一部又は全部は、実施形態における解決策の目的を達成するために実際の要件に基づいて選択され得る。
【０４３７】
好都合で簡潔な説明のために、上記の機能モジュールの分割は、説明のための例として使用されるにすぎないことが、当業者によって明らかに理解されよう。実際の適用例では、上記の機能は、要件に基づいて実装のために異なる機能モジュールに割り振られることができ、即ち、装置の内部構造は、上記で説明された機能の全部又は一部を実装するために異なる機能モジュールに分割される。上記の装置の詳細な動作処理については、上記の方法実施形態における対応する処理を参照されたい。詳細について、ここで再び説明されない。
【０４３８】
加えて、この出願の実施形態における機能ユニットが１つの処理ユニットへと統合されることがあり、又はユニットの各々が物理的に単独で存在することがあり、又は２つ以上のユニットが１つのユニットへと統合される。統合されたユニットは、ハードウェアの形態で実装されることがあるか、又はソフトウェア機能ユニットの形態で実装されることがある。
【０４３９】
統合されたユニットがソフトウェア機能ユニットの形態で実装され、独立の製品として販売又は使用されるとき、統合されたユニットはコンピュータ可読記憶媒体に記憶され得る。そのような理解に基づいて、本質的にこの出願における技術的解決策、又は従来技術に寄与する部分、又は技術的解決策の全部若しくは一部は、ソフトウェア製品の形態で実装され得る。ソフトウェア製品は、記憶媒体に記憶され、この出願の実施形態で説明された方法のステップの全部又は一部を実行するように（パーソナルコンピュータ、サーバ、ネットワークデバイスなどであり得る）コンピュータデバイス又はプロセッサ（ｐｒｏｃｅｓｓｏｒ）に命令するためのいくつかの命令を含む。記憶媒体は、ＵＳＢフラッシュドライブ、リムーバブルハードディスク、読取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又は光学ディスクなど、プログラムコードを記憶することができる任意の媒体を含む。
【国際調査報告】
2019533365.tif 000028
2019533365.tif 000029
2019533365.tif 000030
2019533365.tif 000031